(57)【要約】無線通信システムにおいて端末の動作方法及び装置に関する。本発明によると、端末にダウンリンク制御情報（ｄｏｗｎｌｉｎｋ  ｃｏｎｔｒｏｌ  ｉｎｆｏｒｍａｔｉｏｎ）を送信するが、前記ダウンリンク制御情報はダウンリンク共有チャネルの最後のシンボル情報を含むことができる。端末は、ダウンリンクデータを復調するための第１復調参照信号（Ｄｅｍｏｄｕｌａｔｉｏｎ  Ｒｅｆｅｒｅｎｃｅ  Ｓｉｇｎａｌ：ＤＭＳＲ）及び少なくとも１つの第２ＤＭＲＳを送信し、前記ダウンリンク共有チャネルを介してデータを送信するものの、前記少なくとも１つの第２ＤＭＲＳがマッピングされるシンボルの位置は前記シンボル情報によって決定される方法及び装置を提供することができる。【選択図】図２１
2021502783.tif 000002
【特許請求の範囲】
【請求項１】
無線通信システムにおいて端末がデータを送受信する方法において、
基地局からダウンリンク制御情報（ｄｏｗｎｌｉｎｋ  ｃｏｎｔｒｏｌ  ｉｎｆｏｒｍａｔｉｏｎ）を受信するステップと、前記ダウンリンク制御情報は、ダウンリンク共有チャネルの最後のシンボルに関するシンボル情報を含み、
ダウンリンクデータを復調するための第１復調参照信号（Ｄｅｍｏｄｕｌａｔｉｏｎ  Ｒｅｆｅｒｅｎｃｅ  Ｓｉｇｎａｌ：ＤＭＳＲ）及び少なくとも１つの第２ＤＭＲＳを受信するステップと、
前記ダウンリンク共有チャネルを介してデータを受信するステップとを含み、
前記少なくとも１つの第２ＤＭＲＳがマッピングされるシンボルの位置は前記シンボル情報により決定される、方法。
【請求項２】
前記基地局から前記少なくとも１つの第２ＤＭＲＳがマッピングされるシンボルの最大個数を示す個数情報を基地局から取得するステップをさらに含み、
前記シンボル位置は、前記シンボル情報及び前記個数情報により決定される、請求項１に記載の方法。
【請求項３】
前記少なくとも１つの第２ＤＭＲＳが前記最大個数より少ない数のシンボルにマッピングされる場合、前記少なくとも１つの第２ＤＭＲＳは前記少ない数をＤＭＲＳがマッピングされるシンボルの最大個数として有する第２ＤＭＲＳのマッピング位置と同一の位置のシンボルにマッピングされる、請求項２に記載の方法。
【請求項４】
前記ダウンリンク共有チャネルが上位層シグナリングより先に送信される場合、前記少なくとも１つの第２ＤＭＲＳがマッピングされるシンボルの最大値は特定値に設定される、請求項１に記載の方法。
【請求項５】
前記シンボル位置は、前記特定値及び前記シンボル情報により決定される、請求項４に記載の方法。
【請求項６】
前記少なくとも１つの第２ＤＭＲＳが特定個数以上のシンボルにマッピングされる場合、前記シンボルの位置は前記第１ＤＭＲＳがマッピングされるシンボルの位置によってシフト（ｓｈｉｆｔ）される、請求項１に記載の方法。
【請求項７】
前記個数情報はＲＲＣ（Ｒａｄｉｏ  Ｒｅｓｏｕｒｃｅ  Ｃｏｎｔｒｏｌ）シグナリングにより受信される、請求項２に記載の方法。
【請求項８】
無線通信システムにおいて基地局がデータを送受信する方法において、
端末にダウンリンク制御情報（ｄｏｗｎｌｉｎｋ  ｃｏｎｔｒｏｌ  ｉｎｆｏｒｍａｔｉｏｎ）を送信するステップと、前記ダウンリンク制御情報は、ダウンリンク共有チャネルの最後のシンボルに関するシンボル情報を含み、
ダウンリンクデータを復調するための第１復調参照信号（Ｄｅｍｏｄｕｌａｔｉｏｎ  Ｒｅｆｅｒｅｎｃｅ  Ｓｉｇｎａｌ：ＤＭＳＲ）及び少なくとも１つの第２ＤＭＲＳを送信するステップと、
前記ダウンリンク共有チャネルを介してデータを送信するステップとを含み、
前記少なくとも１つの第２ＤＭＲＳがマッピングされるシンボルの位置は前記シンボル情報により決定される、方法。
【請求項９】
無線通信システムにおいてデータを送受信する端末において、
無線信号を送受信するためのＲＦモジュール（ｒａｄｉｏ  ｆｒｅｑｕｅｎｃｙ  ｍｏｄｕｌｅ）と、
前記ＲＦモジュールと機能的に接続されているプロセッサとを含み、
前記プロセッサは、
基地局からダウンリンク制御情報（ｄｏｗｎｌｉｎｋ  ｃｏｎｔｒｏｌ  ｉｎｆｏｒｍａｔｉｏｎ）を受信し、
前記ダウンリンク制御情報は、ダウンリンク共有チャネルの最後のシンボルに関するシンボル情報を含み、
ダウンリンクデータを復調するための第１復調参照信号（Ｄｅｍｏｄｕｌａｔｉｏｎ  Ｒｅｆｅｒｅｎｃｅ  Ｓｉｇｎａｌ：ＤＭＳＲ）及び少なくとも１つの第２ＤＭＲＳを受信し、
前記ダウンリンク共有チャネルを介してデータを受信し、
前記少なくとも１つの第２ＤＭＲＳがマッピングされるシンボルの位置は前記シンボル情報により決定される、端末。
【請求項１０】
前記プロセッサは、
前記基地局から前記少なくとも１つの第２ＤＭＲＳがマッピングされるシンボルの最大個数を示す個数情報を基地局から取得し、
前記シンボル位置は前記シンボル情報及び前記個数情報により決定される、請求項９に記載の端末。
【請求項１１】
前記少なくとも１つの第２ＤＭＲＳが前記最大個数より少ない数のシンボルにマッピングされた場合、前記少なくとも１つの第２ＤＭＲＳは前記少ない数をＤＭＲＳがマッピングされるシンボルの最大個数として有する第２ＤＭＲＳのマッピング位置と同一の位置のシンボルにマッピングされる、請求項１０に記載の端末。
【請求項１２】
前記ダウンリンク共有チャネルが上位層シグナリングより先に送信される場合、前記少なくとも１つの第２ＤＭＲＳがマッピングされるシンボルの最大値は特定値に設定される、請求項９に記載の端末。
【請求項１３】
前記シンボル位置は、前記特定値及び前記シンボル情報により決定される、請求項１２に記載の端末。
【請求項１４】
前記少なくとも１つの第２ＤＭＲＳが特定個数以上のシンボルにマッピングされた場合、前記シンボルの位置は前記第１ＤＭＲＳがマッピングされるシンボルの位置によってシフト（ｓｈｉｆｔ）される、請求項９に記載の端末。
【請求項１５】
前記個数情報は、ＲＲＣ（Ｒａｄｉｏ  Ｒｅｓｏｕｒｃｅ  Ｃｏｎｔｒｏｌ）シグナリングにより受信される、請求項１０に記載の端末。
【発明の詳細な説明】
【技術分野】
【０００１】
本発明は、無線通信システムに関し、より詳細には、無線通信システムにおいてデータを送受信するための復調参照信号（Ｄｅｍｏｄｕｌａｔｉｏｎ  Ｒｅｆｅｒｅｎｃｅ  Ｓｉｇｎａｌ：ＤＭＲＳ）の生成及びこれを送信するための方法及びそのための装置に関する。
【背景技術】
【０００２】
移動通信システムは、ユーザの活動性を保障しながら音声サービスを提供するために開発された。しかしながら、移動通信システムは、音声だけでなくデータサービスまで領域を拡張し、現在では、爆発的なトラフィックの増加によってリソースの不足現象が引き起こされ、ユーザがより高速のサービスを要求するので、より発展した移動通信システムが要求されている。
【０００３】
次世代移動通信システムの要求条件は、大きく爆発的なデータトラフィックの収容、ユーザ当たりの送信率の画期的な増加、大幅増加した接続デバイス数の収容、非常に低いエンドツーエンド遅延（Ｅｎｄ−ｔｏ−Ｅｎｄ  Ｌａｔｅｎｃｙ）、高エネルギー効率をサポートできなければならない。このために、多重続性（Ｄｕａｌ  Ｃｏｎｎｅｃｔｉｖｉｔｙ）、大規模多重入出力（Ｍａｓｓｉｖｅ  ＭＩＭＯ：Ｍａｓｓｉｖｅ  Ｍｕｌｔｉｐｌｅ  Ｉｎｐｕｔ  Ｍｕｌｔｉｐｌｅ  Ｏｕｔｐｕｔ）、全二重（Ｉｎ−ｂａｎｄ  Ｆｕｌｌ  Ｄｕｐｌｅｘ）、非直交多重接続（ＮＯＭＡ：Ｎｏｎ−Ｏｒｔｈｏｇｏｎａｌ  Ｍｕｌｔｉｐｌｅ  Ａｃｃｅｓｓ）、超広帯域（Ｓｕｐｅｒ  ｗｉｄｅｂａｎｄ）サポート、端末ネットワーキング（Ｄｅｖｉｃｅ  Ｎｅｔｗｏｒｋｉｎｇ）など、多様な技術が研究されている。
【発明の概要】
【発明が解決しようとする課題】
【０００４】
本明細書は、データの送受信のための復調参照信号（Ｄｅｍｏｄｕｌａｔｉｏｎ  Ｒｅｆｅｒｅｎｃｅ  Ｓｉｇｎａｌ：ＤＭＲＳ）を生成して送受信するための方法を提供することに目的がある。
【０００５】
また、本明細書は、端末が複数の復調参照信号を受信する場合、復調参照信号がマッピングされるシンボルの位置を決定するための方法を提供することに目的がある。
【０００６】
また、本明細書は、上位層により決定された最大個数の復調参照信号より小さい数の復調参照信号を送信する場合、復調参照信号がマッピングされるシンボルの位置を決定するための方法を提供することに目的がある。
【０００７】
また、本明細書は、基地局から復調参照信号のマッピングに関する情報が送信される前に送信されるデータを復調するための復調参照信号がマッピングされるシンボルの位置を決定するための方法を提供することに目的がある。
【０００８】
本発明で達成しようとする技術的課題は以上で言及した技術的課題に制限されず、言及しない更に他の技術的課題は以下の記載から本発明が属する技術分野で通常の知識を有する者に明確に理解できるはずである。
【課題を解決するための手段】
【０００９】
前述した技術的課題を解決するために、本発明の実施形態による無線通信システムにおいて端末がデータを送受信する方法は、基地局からダウンリンク制御情報（ｄｏｗｎｌｉｎｋ  ｃｏｎｔｒｏｌ  ｉｎｆｏｒｍａｔｉｏｎ）を受信するステップと、前記ダウンリンク制御情報はダウンリンク共有チャネルの最後のシンボルに関するシンボル情報を含み、ダウンリンクデータを復調するための第１復調参照信号（Ｄｅｍｏｄｕｌａｔｉｏｎ  Ｒｅｆｅｒｅｎｃｅ  Ｓｉｇｎａｌ：ＤＭＳＲ）及び少なくとも１つの第２ＤＭＲＳを受信するステップと、前記ダウンリンク共有チャネルを介してデータを受信するステップとを含み、前記少なくとも１つの第２ＤＭＲＳがマッピングされるシンボルの位置は前記シンボル情報によって決定される。
【００１０】
また、本発明は、前記基地局から前記少なくとも１つの第２ＤＭＲＳがマッピングされるシンボルの最大個数を示す個数情報を基地局から取得するステップをさらに含み、前記シンボルの位置は前記シンボル情報及び前記個数情報によって決定される。
【００１１】
また、本発明において、前記少なくとも１つの第２ＤＭＲＳが前記最大個数より少ない数のシンボルにマッピングされる場合、前記少なくとも１つの第２ＤＭＲＳは、前記少ない数をＤＭＲＳがマッピングされるシンボルの最大個数として有する第２ＤＭＲＳのマッピング位置と同一の位置のシンボルにマッピングされる。
【００１２】
また、本発明において、前記ダウンリンク共有チャネルが上位層シグナリングより先に送信される場合、前記少なくとも１つの第２ＤＭＲＳがマッピングされるシンボルの最大値は特定値に設定される。
【００１３】
また、本発明において、前記シンボル位置は、前記特定値及び前記シンボル情報によって決定される。
【００１４】
また、本発明において、前記少なくとも１つの第２ＤＭＲＳが特定個数以上のシンボルにマッピングされる場合、前記シンボルの位置は、前記第１ＤＭＲＳがマッピングされるシンボルの位置によってシフト（ｓｈｉｆｔ）される。
【００１５】
また、本発明において、前記個数情報は、ＲＲＣ（Ｒａｄｉｏ  Ｒｅｓｏｕｒｃｅ  Ｃｏｎｔｒｏｌ）シグナリングを介して受信される。
【００１６】
また、本発明は、端末にダウンリンク制御情報（ｄｏｗｎｌｉｎｋ  ｃｏｎｔｒｏｌ  ｉｎｆｏｒｍａｔｉｏｎ）を送信するステップと、前記ダウンリンク制御情報はダウンリンク共有チャネルの最後のシンボルに関するシンボル情報を含み、ダウンリンクデータを復調するための第１復調参照信号（Ｄｅｍｏｄｕｌａｔｉｏｎ  Ｒｅｆｅｒｅｎｃｅ  Ｓｉｇｎａｌ：ＤＭＳＲ）及び少なくとも１つの第２ＤＭＲＳを送信するステップと、前記ダウンリンク共有チャネルを介してデータを送信するステップとを含み、前記少なくとも１つの第２ＤＭＲＳがマッピングされるシンボルの位置は、前記シンボル情報によって決定される方法を提供する。
【００１７】
また、本発明は、無線信号を送受信するためのＲＦモジュール（ｒａｄｉｏ  ｆｒｅｑｕｅｎｃｙ  ｍｏｄｕｌｅ）と、前記ＲＦモジュールと機能的に接続されているプロセッサとを含み、前記プロセッサは、基地局からダウンリンク制御情報（ｄｏｗｎｌｉｎｋ  ｃｏｎｔｒｏｌ  ｉｎｆｏｒｍａｔｉｏｎ）を受信し、前記ダウンリンク制御情報はダウンリンク共有チャネルの最後のシンボルに関するシンボル情報を含み、ダウンリンクデータを復調するための第１復調参照信号（Ｄｅｍｏｄｕｌａｔｉｏｎ  Ｒｅｆｅｒｅｎｃｅ  Ｓｉｇｎａｌ：ＤＭＳＲ）及び少なくとも１つの第２ＤＭＲＳを受信し、前記ダウンリンク共有チャネルを介してデータを受信し、前記少なくとも１つの第２ＤＭＲＳがマッピングされるシンボルの位置は前記シンボル情報によって決定される端末を提供する。
【発明の効果】
【００１８】
本発明は、復調参照信号がマッピングされるシンボルの最大個数及びデータが送信される物理チャネルに応じて復調参照信号がマッピングされるシンボルの位置を決定することにより、基地局のスケジューリング柔軟性（ｓｃｈｅｄｕｌｉｎｇ  ｆｌｅｘｉｂｉｌｉｔｙ）が増加する効果がある。
【００１９】
また、本発明は、復調参照信号が上位層シグナリングにより設定された個数より小さい数に設定される場合、設定される復調参照信号の個数と同一の個数が最大個数である設定値と同一の位置に復調参照信号をマッピングすることにより、復調参照信号を効率的にマッピングできる効果がある。
【００２０】
また、本発明は、復調参照信号が上位層シグナリングにより設定された個数より小さい数に設定される場合、設定される復調参照信号の個数と同一の個数が最大個数である設定値と同一の位置に復調参照信号をマッピングすることにより、復調参照信号がマッピングされるシンボルの最大個数が相異なる端末間にもＭＵ−ＭＩＭＯが可能であるという効果がある。
【００２１】
また、本発明は、復調参照信号に関する情報を含む上位層シグナリングが送信される前に送信されるデータを復調するための復調参照信号がマッピングされる位置を既に設定することにより、上位層シグナリングが送信される前に送信されるデータを受信して復調できる効果がある。
【００２２】
本発明で得ることができる効果は、以上で言及した効果に制限されず、言及しない更に他の効果は以下の記載から本発明が属する技術分野で通常の知識を有する者に明確に理解できるはずである
【図面の簡単な説明】
【００２３】
本発明に関する理解を助けるために詳細な説明の一部に含まれる添付図面は本発明に対する実施形態を提供し、詳細な説明と共に本発明の技術的特徴を説明する。
【００２４】
【図１】本発明が適用できる無線通信システムにおいて無線フレームの構造を示す図である。
【図２】本発明が適用できる無線通信システムにおいて１つのダウンリンクスロットに対するリソースグリッド（ｒｅｓｏｕｒｃｅ  ｇｒｉｄ）を例示した図である。
【図３】本発明が適用できる無線通信システムにおいてダウンリンクサブフレームの構造を示す図である。
【図４】本発明が適用できる無線通信システムにおいてアップリンクサブフレームの構造を示す図である。
【図５】本発明が適用できる無線通信システムにおいてＰＵＣＣＨフォーマットがアップリンク物理リソースブロックのＰＵＣＣＨ領域にマッピングされる形態の一例を示す図である。
【図６】本発明が適用できる無線通信システムにおいて送信チャネル（ｔｒａｎｓｐｏｒｔ  ｃｈａｎｎｅｌ）であるアップリンク共有チャネルの信号処理過程の一例を示す図である。
【図７】本明細書で提案する方法が適用できる自己完結型（ｓｅｌｆ−ｃｏｎｔａｉｎｅｄ）サブフレーム構造の一例を示す。
【図８】本発明が適用できるＤＭＲＳのマッピング方法の一例を示す図である。
【図９】本発明が適用できるＤＭＲＳのマッピング方法の一例を示す図である。
【図１０】本発明が適用できるＤＭＲＳのマッピング方法の一例を示す図である。
【図１１】本明細書で提案する追加的に設定される復調参照信号の個数に応じて復調参照信号をマッピングする方法の一例を示す図である。
【図１２】本明細書で提案する追加的に設定される復調参照信号の個数に応じて復調参照信号をマッピングする方法のまた他の一例を示す図である。
【図１３】本明細書で提案する最大個数より小さい数の復調参照が設定される場合、復調参照信号をマッピングする方法の一例を示す図である。
【図１４】本明細書で提案する最大個数より小さい数の復調参照が設定される場合、復調参照信号をマッピングする方法のまた他の一例を示す図である。
【図１５】本明細書で提案する最大個数より小さい数の復調参照が設定される場合、復調参照信号をマッピングする方法のまた他の一例を示す図である。
【図１６】本明細書で提案する復調参照信号のマッピング方法のまた他の一例を示す図である。
【図１７】本明細書で提案する復調参照信号のマッピング方法のまた他の一例を示す図である。
【図１８】本明細書で提案する復調参照信号のマッピング方法のまた他の一例を示す図である。
【図１９】本明細書で提案する復調参照信号のマッピング方法のまた他の一例を示す図である。
【図２０】本明細書で提案する復調参照信号のマッピング方法のまた他の一例を示す図である。
【図２１】本明細書で提案する端末のデータ送受信方法の一例を示すフローチャートである。
【図２２】本明細書で提案する基地局のデータ送受信方法の一例を示すフローチャートである。
【図２３】本発明が適用できる無線装置の内部ブロック図の一例を示す図である。
【図２４】本発明の一実施形態による通信装置のブロック構成図を例示する。
【図２５】本明細書で提案する方法が適用できる無線通信装置のＲＦモジュールの一例を示す図である。
【図２６】本明細書で提案する方法が適用できる無線通信装置のＲＦモジュールのまた他の一例を示す図である。
【発明を実施するための形態】
【００２５】
以下、本発明にかかる好ましい実施の形態を添付された図面を参照して詳細に説明する。添付された図面と共に以下に開示する詳細な説明は、本発明の例示的な実施の形態を説明するためのものであり、本発明が実施されうる唯一の実施の形態を示すためのものではない。以下の詳細な説明は、本発明の完全な理解を提供するために具体的細部事項を含む。しかしながら、当業者は、本発明がこのような具体的細部事項がなくても実施できることを理解すべきである。
【００２６】
いくつかの場合、本発明の概念が曖昧になることを避けるために、公知の構造及び装置は省略されるか、または各構造及び装置の核心機能を中心にしたブロック図形式で示されることができる。
【００２７】
本明細書において基地局は、端末と直接的に通信を行うネットワークの終端ノード（ｔｅｒｍｉｎａｌ  ｎｏｄｅ）としての意味を有する。本文書において基地局により行われると説明された特定動作は、場合によっては、基地局の上位ノード（ｕｐｐｅｒ  ｎｏｄｅ）により行われても良い。即ち、基地局を含む多数のネットワークノード（ｎｅｔｗｏｒｋ  ｎｏｄｅｓ）からなるネットワークにおいて端末との通信のために行われる多様な動作は、基地局または基地局以外の他のネットワークノードにより行われうることは明らかである。「基地局（ＢＳ：Ｂａｓｅ  Ｓｔａｔｉｏｎ）」は、固定局（ｆｉｘｅｄ  ｓｔａｔｉｏｎ）、ＮｏｄｅＢ、ｅＮＢ（ｅｖｏｌｖｅｄ−ＮｏｄｅＢ）、ＢＴＳ（ｂａｓｅ  ｔｒａｎｓｃｅｉｖｅｒ  ｓｙｓｔｅｍ）、アクセスポイント（ＡＰ：Ａｃｃｅｓｓ  Ｐｏｉｎｔ）、送信端などの用語により代替されることができる。また、「端末（Ｔｅｒｍｉｎａｌ）」は、固定されるか、または移動性を有することができ、ＵＥ（Ｕｓｅｒ  Ｅｑｕｉｐｍｅｎｔ）、ＭＳ（Ｍｏｂｉｌｅ  Ｓｔａｔｉｏｎ）、ＵＴ（ｕｓｅｒ  ｔｅｒｍｉｎａｌ）、ＭＳＳ（Ｍｏｂｉｌｅ  ｓｕｂｓｃｒｉｂｅｒ  Ｓｔａｔｉｏｎ）、ＳＳ（Ｓｕｂｓｃｒｉｂｅｒ  Ｓｔａｔｉｏｎ）、ＡＭＳ（Ａｄｖａｎｃｅｄ  Ｍｏｂｉｌｅ  Ｓｔａｔｉｏｎ）、ＷＴ（Ｗｉｒｅｌｅｓｓ  ｔｅｒｍｉｎａｌ）、ＭＴＣ（Ｍａｃｈｉｎｅ−Ｔｙｐｅ  Ｃｏｍｍｕｎｉｃａｔｉｏｎ）装置、Ｍ２Ｍ（Ｍａｃｈｉｎｅ−ｔｏ−Ｍａｃｈｉｎｅ）装置、Ｄ２Ｄ（Ｄｅｖｉｃｅ−ｔｏ−Ｄｅｖｉｃｅ）、送信端装置などの用語に代替されることができる。
【００２８】
以下、ダウンリンク（ＤＬ：ｄｏｗｎｌｉｎｋ）は、基地局から端末への通信を意味し、アップリンク（ＵＬ：ｕｐｌｉｎｋ）は、端末から基地局への通信を意味する。ダウンリンクにおける送信機は、基地局の一部で、受信機は、端末の一部でありうる。アップリンクにおける送信機は、端末の一部で、受信機は、基地局の一部でありうる。
【００２９】
以下の説明において用いられる特定用語は、本発明の理解に役立つために提供されたものであり、このような特定用語の使用は、本発明の技術的思想から外れない範囲内で他の形態に変更されることができる。
【００３０】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）、ＮＯＭＡ（ｎｏｎ−ｏｒｔｈｏｇｏｎａｌ  ｍｕｌｔｉｐｌｅ  ａｃｃｅｓｓ）などのような多様な無線接続システムに利用されることができる。ＣＤＭＡは、ＵＴＲＡ（ｕｎｉｖｅｒｓａｌ  ｔｅｒｒｅｓｔｒｉａｌ  ｒａｄｉｏ  ａｃｃｅｓｓ）又はＣＤＭＡ２０００のような無線技術（ｒａｄｉｏ  ｔｅｃｈｎｏｌｏｇｙ）により具現化されることができる。ＴＤＭＡは、ＧＳＭ（ｇｌｏｂａｌ  ｓｙｓｔｅｍ  ｆｏｒ  ｍｏｂｉｌｅ  ｃｏｍｍｕｎｉｃａｔｉｏｎｓ）／ＧＰＲＳ（ｇｅｎｅｒａｌ  ｐａｃｋｅｔ  ｒａｄｉｏ  ｓｅｒｖｉｃｅ）／ＥＤＧＥ（ｅｎｈａｎｃｅｄ  ｄａｔａ  ｒａｔｅｓ  ｆｏｒ  ＧＳＭ  ｅｖｏｌｕｔｉｏｎ）のような無線技術により具現化されることができる。ＯＦＤＭＡは、ＩＥＥＥ  ８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（ｅｖｏｌｖｅｄ  ＵＴＲＡ）などのような無線技術により具現化されることができる。ＵＴＲＡは、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）の一部である。３ＧＰＰ（３ｒｄ  ｇｅｎｅｒａｔｉｏｎ  ｐａｒｔｎｅｒｓｈｉｐ  ｐｒｏｊｅｃｔ）ＬＴＥ（ｌｏｎｇ  ｔｅｒｍ  ｅｖｏｌｕｔｉｏｎ）は、Ｅ−ＵＴＲＡを使用するＥ−ＵＭＴＳ（ｅｖｏｌｖｅｄ  ＵＭＴＳ）の一部であり、ダウンリンクにおいてＯＦＤＭＡを採用し、アップリンクにおいてＳＣ−ＦＤＭＡを採用する。ＬＴＥ−Ａ（ａｄｖａｎｃｅｄ）は、３ＧＰＰ  ＬＴＥの進化である。
【００３１】
本発明の実施の形態は、無線接続システムであるＩＥＥＥ８０２、３ＧＰＰ及び３ＧＰＰ２のうち、少なくとも１つに開示された標準文書により裏付けられることができる。即ち、本発明の実施の形態のうち、本発明の技術的思想を明確にあらわすために、説明しないステップまたは部分は、前記文書により裏付けられることができる。また、本文書に開示しているすべての用語は、前記標準文書により説明されることができる。
【００３２】
説明を明確にするために、３ＧＰＰ  ＬＴＥ／ＬＴＥ−Ａを中心に述べるが、本発明の技術的特徴がこれに制限されることではない。
【００３３】
本発明が適用できる無線通信システム一般
【００３４】
図１は、本発明が適用できる無線通信システムにおいて無線フレームの構造を示す。
【００３５】
３ＧＰＰ  ＬＴＥ／ＬＴＥ-Ａでは、ＦＤＤ（Ｆｒｅｑｕｅｎｃｙ  Ｄｉｖｉｓｉｏｎ  Ｄｕｐｌｅｘ）に適用可能なタイプ１無線フレーム（ｒａｄｉｏ  ｆｒａｍｅ）構造とＴＤＤ（Ｔｉｍｅ  Ｄｉｖｉｓｉｏｎ  Ｄｕｐｌｅｘ）に適用可能なタイプ２の無線フレーム構造をサポートする。
【００３６】
図１において無線フレームの時間領域でのサイズは、Ｔ＿ｓ＝１／（１５０００＊２０４８）の時間単位の倍数で表現される。ダウンリンク及びアップリンク送信は、Ｔ＿ｆ＝３０７２００＊Ｔ＿ｓ＝１０ｍｓの区間を有する無線フレームから構成される。
【００３７】
図１の（ａ）は、タイプ１無線フレームの構造を例示する。タイプ１無線フレームは、全二重（ｆｕｌｌ  ｄｕｐｌｅｘ）及び半二重（ｈａｌｆ  ｄｕｐｌｅｘ）ＦＤＤに全部適用されることができる。
【００３８】
無線フレーム（ｒａｄｉｏ  ｆｒａｍｅ）は、１０個のサブフレーム（ｓｕｂｆｒａｍｅ）から構成される。１つの無線フレームは、Ｔ＿ｓｌｏｔ＝１５３６０＊Ｔ＿ｓ＝０．５ｍｓ長の２０個のスロットから構成され、各スロットは、０から１９までのインデックスが付与される。１つのサブフレームは、時間領域（ｔｉｍｅ  ｄｏｍａｉｎ）において連続的な２個のスロット（ｓｌｏｔ）から構成され、サブフレームｉは、スロット２ｉ及びスロット２ｉ＋１から構成される。１つのサブフレームを送信するのにかかる時間をＴＴＩ（ｔｒａｎｓｍｉｓｓｉｏｎ  ｔｉｍｅ  ｉｎｔｅｒｖａｌ）という。例えば、１つのサブフレームの長さは１ｍｓで、１つのスロットの長さは０．５ｍｓでありうる。
【００３９】
ＦＤＤでアップリンク送信及びダウンリンク送信は、周波数ドメインにおいて区分される。全二重ＦＤＤに制限がないことに対し、半二重ＦＤＤ動作において端末は、同時に送信及び受信することができない。
【００４０】
１つのスロットは、時間領域において複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含み、周波数領域において多数のリソースブロック（ＲＢ：Ｒｅｓｏｕｒｃｅ  Ｂｌｏｃｋ）を含む。３ＧＰＰ  ＬＴＥは、ダウンリンクでＯＦＤＭＡを使用するので、ＯＦＤＭシンボルは、１つのシンボル区間（ｓｙｍｂｏｌ  ｐｅｒｉｏｄ）を表現するためのものである。ＯＦＤＭシンボルは、１つのＳＣ-ＦＤＭＡシンボルまたはシンボル区間ということができる。リソースブロック（Ｒｅｓｏｕｒｃｅ  Ｂｌｏｃｋ）は、リソース割り当て単位で、１つのスロットにおいて複数の連続的な副搬送波（ｓｕｂｃａｒｒｉｅｒ）を含む。
【００４１】
図１の（ｂ）は、タイプ２フレーム構造（ｆｒａｍｅ  ｓｔｒｕｃｔｕｒｅ  ｔｙｐｅ２）を示す。
【００４２】
タイプ２無線フレームは、各１５３６００＊Ｔ＿ｓ＝５ｍｓの長さの２個のハーフフレーム（ｈａｌｆ  ｆｒａｍｅ）から構成される。各ハーフフレームは、３０７２０＊Ｔ＿ｓ＝１ｍｓ長さの５個のサブフレームから構成される。
【００４３】
ＴＤＤシステムのタイプ２フレーム構造においてアップリンク-ダウンリンク構成（ｕｐｌｉｎｋ-ｄｏｗｎｌｉｎｋ  ｃｏｎｆｉｇｕｒａｔｉｏｎ）は、すべてのサブフレームに対してアップリンクとダウンリンクが割り当てされる（または予約される）か否かを表す規則である。
【００４４】
表１は、アップリンク-ダウンリンク構成を表す。
【００４５】
【表１】
2021502783.tif 000003
【００４６】
表１を参照すると、無線フレームの各サブフレーム別に、「Ｄ」は、ダウンリンク送信のためのサブフレームを表し、「Ｕ」は、アップリンク送信のためのサブフレームを表し、「Ｓ」は、ＤｗＰＴＳ（Ｄｏｗｎｌｉｎｋ  Ｐｉｌｏｔ  Ｔｉｍｅ  Ｓｌｏｔ）、保護区間（ＧＰ：Ｇｕａｒｄ  Ｐｅｒｉｏｄ）、ＵｐＰＴＳ（Ｕｐｌｉｎｋ  Ｐｉｌｏｔ  Ｔｉｍｅ  Ｓｌｏｔ）３とおりのフィールドから構成されるスペシャルサブフレーム（ｓｐｅｃｉａｌ  ｓｕｂｆｒａｍｅ）を表す。
【００４７】
ＤｗＰＴＳは、端末での初期セル探索、同期化またはチャネル推定に使用される。ＵｐＰＴＳは、基地局でのチャネル推定と端末のアップリンク送信同期を合せるのに使用される。ＧＰは、アップリンクとダウンリンクとの間にダウンリンク信号の多重経路遅延によりアップリンクで生じる干渉を除去するための区間である。
【００４８】
各サブフレームｉは、各Ｔ＿ｓｌｏｔ＝１５３６０＊Ｔ＿ｓ＝０．５ｍｓ長のスロット２ｉ及びスロット２ｉ＋１から構成される。
【００４９】
アップリンク-ダウンリンク構成は、７通りに区分されることができ、各構成別にダウンリンクサブフレーム、スペシャルサブフレーム、アップリンクサブフレームの位置及び／または個数が異なる。
【００５０】
ダウンリンクからアップリンクに変更される時点またはアップリンクからダウンリンクに転換される時点を転換時点（ｓｗｉｔｃｈｉｎｇ  ｐｏｉｎｔ）という。転換時点の周期性（Ｓｗｉｔｃｈ−ｐｏｉｎｔ  ｐｅｒｉｏｄｉｃｉｔｙ）は、アップリンクサブフレームとダウンリンクサブフレームが転換される様相が同様に繰り返される周期を意味し、５ｍｓまたは１０ｍｓが全部サポートされる。５ｍｓダウンリンク-アップリンク転換時点の周期を有する場合には、スペシャルサブフレーム（Ｓ）はハーフ-フレームごとに存在し、５ｍｓダウンリンク−アップリンク転換時点の周期を有する場合には、第１番目のハーフ-フレームのみに存在する。
【００５１】
すべての構成において、０番、５番サブフレーム及びＤｗＰＴＳは、ダウンリンク送信だけのための区間である。ＵｐＰＴＳ及びサブフレームサブフレームに直につながるサブフレームは、常にアップリンク送信のための区間である。
【００５２】
このような、アップリンク-ダウンリンク構成は、システム情報で基地局と端末が全部知っていることができる。基地局は、アップリンク-ダウンリンク構成情報が変わるごとに構成情報のインデックスだけを送信することによって、無線フレームのアップリンク-ダウンリンク割り当て状態の変更を端末に知らせることができる。また、構成情報は一種のダウンリンク制御情報であって、他のスケジューリング情報と同様にＰＤＣＣＨ（Ｐｈｙｓｉｃａｌ  Ｄｏｗｎｌｉｎｋ  Ｃｏｎｔｒｏｌ  Ｃｈａｎｎｅｌ）を介して送信されることができ、放送情報として同報通信チャネル（ｂｒｏａｄｃａｓｔ  ｃｈａｎｎｅｌ）を介してセル内のすべての端末に共通に送信されることもできる。
【００５３】
表２は、スペシャルサブフレームの構成（ＤｗＰＴＳ／ＧＰ／ＵｐＰＴＳの長さ）を表す。
【００５４】
【表２】
2021502783.tif 000004
【００５５】
図１の例示による無線フレームの構造は、１つの例示に過ぎず、無線フレームに含まれる副搬送波の数またはサブフレームに含まれるスロットの数、スロットに含まれるＯＦＤＭシンボルの数は、多様に変更されることができる。
【００５６】
図２は、本発明が適用できる無線通信システムにおける１つのダウンリンクスロットに対するリソースグリッド（ｒｅｓｏｕｒｃｅ  ｇｒｉｄ）を例示した図である。
【００５７】
図２を参照すると、１つのダウンリンクスロットは時間領域で複数のＯＦＤＭシンボルを含む。ここで、１つのダウンリンクスロットは７個のＯＦＤＭシンボルを含み、１つのリソースブロックは周波数領域で１２個の副搬送波を含むことを例示的に技術するが、これに限定されるものではない。
【００５８】
リソースグリッド上で各要素（ｅｌｅｍｅｎｔ）をリソース要素（ｒｅｓｏｕｒｃｅ  ｅｌｅｍｅｎｔ）といい、１つのリソースブロック（ＲＢ：ｒｅｓｏｕｒｃｅ  ｂｌｏｃｋ）は１２×７個のリソース要素を含む。ダウンリンクスロットに含まれるリソースブロックの数Ｎ＾ＤＬはダウンリンク送信帯域幅（ｂａｎｄｗｉｄｔｈ）に従属する。
【００５９】
アップリンクスロットの構造はダウンリンクスロットの構造と同一でありうる。
【００６０】
図３は、本発明が適用できる無線通信システムにおけるダウンリンクサブフレームの構造を示す。
【００６１】
図３を参照すると、サブフレーム内の最初スロットで前の最大３個のＯＦＤＭシンボルは制御チャネルが割り当てられる制御領域（ｃｏｎｔｒｏｌ  ｒｅｇｉｏｎ）であり、残りのＯＦＤＭシンボルはＰＤＳＣＨ（Ｐｈｙｓｉｃａｌ  Ｄｏｗｎｌｉｎｋ  Ｓｈａｒｅｄ  Ｃｈａｎｎｅｌ）が割り当てられるデータ領域（ｄａｔａ  ｒｅｇｉｏｎ）である。３ＧＰＰ  ＬＴＥで使われるダウンリンク制御チャネルの一例に、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＨＩＣＨ（Ｐｈｙｓｉｃａｌ  Ｈｙｂｒｉｄ-ＡＲＱ  Ｉｎｄｉｃａｔｏｒ  Ｃｈａｎｎｅｌ）などがある。
【００６２】
ＰＣＦＩＣＨは、サブフレームの１番目のＯＦＤＭシンボルで送信され、サブフレーム内に制御チャネルの送信のために使われるＯＦＤＭシンボルの数（即ち、制御領域のサイズ）に関する情報を運ぶ。ＰＨＩＣＨはアップリンクに対する応答チャネルであり、ＨＡＲＱ（Ｈｙｂｒｉｄ  Ａｕｔｏｍａｔｉｃ  Ｒｅｐｅａｔ  Ｒｅｑｕｅｓｔ）に対するＡＣＫ（Ａｃｋｎｏｗｌｅｄｇｅｍｅｎｔ）／ＮＡＣＫ（Ｎｏｔ-Ａｃｋｎｏｗｌｅｄｇｅｍｅｎｔ）信号を運ぶ。ＰＤＣＣＨを介して送信される制御情報をダウンリンク制御情報（ＤＣＩ：ｄｏｗｎｌｉｎｋ  ｃｏｎｔｒｏｌ  ｉｎｆｏｒｍａｔｉｏｎ）という。ダウンリンク制御情報は、アップリンクリソース割り当て情報、ダウンリンクリソース割り当て情報、または任意の端末グループに対するアップリンク送信（Ｔｘ）パワー制御命令を含む。
【００６３】
ＰＤＣＣＨはＤＬ−ＳＣＨ（Ｄｏｗｎｌｉｎｋ  Ｓｈａｒｅｄ  Ｃｈａｎｎｅｌ）のリソース割り当て及び送信フォーマット（これをダウンリンクグラントともいう。）、ＵＬ−ＳＣＨ（Ｕｐｌｉｎｋ  Ｓｈａｒｅｄ  Ｃｈａｎｎｅｌ）のリソース割り当て情報（これをアップリンクグラントともいう。）、ＰＣＨ（Ｐａｇｉｎｇ  Ｃｈａｎｎｅｌ）でのページング（ｐａｇｉｎｇ）情報、ＤＬ−ＳＣＨでのシステム情報、ＰＤＳＣＨで送信されるランダムアクセス応答（ｒａｎｄｏｍ  ａｃｃｅｓｓ  ｒｅｓｐｏｎｓｅ）のような上位レイヤ（ｕｐｐｅｒ-ｌａｙｅｒ）制御メッセージに対するリソース割り当て、任意の端末グループ内の個別端末に対する送信パワー制御命令の集合、ＶｏＩＰ（Ｖｏｉｃｅ  ｏｖｅｒ  ＩＰ）の活性化などを運ぶことができる。複数のＰＤＣＣＨは制御領域内で送信されることができ、端末は複数のＰＤＣＣＨをモニタリングすることができる。ＰＤＣＣＨは１つまたは複数の連続的なＣＣＥ（ｃｏｎｔｒｏｌ  ｃｈａｎｎｅｌ  ｅｌｅｍｅｎｔｓ）の集合で構成される。ＣＣＥは無線チャネルの状態に従う符号化率（ｃｏｄｉｎｇ  ｒａｔｅ）をＰＤＣＣＨに提供するために使われる論理的割り当て単位である。ＣＣＥは複数のリソース要素グループ（ｒｅｓｏｕｒｃｅ  ｅｌｅｍｅｎｔ  ｇｒｏｕｐ）に対応される。ＰＤＣＣＨのフォーマット及び使用可能なＰＤＣＣＨのビット数はＣＣＥの数とＣＣＥにより提供される符号化率の間の関連関係によって決定される。
【００６４】
基地局は端末に送信しようとするＤＣＩによってＰＤＣＣＨフォーマットを決定し、制御情報にＣＲＣ（Ｃｙｃｌｉｃ  Ｒｅｄｕｎｄａｎｃｙ  Ｃｈｅｃｋ）を付ける。ＣＲＣにはＰＤＣＣＨの所有者（ｏｗｎｅｒ）や用途によって固有な識別子（これをＲＮＴＩ（Ｒａｄｉｏ  Ｎｅｔｗｏｒｋ  Ｔｅｍｐｏｒａｒｙ  Ｉｄｅｎｔｉｆｉｅｒ）という。）がマスキングされる。特定の端末のためのＰＤＣＣＨであれば、端末の固有な識別子、例えばＣ−ＲＮＴＩ（Ｃｅｌｌ-ＲＮＴＩ）がＣＲＣにマスキングできる。または、ページングメッセージのためのＰＤＣＣＨであれば、ページング指示識別子、例えばＰ−ＲＮＴＩ（ＰａｇｉｎｇＲＮＴＩ）がＣＲＣにマスキングできる。システム情報、より具体的にシステム情報ブロック（ＳＩＢ：ｓｙｓｔｅｍ  ｉｎｆｏｒｍａｔｉｏｎ  ｂｌｏｃｋ）のためのＰＤＣＣＨであれば、システム情報識別子、ＳＩ−ＲＮＴＩ（ｓｙｓｔｅｍ  ｉｎｆｏｒｍａｔｉｏｎ  ＲＮＴＩ）がＣＲＣにマスキングできる。端末のランダムアクセスプリアンブルの送信に対する応答であるランダムアクセス応答を指示するために、ＲＡ−ＲＮＴＩ（ｒａｎｄｏｍ  ａｃｃｅｓｓ-ＲＮＴＩ）がＣＲＣにマスキングできる。
【００６５】
ＰＤＣＣＨ（Ｐｈｙｓｉｃａｌ  Ｄｏｗｎｌｉｎｋ  Ｃｏｎｔｒｏｌ  Ｃｈａｎｎｅｌ）
【００６６】
以下、ＰＤＣＣＨについて、さらに具体的に述べることにする。
【００６７】
ＰＤＣＣＨを介して送信される制御情報をダウンリンク制御情報（ＤＣＩ：Ｄｏｗｎｌｉｎｋ  Ｃｏｎｔｒｏｌ  Ｉｎｄｉｃａｔｏｒ）という。ＰＤＣＣＨは、ＤＣＩフォーマットに応じて制御情報のサイズ及び用途が異なり、また符号化率に応じてサイズが変わることができる。
【００６８】
表３は、ＤＣＩフォーマットに応じるＤＣＩを表す。
【００６９】
【表３】
2021502783.tif 000005
【００７０】
前記表３を参照すると、ＤＣＩフォーマットには、ＰＵＳＣＨスケジューリングのためのフォーマット０、１つのＰＤＳＣＨコードワードのスケジューリングのためのフォーマット１、１つのＰＤＳＣＨコードワードの簡単な（ｃｏｍｐａｃｔ）スケジューリングのためのフォーマット１Ａ、ＤＬ-ＳＣＨの非常に簡単なスケジューリングのためのフォーマット１Ｃ、閉ループ（Ｃｌｏｓｅｄ-ｌｏｏｐ）空間多重化（ｓｐａｔｉａｌ  ｍｕｌｔｉｐｌｅｘｉｎｇ）モードでＰＤＳＣＨスケジューリングのためのフォーマット２、開ループ（Ｏｐｅｎｌｏｏｐ）空間多重化モードでＰＤＳＣＨスケジューリングのためのフォーマット２Ａ、アップリンクチャネルのためのＴＰＣ（Ｔｒａｎｓｍｉｓｓｉｏｎ  Ｐｏｗｅｒ  Ｃｏｎｔｒｏｌ）命令の送信のためのフォーマット３及び３Ａ、多重アンテナポート送信モード（ｔｒａｎｓｍｉｓｓｉｏｎ  ｍｏｄｅ）で１つのアップリンクセル内のＰＵＳＣＨスケジューリングのためのフォーマット４がある。
【００７１】
ＤＣＩフォーマット１Ａは、端末にいかなる送信モードが設定されても、ＰＤＳＣＨスケジューリングのために使用されることができる。
【００７２】
このような、ＤＣＩフォーマット、は端末別に独立に適用されることができ、１つのサブフレーム内に複数端末のＰＤＣＣＨが同時に多重化（ｍｕｌｔｉｐｌｅｘｉｎｇ）されることができる。ＰＤＣＣＨは、１つまたは複数の連続的なＣＣＥ（ｃｏｎｔｒｏｌ  ｃｈａｎｎｅｌ  ｅｌｅｍｅｎｔｓ）の集合（ａｇｇｒｅｇａｔｉｏｎ）から構成される。ＣＣＥは、無線チャネルの状態に応じる符号化率をＰＤＣＣＨに提供するために使用される論理的割り当て単位である。ＣＣＥは、４個のリソース要素から構成されたＲＥＧの９個のセットに対応する単位のことをいう  。基地局は、１つのＰＤＣＣＨ信号を構成するために、｛１，２，４，８｝個のＣＣＥを使用することができ、このときの｛１，２，４，８｝は、ＣＣＥ集合レベル（ａｇｇｒｅｇａｔｉｏｎ  ｌｅｖｅｌ）と呼ぶ。
【００７３】
特定ＰＤＣＣＨの送信のために使用されるＣＣＥの個数は、チャネル状態に応じて基地局によって決定される。各端末によって構成されたＰＤＣＣＨは、ＣＣＥ対ＲＥマッピング規則（ＣＣＥ-ｔｏ-ＲＥ  ｍａｐｐｉｎｇ  ｒｕｌｅ）によって各サブフレームの制御チャネル領域にインターリビング（ｉｎｔｅｒｌｅａｖｉｎｇ）されてマッピングされる。ＰＤＣＣＨの位置は、各サブフレームの制御チャネルのためのＯＦＤＭシンボルの個数、ＰＨＩＣＨグループの個数、そして送信アンテナ及び周波数遷移などによって変わることができる。
【００７４】
上述したように、多重化された各端末のＰＤＣＣＨに独立にチャネルコーディングが行われ、ＣＲＣ（Ｃｙｃｌｉｃ  Ｒｅｄｕｎｄａｎｃｙ  Ｃｈｅｃｋ）が適用される。各端末の固有の識別子（ＵＥ  ＩＤ）をＣＲＣにマスキング（ｍａｓｋｉｎｇ）して、端末が自身のＰＤＣＣＨを受信することができるようにする。しかしながら、サブフレーム内で割り当てられた制御領域において基地局は、端末に該当するＰＤＣＣＨがどこにあるかに関する情報を提供しない。端末は基地局から送信された制御チャネルを受信するために、自身のＰＤＣＣＨがどの位置でどんなＣＣＥ集合レベルやＤＣＩフォーマットで送信されるかがわからないので、端末は、サブフレーム内でＰＤＣＣＨ候補（ｃａｎｄｉｄａｔｅ）の集合をモニタリングして、自身のＰＤＣＣＨを探す。これをブラインドデコード（ＢＤ：Ｂｌｉｎｄ  Ｄｅｃｏｄｉｎｇ）という。
【００７５】
ブラインドデコードは、ブラインド探索（Ｂｌｉｎｄ  Ｄｅｔｅｃｔｉｏｎ）またはブラインドサーチ（Ｂｌｉｎｄ  Ｓｅａｒｃｈ）と呼ばれることができる。ブラインドデコードは、端末がＣＲＣ部分に自身の端末識別子（ＵＥ  ＩＤ）をデマスキング（Ｄｅ-Ｍａｓｋｉｎｇ）させた後、ＣＲＣエラーを検討して該当ＰＤＣＣＨが自身の制御チャネルであるか否かを確認する方法のことをいう。
【００７６】
以下、ＤＣＩフォーマット０を介して送信される情報を説明する。
【００７７】
ＤＣＩフォーマット０は、１つのアップリンクセルでのＰＵＳＣＨをスケジューリングするために使用される。
【００７８】
表４はＤＣＩフォーマット０で送信される情報を表す。
【００７９】
【表４】
2021502783.tif 000006
【００８０】
前記表４を参照すると、ＤＣＩフォーマット０を介して送信される情報は、次の通りである。
【００８１】
１）キャリア指示子（Ｃａｒｒｉｅｒ  ｉｎｄｉｃａｔｏｒ）-０または３ビットから構成される。
【００８２】
２）ＤＣＩフォーマット０とフォーマット１Ａを区分するためのフラグ-１ビットから構成され、０値は、ＤＣＩフォーマット０を指示し、１値は、ＤＣＩフォーマット１Ａを指示する。
【００８３】
３）周波数ホッピング（ｈｏｐｐｉｎｇ）フラグ-１ビットから構成される。このフィールドは必要な場合、該当リソース割り当ての最上位ビット（ＭＳＢ：Ｍｏｓｔ  Ｓｉｇｎｉｆｉｃａｎｔ  Ｂｉｔ）を多重クラスタ（ｍｕｌｔｉ-ｃｌｕｓｔｅｒ）割り当てのために使用されることができる。
【００８４】
４）リソースブロック割り当て（Ｒｅｓｏｕｒｃｅ  ｂｌｏｃｋ  ａｓｓｉｇｎｍｅｎｔ）とホッピング（ｈｏｐｐｉｎｇ）リソース割り当て-
2021502783.tif 000007
ビットから構成される。
【００８５】
ここで、単一クラスタ（ｓｉｎｇｌｅ-ｃｌｕｓｔｅｒ  ａｌｌｏｃａｔｉｏｎ）割り当てにおいてＰＵＳＣＨ跳躍の場合、
2021502783.tif 000008
の値を取得するためにＮＵＬ＿ｈｏｐ個の最上位ビット（ＭＳＢ）が使用される。
2021502783.tif 000009
ビットは、アップリンクサブフレーム内に第１番目のスロットのリソース割り当てを提供する。また、単一クラスタ割り当てにおいてＰＵＳＣＨ跳躍がない場合、
2021502783.tif 000010
ビットがアップリンクサブフレーム内にリソース割り当てを提供する。また、多重クラスタ割り当て（ｍｕｌｔｉ-ｃｌｕｓｔｅｒ  ａｌｌｏｃａｔｉｏｎ）においてＰＵＳＣＨ跳躍がない場合、周波数跳躍フラグフィールド及びリソースブロック割り当てと跳躍リソース割り当てフィールドの接続（ｃｏｎｃａｔｅｎａｔｉｏｎ）からリソース割り当て情報が得られ、
2021502783.tif 000011
ビットがアップリンクサブフレーム内にリソース割り当てを提供する。このとき、Ｐ値は、ダウンリンクリソースブロックの数により決まる。
【００８６】
５）変調及びコーディング技法（ＭＣＳ：Ｍｏｄｕｌａｔｉｏｎ  ａｎｄ  ｃｏｄｉｎｇ  ｓｃｈｅｍｅ）-５ビットから構成される。
【００８７】
６）新しいデータ指示子（Ｎｅｗｄａｔａｉｎｄｉｃａｔｏｒ）-１ビットから構成される。
【００８８】
７）ＰＵＳＣＨのためのＴＰＣ（Ｔｒａｎｓｍｉｔ  Ｐｏｗｅｒ  Ｃｏｎｔｒｏｌ）コマンド-２ビットから構成される。
【００８９】
８）ＤＭＲＳ（Ｄｅｍｏｄｕｌａｔｉｏｎ  Ｒｅｆｅｒｅｎｃｅ  ｓｉｇｎａｌ）のための循環シフト（ＣＳ：ｃｙｃｌｉｃ  ｓｈｉｆｔ）と直交カバーコード（ＯＣ／ＯＣＣ：ｏｒｔｈｏｇｏｎａｌ  ｃｏｖｅｒ／ｏｒｔｈｏｇｏｎａｌ  ｃｏｖｅｒ  ｃｏｄｅ）のインデックス-３ビットから構成される。
【００９０】
９）アップリンクインデックス-２ビットから構成される。このフィールドは、アップリンク-ダウンリンク構成０に応じるＴＤＤ動作のみに存在する。
【００９１】
１０）ダウンリンク割り当てインデックス（ＤＡＩ：Ｄｏｗｎｌｉｎｋ  Ａｓｓｉｇｎｍｅｎｔ  Ｉｎｄｅｘ）-２ビットから構成される。このフィールドは、アップリンク-ダウンリンク構成（ｕｐｌｉｎｋ-ｄｏｗｎｌｉｎｋ  ｃｏｎｆｉｇｕｒａｔｉｏｎ）１-６に応じるＴＤＤ動作のみに存在する。
【００９２】
１１）チャネル状態情報（ＣＳＩ：Ｃｈａｎｎｅｌ  Ｓｔａｔｅ  Ｉｎｆｏｒｍａｔｉｏｎ）要請-１または２ビットから構成される。ここで、２ビットフィールドは、１つ以上のダウンリンクセルが設定された端末に端末特定（ＵＥ  ｓｐｅｃｉｆｉｃ）に該当ＤＣＩがＣ-ＲＮＴＩ（Ｃｅｌｌ-ＲＮＴＩ）によりマッピングされた場合においてのみ適用される。
【００９３】
１２）サウンディング参照信号（ＳＲＳ：Ｓｏｕｎｄｉｎｇ  Ｒｅｆｅｒｅｎｃｅ  ｓｉｇｎａｌ）要請-０または１ビットから構成される。ここで、このフィールドは、スケジューリングするＰＵＳＣＨが端末特定（ＵＥ  ｓｐｅｃｉｆｉｃ）にＣ-ＲＮＴＩによりマッピングされる場合においてのみ存在する。
【００９４】
１３）リソース割り当てタイプ（Ｒｅｓｏｕｒｃｅ  ａｌｌｏｃａｔｉｏｎ  ｔｙｐｅ）−１ビットから構成される。
【００９５】
ＤＣＩフォーマット０内に情報ビットの数がＤＣＩフォーマット１Ａのペイロードのサイズ（追加されたパディングビットを含む）より小さな場合、ＤＣＩフォーマット０にＤＣＩフォーマット１Ａのペイロードサイズが同じくなるように０が追加される。
【００９６】
図４は、本発明が適用できる無線通信システムにおいてアップリンクサブフレームの構造を示す。
【００９７】
図４を参照すると、アップリンクサブフレームは、周波数領域で制御領域とデータ領域とに分けることができる。制御領域には、アップリンク制御情報を運ぶＰＵＣＣＨ（Ｐｈｙｓｉｃａｌ  Ｕｐｌｉｎｋ  Ｃｏｎｔｒｏｌ  Ｃｈａｎｎｅｌ）が割り当てられる。データ領域は、ユーザデータを運ぶＰＵＳＣＨ（Ｐｈｙｓｉｃａｌ  Ｕｐｌｉｎｋ  Ｓｈａｒｅｄ  Ｃｈａｎｎｅｌ）が割り当てられる。単一搬送波特性を維持するために、１つの端末は、ＰＵＣＣＨとＰＵＳＣＨを同時に送信しない。
【００９８】
１つの端末に対するＰＵＣＣＨには、サブフレーム内にリソースブロック（ＲＢ：Ｒｅｓｏｕｒｃｅ  Ｂｌｏｃｋ）対が割り当てられる。ＲＢ対に属するＲＢは、２個のスロットの各々において互いに異なる副搬送波を占める。これを、ＰＵＣＣＨに割り当てられたＲＢ対は、スロット境界（ｓｌｏｔ  ｂｏｕｎｄａｒｙ）から周波数ホッピング（ｆｒｅｑｕｅｎｃｙ  ｈｏｐｐｉｎｇ）されるという。
【００９９】
物理アップリンク制御チャネル（ＰＵＣＣＨ）
【０１００】
ＰＵＣＣＨを介して送信されるアップリンク制御情報（ＵＣＩ）は、スケジューリング要請（ＳＲ：Ｓｃｈｅｄｕｌｉｎｇ  Ｒｅｑｕｅｓｔ）、ＨＡＲＱ  ＡＣＫ／ＮＡＣＫ情報及びダウンリンクチャネル測定情報を含むことができる。
【０１０１】
ＨＡＲＱ  ＡＣＫ／ＮＡＣＫ情報は、ＰＤＳＣＨ上のダウンリンクデータパケットがデコードに成功するか否かによって生成されることができる。従来の無線通信システムにおいて、ダウンリンク単一コードワード（ｃｏｄｅｗｏｒｄ）送信に対しては、ＡＣＫ／ＮＡＣＫ情報として１ビットが送信され、ダウンリンク２コードワード送信に対しては、ＡＣＫ／ＮＡＣＫ情報として２ビットが送信される。
【０１０２】
チャネル測定情報は多重入出力（ＭＩＭＯ：Ｍｕｌｔｉｐｌｅ  Ｉｎｐｕｔ  Ｍｕｌｔｉｐｌｅ  Ｏｕｔｐｕｔ）技法と関連したフィードバック情報を指し示し、チャネル品質指示子（ＣＱＩ：Ｃｈａｎｎｅｌ  Ｑｕａｌｉｔｙ  Ｉｎｄｉｃａｔｏｒ）、プリコーディングマトリックスインデックス（ＰＭＩ：Ｐｒｅｃｏｄｉｎｇ  Ｍａｔｒｉｘ  Ｉｎｄｅｘ）及びランク指示子（ＲＩ：Ｒａｎｋ  Ｉｎｄｉｃａｔｏｒ）を含むことができる。これらのチャネル測定情報を通称して、ＣＱＩと表現することもできる。
【０１０３】
ＣＱＩの送信のために、サブフレーム当たりの２０ビットが使用されることができる。
【０１０４】
ＰＵＣＣＨは、ＢＰＳＫ（Ｂｉｎａｒｙ  ｐｈａｓｅ  Ｓｈｉｆｔ  ｋｅｙｉｎｇ）とＱＰＳＫ（Ｑｕａｄｒａｔｕｒｅ  ｐｈａｓｅＳｈｉｆｔ  ｋｅｙｉｎｇ）技法を使用して変調されることができる。ＰＵＣＣＨを介して複数の端末の制御情報が送信されることができ、各端末の信号を区別するために、コード分割多重化（ＣＤＭ：Ｃｏｄｅ  Ｄｉｖｉｓｉｏｎ  Ｍｕｌｔｉｐｌｅｘｉｎｇ）を行う場合に、長さ１２のＣＡＺＡＣ（Ｃｏｎｓｔａｎｔ  Ａｍｐｌｉｔｕｄｅ  Ｚｅｒｏ  Ａｕｔｏｃｏｒｒｅｌａｔｉｏｎ）シーケンスを主に使用する。ＣＡＺＡＣシーケンスは、時間領域（ｔｉｍｅ  ｄｏｍａｉｎ）及び周波数領域（ｆｒｅｑｕｅｎｃｙ  ｄｏｍａｉｎ）において一定のサイズ（ａｍｐｌｉｔｕｄｅ）を維持する特性を有するので、端末のＰＡＰＲ（Ｐｅａｋ-ｔｏ-Ａｖｅｒａｇｅ  Ｐｏｗｅｒ  Ｒａｔｉｏ）またはＣＭ（Ｃｕｂｉｃ  Ｍｅｔｒｉｃ）を低くして、カバレッジを増加させるのに適した性質を有する。また、ＰＵＣＣＨを介して送信されるダウンリンクデータ送信に対するＡＣＫ／ＮＡＣＫ情報は、直交シーケンス（ｏｒｔｈｇｏｎａｌ  ｓｅｑｕｅｎｃｅ）または直交カバー（ＯＣ：ｏｒｔｈｏｇｏｎａｌ  ｃｏｖｅｒ）を利用してカバーリングされる。
【０１０５】
また、ＰＵＣＣＨ上に送信される制御情報は、互いに異なる循環シフト（ＣＳ：ｃｙｃｌｉｃ  ｓｈｉｆｔ）値を有する循環シフトされたシーケンス（ｃｙｃｌｉｃａｌｌｙ  ｓｈｉｆｔｅｄ  ｓｅｑｕｅｎｃｅ）を利用して区別できる。循環シフトされたシーケンスは、基本シーケンス（ｂａｓｅ  ｓｅｑｕｅｎｃｅ）を特定ＣＳ量（ｃｙｃｌｉｃ  ｓｈｉｆｔ  ａｍｏｕｎｔ）分だけ循環シフトさせて生成できる。特定ＣＳ量は、循環シフトインデックス（ＣＳ  ｉｎｄｅｘ）により指示される。チャネルの遅延拡散（ｄｅｌａｙ  ｓｐｒｅａｄ）によって使用可能な循環シフトの数は変わることができる。多様な種類のシーケンスが基本シーケンスとして使用されることができ、前述したＣＡＺＡＣシーケンスは、その一例である。
【０１０６】
また、端末が１つのサブフレームで送信できる制御情報の量は、制御情報の送信に利用可能なＳＣ-ＦＤＭＡシンボルの個数（すなわち、ＰＵＣＣＨのコーヒレント（ｃｏｈｅｒｅｎｔ）検出のための参照信号（ＲＳ）の送信に利用されるＳＣ-ＦＤＭＡシンボルを除いたＳＣ-ＦＤＭＡシンボル）によって決定されることができる。
【０１０７】
３ＧＰＰ  ＬＴＥシステムにおけるＰＵＣＣＨは、送信される制御情報、変調技法、制御情報の量などによって総７通りの互いに異なるフォーマットで定義され、各々のＰＵＣＣＨフォーマットに従って送信されるアップリンク制御情報（ＵＣＩ：ｕｐｌｉｎｋ  ｃｏｎｔｒｏｌ  ｉｎｆｏｒｍａｔｉｏｎ）の属性は、次の表５のように要約できる。
【０１０８】
【表５】
2021502783.tif 000012
【０１０９】
ＰＵＣＣＨフォーマット１は、ＳＲの単独送信に使用される。ＳＲ単独送信の場合には、変調されない波形が適用され、これについては、後で詳細に説明する。
【０１１０】
ＰＵＣＣＨフォーマット１ａまたは１ｂは、ＨＡＲＱ  ＡＣＫ／ＮＡＣＫの送信に使用される。任意のサブフレームにおいてＨＡＲＱ  ＡＣＫ／ＮＡＣＫが単独で送信される場合には、ＰＵＣＣＨフォーマット１ａまたは１ｂを使用することができる。または、ＰＵＣＣＨフォーマット１ａまたは１ｂを使用して、ＨＡＲＱ  ＡＣＫ／ＮＡＣＫ及びＳＲが同一サブフレームにおいて送信されることができる。
【０１１１】
ＰＵＣＣＨフォーマット２は、ＣＱＩの送信に使用され、ＰＵＣＣＨフォーマット２ａまたは２ｂは、ＣＱＩ及びＨＡＲＱ  ＡＣＫ／ＮＡＣＫの送信に使用される。
【０１１２】
拡張されたＣＰの場合には、ＰＵＣＣＨフォーマット２がＣＱＩ及びＨＡＲＱ  ＡＣＫ／ＮＡＣＫの送信に使用されることもできる。
【０１１３】
図５は、本発明が適用できる無線通信システムにおいてＰＵＣＣＨフォーマットがアップリンク物理リソースブロックのＰＵＣＣＨ領域にマッピングされる形態の一例を示す図である。
【０１１４】
図５において
2021502783.tif 000013
は、アップリンクでのリソースブロックの個数を表し、０，１，．．．，
2021502783.tif 000014
は、物理リソースブロックの番号を意味する。基本的に、ＰＵＣＣＨは、アップリンク周波数ブロックの両側エッジ（ｅｄｇｅ）にマッピングされる。図５に示すように、ｍ＝０，１で表示されるＰＵＣＣＨ領域にＰＵＣＣＨフォーマット２／２ａ／２ｂがマッピングされ、これはＰＵＣＣＨフォーマット２／２ａ／２ｂが帯域-エッジ（ｂａｎｄｅｄｇｅ）に位置したリソースブロックにマッピングされることで表現できる。また、ｍ＝２で表示されるＰＵＣＣＨ領域にＰＵＣＣＨフォーマット２／２ａ／２ｂ及びＰＵＣＣＨフォーマット１／１ａ／１ｂが共に（ｍｉｘｅｄ）マッピングされることができる。次に、ｍ＝３，４，５で表示されるＰＵＣＣＨ領域にＰＵＣＣＨフォーマット１／１ａ／１ｂがマッピングされることができる。ＰＵＣＣＨフォーマット２／２ａ／２ｂにより使用可能なＰＵＣＣＨ  ＲＢの個数
2021502783.tif 000015
は、ブロードキャスティングシグナリングによってセル内の端末に指示できる。
【０１１５】
ＰＵＣＣＨフォーマット２／２ａ／２ｂについて説明する。ＰＵＣＣＨフォーマット２／２ａ／２ｂは、チャネル測定フィードバック（ＣＱＩ、ＰＭＩ、ＲＩ）を送信するための制御チャネルである。
【０１１６】
チャネル測定フィードバック（以下、通称してＣＱＩ情報と表現する）の報告周期及び測定対象になる周波数単位（または周波数解像度（ｒｅｓｏｌｕｔｉｏｎ））は、基地局によって制御されることができる。時間領域において周期的及び非周期的ＣＱＩ報告がサポートされることができる。ＰＵＣＣＨフォーマット２は、周期的報告においてのみ使用され、非周期的報告のためにはＰＵＳＣＨが使用されることができる。非周期的報告の場合に、基地局は端末にアップリンクデータ送信のためにスケジューリングされたリソースに個別ＣＱＩ報告を載せて送信することを指示できる。
【０１１７】
図６は、本発明が適用できる無線通信システムにおいて送信チャネル（ｔｒａｎｓｐｏｒｔ  ｃｈａｎｎｅｌ）であるアップリンク共有チャネルの信号処理過程の一例を示す図である。
【０１１８】
以下、アップリンク共有チャネル（以下、「ＵＬ−ＳＣＨ」という）の信号処理過程は、１つ以上の送信チャネル又は制御情報タイプに適用できる。
【０１１９】
図６に示すように、ＵＬ−ＳＣＨは、送信時間区間（ＴＴＩ：ｔｒａｎｓｍｉｓｓｉｏｎ  ｔｉｍｅ  ｉｎｔｅｒｖａｌ）ごとに１回ずつデータを送信ブロック（ＴＢ：Ｔｒａｎｓｐｏｒｔ  Ｂｌｏｃｋ）の形態で符号化ユニット（ｃｏｎｄｉｎｇ  ｕｎｉｔ）に伝達される。
【０１２０】
上位層から伝達された送信ブロックのビット
2021502783.tif 000016
にＣＲＣパリティビット（ｐａｒｉｔｙ  ｂｉｔ）
2021502783.tif 000017
を取り付ける（Ｓ６０１０）。ここで、Ａは、送信ブロックのサイズであり、Ｌはパリティビットの個数である。ＣＲＣが取り付けられた入力ビットは、
2021502783.tif 000018
のようである。ここで、ＢはＣＲＣを含む送信ブロックのビット数を示す。
【０１２１】
2021502783.tif 000019
は、ＴＢのサイズに応じて複数のコードブロック（ＣＢ：Ｃｏｄｅ  ｂｌｏｃｋ）に分割（ｓｅｇｍｅｎｔａｔｉｏｎ）され、分割された複数のＣＢにＣＲＣが取り付けられる（Ｓ６０２０）。コードブロック分割及びＣＲＣ取付の後のビットは
2021502783.tif 000020
のようである。ここで、ｒはコードブロックの番号（ｒ＝０、・・・、Ｃ−１）であり、Ｋｒはコードブロックｒによるビット数である。また、Ｃはコードブロックの総個数を示す。
【０１２２】
続いて、チャネル符号化（ｃｈａｎｎｅｌ  ｃｏｄｉｎｇ）が行われる（Ｓ６０３０）。チャネル符号化の後の出力ビットは
2021502783.tif 000021
のようである。ここで、ｉは、符号化されたストリームインデックスであり、０、１又は２の値を有する。Ｄｒはコードブロックｒのためのｉ番目の符号化されたストリームのビット数を示す。ｒはコードブロック番号（ｒ＝０、…、Ｃ−１）であり、Ｃはコードブロックの総個数を示す。各コードブロックは、それぞれターボコーディングにより符号化されることができる。
【０１２３】
続いて、レートマッチング（Ｒａｔｅ  Ｍａｔｃｈｉｎｇ）が行われる（Ｓ６０４０）。レートマッチングを経た以後のビットは、
2021502783.tif 000022
のようである。ここで、ｒはコードブロックの番号であり（ｒ＝０、・・・、Ｃ−１）、Ｃはコードブロックの総個数を示す。Ｅｒはｒ番目のコードブロックのレートマッチングされたビットの個数を示す。
【０１２４】
続いて、再びコードブロック間の結合（ｃｏｎｃａｔｅｎａｔｉｏｎ）が行われる（Ｓ６０５０）。コードブロックの結合が行われた後のビットは、
2021502783.tif 000023
のようである。ここで、Ｇは送信のための符号化されたビットの総個数を示し、制御情報がＵＬ−ＳＣＨ送信と多重化されるとき、制御情報送信のために使用されるビット数は含まれない。
【０１２５】
一方、ＰＵＳＣＨにおいて制御情報が送信されるとき、制御情報であるＣＱＩ／ＰＭＩ、ＲＩ、ＡＣＫ／ＮＡＣＫはそれぞれ独立にチャネル符号化が行われる（Ｓ６０７０、Ｓ６０８０、Ｓ６０９０）。各制御情報の送信のためにそれぞれ相異なる符号化されたシンボルが割り当てられるので、それぞれの制御情報は相異なるコーディングレート（ｃｏｄｉｎｇ  ｒａｔｅ）を有する。
【０１２６】
ＴＤＤ（Ｔｉｍｅ  Ｄｉｖｉｓｉｏｎ  Ｄｕｐｌｅｘ）においてＡＣＫ／ＮＡＣＫフィードバックモードは、上位層設定によりＡＣＫ／ＮＡＣＫバンドリング（ｂｕｎｄｌｉｎｇ）及びＡＣＫ／ＮＡＣＫ多重化（ｍｕｌｔｉｐｌｅｘｉｎｇ）の２つのモードがサポートされる。ＡＣＫ／ＮＡＣＫバンドリングのためにＡＣＫ／ＮＡＣＫ情報ビットは１ビット又は２ビットで構成され、ＡＣＫ／ＮＡＣＫ多重化のためにＡＣＫ／ＮＡＣＫ情報ビットは１ビットから４ビットの間で構成される。
【０１２７】
Ｓ１３４ステップで、コードブロック間の結合ステップ以後に、ＵＬ−ＳＣＨデータの符号化されたビット
2021502783.tif 000024
とＣＱＩ／ＰＭＩの符号化されたビット
2021502783.tif 000025
の多重化が行われる（Ｓ１２０６０）。データとＣＱＩ／ＰＭＩの多重化された結果は
2021502783.tif 000026
のようである。ここで、
2021502783.tif 000027
は
2021502783.tif 000028
長さを有するカラム
ｃｏｌｕｍｎ）ベクトルを示す。
2021502783.tif 000029
であり、
2021502783.tif 000030
である。
2021502783.tif 000031
はＵＬ−ＳＣＨ送信ブロックがマッピングされたレイヤの個数を示し、Ｈは送信ブロックがマッピングされた
2021502783.tif 000032
の個送信レイヤにＵＬ−ＳＣＨデータとＣＱＩ／ＰＭＩ情報のために割り当てられた符号化された総ビットの個数を示す。
【０１２８】
続いて、多重化されたデータとＣＱＩ／ＰＭＩ、別途にチャネル符号化されたＲＩ、ＡＣＫ／ＮＡＣＫは、チャネルインターリーブされて出力信号が生成される（Ｓ６１００）。
【０１２９】
ＭＩＭＯ（Ｍｕｌｔｉ−Ｉｎｐｕｔ  Ｍｕｌｔｉ−Ｏｕｔｐｕｔ）
【０１３０】
ＭＩＭＯ技術は、これまで一般的に１つの送信アンテナと１つの受信アンテナを使用していたことから脱皮して、多重送信（Ｔｘ）アンテナと多重受信（Ｒｘ）アンテナを使用する。言い換えると、ＭＩＭＯ技術は、無線通信システムの送信端又は受信端において多重入出力アンテナを使用して容量の増大又は性能改善を図るための技術である。以下では、「ＭＩＭＯ」を「多重入出力アンテナ」と言ってもよい。
【０１３１】
より具体的に、多重入出力アンテナ技術は、１つの完全なメッセージ（ｔｏｔａｌ  ｍｅｓｓａｇｅ）を受信するために１つのアンテナ経路に依存せず、複数のアンテナを介して受信した複数のデータの断片を収集して完全なデータを完成させる。結果として、多重入出力アンテナ技術は、特定システムの範囲内でデータ送信率を増加させることができ、また、特定データ送信率によりシステム範囲を増加させることができる。
【０１３２】
次世代移動通信は、既存の移動通信に比べてはるかに高いデータ送信率を要求するので、効率的な多重入出力アンテナ技術が必ず必要になると予想される。このような状況において、ＭＩＭＯ通信技術は、移動通信端末と中継器などに幅広く使用できる次世代移動通信技術であり、データ通信の拡大などにより限界状況に応じて他の移動通信の送信量の限界を克服できる技術として関心を集めている。
【０１３３】
一方、現在研究されている多様な送信効率向上技術のうち、多重入出力アンテナ（ＭＩＭＯ）技術は、追加的な周波数割り当てや電力増加がなくても、通信容量及び送受信性能を画期的に向上させる方法であり、現在最も大きな注目を集めている。
【０１３４】
Ｄｅｍｏｄｕｌａｔｉｏｎ  ｒｅｆｅｒｅｎｃｅ  ｓｉｇｎａｌ  ｆｏｒ  ＰＵＳＣＨ
【０１３５】
アップリンクＤＭＲＳの生成のための参照信号シーケンスｒ（ｍ）は、ＰＵＳＣＨに対する変換プリコーディング（ｔｒａｎｓｆｏｒｍ  ｐｒｅｃｏｄｉｎｇ）が許容されない場合、以下の数式１により生成される。
【０１３６】
ここで、ＰＵＳＣＨに対する変換プリコーディングが許容されない場合の一例として、ＣＰ−ＯＦＤＭ方式の送信信号を生成する場合があり得る。
【０１３７】
【数１】
2021502783.tif 000033
【０１３８】
ここで、ｃ（ｉ）は、疑似ランダムシーケンス（ｔｈｅｐｓｅｕｄｏ−ｒａｎｄｏｍ  ｓｅｑｕｅｎｃｅ）を意味する。
【０１３９】
もし、ＰＵＳＣＨのための送信プリコーダが許容される場合、参照信号シーケンスｒ（ｍ）は、下記の数式２により生成される。
【０１４０】
【数２】
2021502783.tif 000034
【０１４１】
生成されたＰＵＳＣＨのＤＭＲＳは、図７及び図８の図示と上位層のパラメータによって与えられたタイプ１又はタイプ２に応じて物理リソースにマッピングされる。
【０１４２】
ここで、ＤＭＲＳは、アンテナポートの個数によって単一シンボル（ｓｉｎｇｌｅ  ｓｙｍｂｏｌ）又は二重シンボル（ｄｏｕｂｌｅ  ｓｙｍｂｏｌ）にマッピングされることができる。
【０１４３】
もし、変換プリコーディングが許容されない場合、参照信号シーケンスｒ（ｍ）は、下記の数式３により物理リソースにマッピングされる。
【０１４４】
【数３】
2021502783.tif 000035
【０１４５】
もし、変換プリコーディングが許容されない場合、参照信号シーケンスｒ（ｍ）は、下記の数式４により物理リソースにマッピングされる。
【０１４６】
【数４】
2021502783.tif 000036
【０１４７】
前記数式３及び数式４において、
2021502783.tif 000037
及びΔは、以下の表６及び表７により与えられる。
【０１４８】
ｋに対する基準点（ｒｅｆｅｒｅｎｃｅ  ｐｏｉｎｔ）はＰＵＳＣＨが送信される帯域幅部分（ｂａｎｄｗｉｄｔｈ  ｐａｒｔ）であり、ｋ０はＰＵＳＣＨ送信のために割り当てられたキャリアリソースブロックのうち最低の番号の副搬送波（ｓｕｂｃａｒｒｉｅｒ）である。
【０１４９】
Ｑｕａｎｔｉｔｙ  ｍ０は、キャリアリソースブロック０においてｋ０とサブキャリア０間のサブキャリア差である。
【０１５０】
１番目のＤＭＲＳシンボルのｌ及びｌ０に対する基準点はマッピングタイプに応じて変わることがある。
【０１５１】
−ＰＵＳＣＨマッピングタイプＡ：
【０１５２】
−ｌはスロットの開始に相対的に定義されることができる。
【０１５３】
−上位層パラメータＵＬ−ＤＭＲＳ−ｔｙｐｅＡ−ｐｏｓが３のようであると、ｌ０は３であり、そうでないと、ｌ０は２である。
【０１５４】
−ＰＵＳＣＨマッピングタイプＢ：
【０１５５】
−ｌはスケジュールされたＰＵＳＣＨリソースの開始に相対的に定義されることができる。
【０１５６】
−ｌ０は０である。
【０１５７】
Ａｄｄｉｔｉｏｎａｌ  ＤＭＲＳシンボルの位置は、
2021502783.tif 000038
及び下記の表８及び表９によって、スロットにおいてＰＵＳＣＨに使用される最後のＯＦＤＭシンボルにより与えられる。
【０１５８】
時間領域インデックスｌ’及びサポートされるアンテナポートｐは、表１０により与えられる。ただし、上位層パラメータＵＬ−ＤＭＲＳ−ｌｅｎが「１」である場合、単一シンボルＤＭＲＳが使用されてもよい。
【０１５９】
上位層パラメータＵＬ−ＤＭＲＳ−ｌｅｎが２である場合、単一シンボル又は二重シンボルＤＭＲＳは関連されたＤＣＩにより決定される。
【０１６０】
【表６】
2021502783.tif 000039
【０１６１】
【表７】
2021502783.tif 000040
【０１６２】
【表８】
2021502783.tif 000041
【０１６３】
【表９】
2021502783.tif 000042
【０１６４】
【表１０】
2021502783.tif 000043
【０１６５】
Ｄｅｍｏｄｕｌａｔｉｏｎ  ｒｅｆｅｒｅｎｃｅ  ｓｉｇｎａｌｓ  ｆｏｒ  ＤＳＣＨ
【０１６６】
ダウンリンクＤＭＲＳの生成のための参照信号シーケンスｒ（ｍ）は、下記の数式５により生成される。
【０１６７】
【数５】
2021502783.tif 000044
【０１６８】
ここで、ｃ（ｉ）は、疑似ランダムシーケンス（ｔｈｅ  ｐｓｅｕｄｏ−ｒａｎｄｏｍ  ｓｅｑｕｅｎｃｅ）を意味する。
【０１６９】
生成されたＰＤＳＣＨのＤＭＲＳは、上位層のパラメータにより与えられたタイプ１又はタイプ２に応じて物理リソースにマッピングされる。
【０１７０】
ここで、参照信号シーケンスｒ（ｍ）は、下記の数式６により物理リソースにマッピングされる。
【０１７１】
【数６】
2021502783.tif 000045
【０１７２】
前記数式５において、ｌはスロットの開始に相対的に定義され、
2021502783.tif 000046
及びΔは下記の表１１及び表１２により与えられる。
【０１７３】
ｋに対する基準点（ｒｅｆｅｒｅｎｃｅ  ｐｏｉｎｔ）はＰＤＳＣＨが送信される帯域幅部分（ｂａｎｄｗｉｄｔｈ  ｐａｒｔ）であり、ｋ０はＰＤＳＣＨ送信のために割り当てられたキャリアリソースブロックのうち最低の番号の副搬送波（ｓｕｂｃａｒｒｉｅｒ）である。
【０１７４】
Ｑｕａｎｔｉｔｙ  ｍ０は、キャリアリソースブロック０においてｋ０とサブキャリア０間のサブキャリア差である。
【０１７５】
１番目のＤＭＲＳシンボルのｌ及びｌ０に対する基準点はマッピングタイプに応じて変わることがある。
【０１７６】
−ＰＤＳＣＨマッピングタイプＡ：
【０１７７】
−ｌはスロットの開始に相対的に定義されることができる。
【０１７８】
−上位層パラメータＤＬ−ＤＭＲＳ−ｔｙｐｅＡ−ｐｏｓが３のようであると、ｌ０は３であり、そうでないと、ｌ０は２である。
【０１７９】
−ＰＤＳＣＨマッピングタイプＢ：
【０１８０】
−ｌはスケジュールされたＰＤＳＣＨリソースの開始に相対的に定義される。
【０１８１】
−ｌ０は０である。
【０１８２】
Ａｄｄｉｔｉｏｎａｌ  ＤＭＲＳシンボルの位置は
2021502783.tif 000047
及び下記の表１３及び表１４によって、スロットにおいてＰＵＳＣＨに使用される最後のＯＦＤＭシンボルにより与えられる。
【０１８３】
時間領域インデックスｌ’及びサポートされるアンテナポートｐは、表１５により与えられる。
【０１８４】
−上位層パラメータＤＬ−ＤＭＲＳ−ｌｅｎが１である場合、単一シンボルＤＭＲＳが使用される。
【０１８５】
−上位層パラメータＤＬ−ＤＭＲＳ−ｌｅｎが２である場合、単一シンボル又は二重シンボルＤＭＲＳは関連されたＤＣＩにより決定される。
【０１８６】
【表１１】
2021502783.tif 000048
【０１８７】
【表１２】
2021502783.tif 000049
【０１８８】
【表１３】
2021502783.tif 000050
【０１８９】
【表１４】
2021502783.tif 000051
【０１９０】
【表１５】
2021502783.tif 000052
【０１９１】
ＰＤＳＣＨを受信するためのＵＥの手順
【０１９２】
ＵＥは、構成されたＤＣＩフォーマットを有するＰＤＣＣＨを検出すると、当該ＤＣＩにより指示されているように対応されるＰＤＳＣＨをデコードしなければならない。
【０１９３】
もし、ＵＥがＣ−ＲＮＴＩでスクランブルされたＣＲＣでＰＤＣＣＨをデコードするように構成された場合、ＵＥはＰＤＣＣＨ及びこれに対応するＰＤＳＣＨをデコードしなければならない。このようなＰＤＳＣＨのスクランブル初期化はＣ−ＲＮＴＩにより決定される。
【０１９４】
ＵＥは、ＤＭＲＳの構成タイプを示す上位層パラメータであるＤＬ−ＤＭＲＳ−ｃｏｎｆｉｇ−ｔｙｐｅと構成されたＣＰタイプからＰＤＳＣＨに対するＤＭＲＳタイプを下記の表１６のように誘導することができる。
【０１９５】
【表１６】
2021502783.tif 000053
【０１９６】
もし、ＵＥが上位層パラメータによりＰＤＳＣＨのための追加的なＤＭＲＳ（ａｄｄｉｔｉｏｎａｌ  ＤＭＲＳ）で構成される場合、多重ＤＭＲＳシンボルが送信されることができる。
【０１９７】
ＵＥは、上位層パラメータで構成されたＤＭＲＳポートが遅延拡散（ｄｅｌａｙ  ｓｐｒｅａｄ）、ドップラー拡散（Ｄｏｐｐｌｅｒ  ｓｐｒｅａｄ）、ドップラーシフト（Ｄｏｐｐｌｅｒ  ｓｈｉｆｔ）、平均利得、平均遅延及び空間ＲXパラメータ（ｓｐａｔｉａｌ  ＲＸ  ｐａｒａｍｅｔｅｒｓ）に対してＱＣＬ（ｑｕａｓｉｃｏ−ｌｏｃａｔｅｄ）されると仮定できる。
【０１９８】
もし、ＵＥが上位パラメータである「ＤＬ−ＰＴＲＳ−ｐｒｅｓｅｎｔ」で構成される場合、ＵＥは、ＰＴＲＳ（Ｐｈａｓｅ  Ｔｒａｃｋｉｎｇ  Ｒｅｆｅｒｅｎｃｅ  Ｓｉｇｎａｌ）アンテナポートの存在及びパターンが対応するスケジュールされたＭＣＳ及びスケジュールされた帯域幅の関数であると仮定できる。
【０１９９】
もし、ＵＥが上位層パラメータ「ｄｍｒｓ−ｇｒｏｕｐ２」及び「ＤＬ−ＰＴＲＳ−ｐｒｅｓｅｎｔ」で構成される場合、ＵＥは、関連パラメータのＴＢＤに対してＰＴＲＳアンテナポート番号が「ｄｍｒｓ−ｇｒｏｕｐ２」構成において指示されたＤＭＲＳアンテナポートと関連すると仮定することができる。
【０２００】
ＵＥが上位層パラメータＤＬ−ＰＴＲＳ−ｐｒｅｓｅｎｔ及びｄｍｒｓ−ｇｒｏｕｐ２で構成されると、ＰＴ−ＲＳポートはＰＤＳＣＨのためのｄｍｒｓ−ｇｒｏｕｐ２の構成に表示された構成されたＤＭ−ＲＳアンテナポートのうち最も低いインデックスのＤＭ−ＲＳアンテナポートと関連されることがある。
【０２０１】
図７は、本発明が適用できる無線通信システムにおいて自己完結型（Ｓｅｌｆ−ｃｏｎｔａｉｎｅｄ）サブフレーム構造を例示する図である。
【０２０２】
ＴＤＤシステムにおいてデータ送信レイテンシ（ｌａｔｅｎｃｙ）を最小化するために５世代（５Ｇ：５  ｇｅｎｅｒａｔｉｏｎ）ｎｅｗ  ＲＡＴでは、図４のような自己完結型（ｓｅｌｆ−ｃｏｎｔａｉｎｅｄ）サブフレーム構造を考慮している。
【０２０３】
図７において、斜線領域（シンボルインデックス０）はダウンリンク（ＤＬ）制御領域を示し、黒い部分（シンボルインデックス１３）はアップリンク（ＵＬ）制御領域を示す。陰影表示のない領域は、ＤＬデータ送信のために使われることもあり、またＵＬデータ送信のために使われることもある。このような構造の特徴は、１つのサブフレーム内でＤＬ送信とＵＬ送信が順次行われて、サブフレーム内でＤＬデータが送信され、ＵＬ  ＡＣＫ／ＮＡＣＫも受信できる。結果として、データ送信エラー発生時にデータ再送信までかかる時間を低減することができ、これにより最終データ送信のレイテンシ（ｌａｔｅｎｃｙ）を最小化することができる。
【０２０４】
このような自己完結型（ｓｅｌｆ−ｃｏｎｔａｉｎｅｄ）サブフレーム構造において、基地局とＵＥが送信モードから受信モードに転換する過程又は受信モードから送信モードに転換する過程のための時間ギャップ（ｔｉｍｅ  ｇａｐ）が必要である。このために、自己完結型（ｓｅｌｆ−ｃｏｎｔａｉｎｅｄ）サブフレーム構造においてＤＬからＵＬに転換される時点の一部ＯＦＤＭシンボルがガード区間（ＧＰ：ｇｕａｒｄ  ｐｅｒｉｏｄ）に設定されることになる。
【０２０５】
図８は、本発明が適用できるＤＭＲＳのマッピング方法の一例を示す図である。
【０２０６】
図８に示すように、ｆｒｏｎｔ−ｌｏａｄ  ＤＭＲＳ及び及びａｄｄｉｔｉｏｎａｌ  ＤＭＲＳが第２ＤＭＲＳがマッピングされる位置は可変的であり得る。
【０２０７】
具体的に、サブフレームが図７に示した自己完結型サブフレーム（ｓｅｌｆ−ｃｏｎｔａｉｎｅｄ  ｓｕｂｆｒａｍｅ）構造のように１つのサブフレーム（又は、スロット）内にダウンリンクデータ送信のためのＯＦＤＭシンボル以外に他の目的のＯＦＤＭシンボルを有する場合、サブフレームの構造によってａｄｄｉｔｉｏｎａｌ  ＤＭＲＳの設定可否及び位置が決定される。
【０２０８】
例えば、サブフレームの構造が７つのシンボルスロットである場合、ａｄｄｉｔｉｏｎａｌ  ＤＭＲＳが送信されずにｆｒｏｎｔ−ｌｏａｄ  ＤＭＲＳのみがサポートされ、サブフレームの構造が１４個のシンボルスロットで構成される場合、ｆｒｏｎｔ−ｌｏａｄ  ＤＭＲＳのみがサポートされるか、ｆｒｏｎｔ−ｌｏａｄ  ＤＭＲＳ及びａｄｄｉｔｉｏｎａｌ  ＤＭＲＳが両方ともサポートされる。
【０２０９】
具体的に、ａｄｄｉｔｉｏｎａｌ  ＤＭＲＳがマッピングされる時間軸ＯＦＤＭシンボルの位置は、ＤＬ／ＵＬスロットの構成、スロットタイプ、又はスロット構造の少なくとも１つにより決定できる。
【０２１０】
すなわち、図８に示すように、自己完結型サブフレーム構造において、ａｄｄｉｔｉｏｎａｌ  ＤＭＲＳはガード区間及びＰＵＳＣＨの領域によってマッピングされるＯＦＤＭシンボルの位置が変わることがある。
【０２１１】
例えば、自己完結型サブフレームの場合、ガード区間、ＰＵＣＣＨ及びＰＵＳＣＨの区間によってサブフレームの構造が変わることがある。
【０２１２】
このように、サブフレームの構造が変更される場合、時間領域にチャネルを補間するのにおいて、ａｄｄｉｔｉｏｎａｌ  ＤＭＲＳの時間軸位置をサブフレーム構造とは関係なく同一の位置に設定する場合は、補外（ｅｘｔｒａｐｏｌａｔｉｏｎ）の区間が長くなるため、チャネル推定性能が劣化する可能性がある。
【０２１３】
従って、時間領域に変化するチャネルを推定するために、ａｄｄｉｔｉｏｎａｌ  ＤＭＲＳは、サブフレームの構造によって可変的にＯＦＤＭシンボルにマッピングされることができる。
【０２１４】
図９は、本明細書で提案する復調参照信号のパターンの一例を示す。
【０２１５】
図９に示すように、チャネルを推定するための復調参照信号は、アンテナポートの数によって１つのシンボル又は２つのシンボルにマッピングされる。
【０２１６】
具体的には、アップリンクＤＭＲＳ及びダウンリンクＤＭＲＳは、以下の方法で生成されてリソース領域にマッピングされる。図９の（ａ）及び（ｂ）は、タイプ１に応じて物理リソースにマッピングされたアップリンク又はダウンリンクＤＭＲＳの一例を示し、図９の（ｃ）及び（ｄ）は、タイプ２に応じて物理リソースにマッピングされたアップリンク又はダウンリンクＤＭＲＳの一例を示す。
【０２１７】
アップリンクデータ又はダウンリンクデータを復調するための復調参照信号は、復調参照シーケンスをＯＦＤＭシンボルにマッピングすることにより生成される。
【０２１８】
復調参照信号シーケンスは、図１８及び図１９に示すようにマッピングタイプに応じて１つ又は２つのＯＦＤＭシンボルにマッピングされることができ、ポート多重化のためにＣＤＭ方式が適用されることができる。
【０２１９】
図１０は、本明細書で提案するＤＭＲＳポートインデクシング方法の一例を示す図である。
【０２２０】
図１０に示すように、ＤＭＲＳポートインデクシングはＤＭＲＳのマッピングタイプに応じて変わることがある。
【０２２１】
具体的に、ＤＭＲＳのマッピングタイプが前述したタイプ１である場合、ＤＭＲＳポートインデクシングは図１０の（ａ）及び以下の表１７のようである。
【０２２２】
【表１７】
2021502783.tif 000054
【０２２３】
ＤＭＲＳのマッピングタイプが前述したタイプ２である場合、ＤＭＲＳポートインデクシングは図１０の（ｂ）及び以下の表１８のようである。
【０２２４】
【表１８】
2021502783.tif 000055
【０２２５】
ＱＣＬ（Ｑｕａｓｉ−Ｃｏ  Ｌｏｃａｔｉｏｎ）
【０２２６】
アンテナポートは、アンテナポート上のシンボルが運ばれるチャネルが同一のアンテナポート上の他のシンボルが運ばれるチャネルから推論されるように定義される。１つのアンテナポート上のシンボルが運ばれるチャネルの特性（ｐｒｏｐｅｒｔｙ）が他のアンテナポート上のシンボルが運ばれるチャネルから類推できる場合、２つのアンテナポートはＱＣ／ＱＣＬ（ｑｕａｓｉ  ｃｏ−ｌｏｃａｔｅｄ又はｑｕａｓｉ  ｃｏ−ｌｏｃａｔｉｏｎ）の関係にあるといえる。
【０２２７】
ここで、前記チャネル特性は、遅延拡散（Ｄｅｌａｙ  ｓｐｒｅａｄ）、ドップラー拡散（Ｄｏｐｐｌｅｒ  ｓｐｒｅａｄ）、周波数シフト（Ｆｒｅｑｕｅｎｃｙ  ｓｈｉｆｔ）、平均受信パワー（Ａｖｅｒａｇｅ  ｒｅｃｅｉｖｅｄ  ｐｏｗｅｒ）、受信タイミング（Ｒｅｃｅｉｖｅｄ  Ｔｉｍｉｎｇ）、Ｓｐａｔｉａｌ  ＲＸ  ｐａｒａｍｅｔｅｒの１つ以上を含む。ここで、Ｓｐａｔｉａｌ  Ｒｘｐａｒａｍｅｔｅｒは、ａｎｇｌｅ  ｏｆ  ａｒｒｉｖａｌのような空間的な（受信）チャネル特性パラメータを意味する。
【０２２８】
端末は、当該端末及び与えられたサービングセル（ｓｅｒｖｉｎｇ  ｃｅｌｌ）に対して意図されたＤＣＩを有する検出されたＰＤＣＣＨによってＰＤＳＣＨをデコードするために、ｈｉｇｈｅｒ  ｌａｙｅｒ  ｐａｒａｍｅｔｅｒ  ＰＤＳＣＨ−Ｃｏｎｆｉｇ内のＭ個までのＴＣＩ−Ｓｔａｔｅ  ｃｏｎｆｉｇｕｒａｔｉｏｎのリストに設定されることができる。前記ＭはＵＥ  ｃａｐａｂｉｌｉｔｙに依存する。
【０２２９】
それぞれのＴＣＩ−Ｓｔａｔｅは、１つ又は２つのＤＬ参照信号（ｒｅｆｅｒｅｎｃｅ  ｓｉｇｎａｌ）とＰＤＳＣＨのＤＭ−ＲＳ  ｐｏｒｔの間のｑｕａｓｉｃｏ−ｌｏｃａｔｉｏｎ関係を設定するためのパラメータを含む。
【０２３０】
Ｑｕａｓｉ  ｃｏ−ｌｏｃａｔｉｏｎ関係は、１番目のＤＬ  ＲＳに対するｈｉｇｈｅｒ  ｌａｙｅｒ  ｐａｒａｍｅｔｅｒ  ｑｃｌ−Ｔｙｐｅ１と２番目のＤＬ  ＲＳに対するｑｃｌ−Ｔｙｐｅ２（設定された場合）と設定される。
【０２３１】
２つのＤＬＲＳである場合、ｒｅｆｅｒｅｎｃｅが同一のＤＬ  ＲＳであるか又は相異なるＤＬ  ＲＳであるかに関係なくＱＣＬ  ｔｙｐｅは同一ではない。
【０２３２】
各ＤＬＲＳに対応するｑｕａｓｉｃｏ−ｌｏｃａｔｉｏｎ  ｔｙｐｅは、ＱＣＬ−Ｉｎｆｏのｈｉｇｈｅｒ  ｌａｙｅｒ  ｐａｒａｍｅｔｅｒ  ｑｃｌ−Ｔｙｐｅにより与えられ、次の値のいずれか１つを取ることができる：
【０２３３】
−「ＱＣＬ−ＴｙｐｅＡ」：｛Ｄｏｐｐｌｅｒ  ｓｈｉｆｔ、Ｄｏｐｐｌｅｒ  ｓｐｒｅａｄ、ａｖｅｒａｇｅ  ｄｅｌａｙ、ｄｅｌａｙ  ｓｐｒｅａｄ｝
【０２３４】
−「ＱＣＬ−ＴｙｐｅＢ」：｛Ｄｏｐｐｌｅｒ  ｓｈｉｆｔ、Ｄｏｐｐｌｅｒ  ｓｐｒｅａｄ｝
【０２３５】
−「ＱＣＬ−ＴｙｐｅＣ」：｛Ｄｏｐｐｌｅｒ  ｓｈｉｆｔ、ａｖｅｒａｇｅ  ｄｅｌａｙ｝
【０２３６】
−「ＱＣＬ−ＴｙｐｅＤ」：｛Ｓｐａｔｉａｌ  Ｒｘ  ｐａｒａｍｅｔｅｒ｝
【０２３７】
例えば、ターゲットアンテナポート（ｔａｒｇｅｔ  ａｎｔｅｎｎａ  ｐｏｒｔ）が特定ＮＺＰ  ＣＳＩ−ＲＳである場合、当該ＮＺＰ  ＣＳＩ−ＲＳ  ａｎｔｅｎｎａ  ｐｏｒｔsはＱＣＬ−Ｔｙｐｅ  Ａの観点では特定のＴＲＳと、ＱＣＬ−Ｔｙｐｅ  Ｄの観点では特定のＳＳＢとＱＣＬされたと指示／設定されることができる。このような指示／設定を受けた端末は、ＱＣＬ−ＴｙｐｅＡ  ＴＲＳにおいて測定されたＤｏｐｐｌｅｒ、ｄｅｌａｙ値を利用して当該ＮＺＰ  ＣＳＩ−ＲＳを受信し、ＱＣＬ−ＴｙｐｅＤ  ＳＳＢ受信に使用された受信ビームを当該ＮＺＰ  ＣＳＩ−ＲＳ受信に適用することができる。
【０２３８】
ＵＥは、８つまでのＴＣＩ  ｓｔａｔｅをＤＣＩフィールド「Ｔｒａｎｓｍｉｓｓｉｏｎ  Ｃｏｎｆｉｇｕｒａｔｉｏｎ  Ｉｎｄｉｃａｔｉｏｎ」のｃｏｄｅｐｏｉｎｔにマッピングするために使用されるａｃｔｉｖａｔｉｏｎ  ｃｏｍｍａｎｄを受信する。
【０２３９】
DCIの機能の一つは、下りリンク、上りリンク、またはサイドリンクのスケジューリング情報を端末に送信するものである。端末に送信される情報に基づいて、多数のDCIフォーマットが定義されており、DCI formatは、特定の情報を転送するために、多数の端末に転送するinformationに基づいて、多数のDCI formatが定義されており、DCI formatは、特定の情報を伝達するfieldを多数定義している。
【０２４０】
基地局は、ＤＣＩのそれぞれのフィールドに相異なる情報を入れて端末に伝達する。端末は、ＰＤＣＣＨのＤＣＩフォーマットに定義されたフィールドを受信し、それをデコードしてスケジューリング情報とともに端末が行うべき動作に関する情報を受信する。
【０２４１】
端末は、これによってデータを受信するなどの動作を行うことができる。
【０２４２】
例えば、ＤＣＩフォーマット２Ｄの場合、アンテナポート、スクランブリング識別及びレイヤの数に関する情報を意味するフィールド（以下、ＤＣＩ  ｆｉｅｌｄ  １という）とＰＤＳＣＨ  ＲＥ  Ｍａｐｐｉｎｇ  ａｎｄ  Ｑｕａｓｉ−Ｃｏ−Ｌｏｃａｔｉｏｎ  Ｉｎｄｉｃａｔｏｒに対する情報を意味するフィールド（以下、ＤＣＩ  ｆｉｅｌｄ  ２という）などが定義されることができる。
【０２４３】
まず、端末は、基地局からＤＣＩ  ｆｉｅｌｄ  １の情報を受信することにより、基地局がデータ送信に使用する全体レイヤの数と該当データが送信されるポートインデックス（ｐｏｒｔ  ｉｎｄｅｘ）に関する情報を検出することができる。
【０２４４】
そして、ＤＣＩ  ｆｉｅｌｄ  ２の情報を受信することにより、ＤＣＩ  ｆｉｅｌｄ  １を介して検出したデータ送信に使用されるポートとＱＣＬ関係が成立するＣＳＩ−ＲＳリソースに関する情報を検出することができる。
【０２４５】
ＣＳＩ−ＲＳリソース情報は、上位層シグナリング（ｈｉｇｈｅｒ  ｌａｙｅｒ  ｓｉｇｎａｌｉｎｇ）を介して事前に端末に設定されてもよく、データ送信が行われるポートとＣＳＩ−ＲＳリソース間のＱＣＬ関係は、ＤＣＩシグナリングを介して端末に流動的に設定されてもよい。
【０２４６】
端末は、それぞれのＣＳＩ−ＲＳリソースに対してチャネル推定時に性能向上に役に立つチャネルの２次統計情報（例えば、遅延拡散、ドップラー拡散など）値を取得できる。
【０２４７】
従って、ＤＣＩ  ｆｉｅｌｄ  ２で指示される情報に基づいてＤＣＩ  ｆｉｅｌｄ  １を介して設定されたアンテナポートとＱＣＬ関係が成立するＣＳＩ−ＲＳリソースがどのようなものであるかを認識することができ、これに基づいて基地局と端末間のデータ送信チャネルの２次統計特性をチャネル推定段階で利用してチャネル推定性能を向上させることができる。
【０２４８】
また、ＤＣＩ  ｆｉｅｌｄ  ２で指示されるＱＣＬ情報を介してシングルＴＲＰ送信又はダブルＴＲＰ送信（例えば、Ｃｏｍｐ（ＮＣＪＴ））可否などを端末が認識できる。
【０２４９】
例えば、１つのＣＳＩ−ＲＳリソースが指示される場合、端末は、シングルＴＲＰ送信であることを仮定し、２つのＣＳＩ−ＲＳリソースが指示される場合、端末はダブルＴＲＰ送信（例えば、Ｃｏｍｐ（ＮＣＪＴ））であることを仮定する。
【０２５０】
一方、周波数領域にＣＤＭ方法により多重化されるアンテナポート間にはＱＣＬ関係が成立しなければならない場合、ＤＣＩ  ｆｉｅｌｄ  １及びＤＣＩ  ｆｉｅｌｄ間の関係に問題が発生する可能性がある。
【０２５１】
ＤＣＩ  ｆｉｅｌｄ  １において、送信レイヤの数と連関するアンテナポートのインデックスは固定されている。ここで、周波数領域にＣＤＭ方法により多重化されるアンテナポート間にはＱＣＬ関係が成立しない場合、多重化方式に対するＱＣＬ制約がないため、ＤＣＩ  ｆｉｅｌｄ  ２を介して相異なるＱＣＬ  ｉｎｄｉｃａｔｉｏｎ（例えば、シングルＴＲＰ送信／ダブルＴＲＰ送信）が可能である。
【０２５２】
前述したように、ＮＲにおいて、ＤＭＲＳはｆｒｏｎｔ−ｌｏａｄ  ＤＭＲＳとａｄｄｉｔｉｏｎａｌ  ＤＭＲＳに区別される。Ｆｒｏｎｔ−ｌｏａｄ  ＤＭＲＳは、速いデコード速度を確保するために、ＤＭＲＳをＯＦＤＭシンボル単位で定義し、ＰＤＳＣＨ又はＰＵＳＣＨを構成するＯＦＤＭシンボルのうち前側のシンボルに位置することができる。
【０２５３】
Ａｄｄｉｔｉｏｎａｌ  ＤＭＲＳは、ｆｒｏｎｔ−ｌｏａｄ  ＤＭＲＳとともにＤｏｐｐｌｅｒ  ｓｐｒｅａｄ、Ｄｏｐｐｌｅｒ  ｓｈｉｆｔなどによる時変チャネルに対して時間領域に変化するチャネルを推定するために使用される。
【０２５４】
ｆｒｏｎｔ−ｌｏａｄ  ＤＭＲＳは、構成するＯＦＤＭシンボルの数によって１−ｓｙｍｂｏｌ  ｆｒｏｎｔ−ｌｏａｄ  ＤＭＲＳと２−ｓｙｍｂｏｌ  ｆｒｏｎｔ−ｌｏａｄ  ＤＭＲＳに定義されることができ、上位層シグナリング（ｈｉｇｈｅｒ  ｌａｙｅｒ  ｓｉｇｎａｌｉｎｇ）又はダウンリンク制御情報シグナリング（Ｄｏｗｎｌｉｎｋ  Ｃｏｎｔｒｏｌ  Ｉｎｆｏｒｍａｔｉｏｎ（ＤＣＩ）  ｓｉｇｎａｌｉｎｇ）を介して端末に設定されることができる。
【０２５５】
また、ａｄｄｉｔｉｏｎａｌ  ＤＭＲＳは、１−ｓｙｍｂｏｌ  ｆｒｏｎｔ−ｌｏａｄ  ＤＭＲＳとともに定義される場合は１−ｓｙｍｂｏｌ  ａｄｄｉｔｉｏｎａｌ  ＤＭＲＳと、２−ｓｙｍｂｏｌ  ｆｒｏｎｔ−ｌｏａｄ  ＤＭＲＳとともに定義される場合は２−ｓｙｍｂｏｌ  ａｄｄｉｔｉｏｎａｌ  ＤＭＲＳといえる。
【０２５６】
前記２つのａｄｄｉｔｉｏｎａｌ  ＤＭＲＳに対して定義可能な個数及び位置は、下記の表１７及び表１８のように定義されることができる。
【０２５７】
表１９は、１−ｓｙｍｂｏｌ  ａｄｄｉｔｉｏｎａｌ  ＤＭＲＳの一例を示す表である（０番目のシンボルから開始）。
【０２５８】
【表１９】
2021502783.tif 000056
【０２５９】
表２０は、２−ｓｙｍｂｏｌ  ａｄｄｉｔｉｏｎａｌ  ＤＭＲＳの一例を示す表である（０番目のシンボルから開始）。
【０２６０】
【表２０】
2021502783.tif 000057
【０２６１】
表１９及び表２０の場合、ｆｒｏｎｔ−ｌｏａｄ  ＤＭＲＳがスロット内の２番目、３番目（０番目から開始）のＯＦＤＭシンボルに位置する場合に全て適用される。しかしながら、Ｔｈｒｅｅ  １−ｓｙｍｂｏｌ  ａｄｄｉｔｉｏｎａｌ  ＤＭＲＳの場合、ｆｒｏｎｔ−ｌｏａｄ  ＤＭＲＳがスロット内の２番目のＯＦＤＭシンボルに位置する場合にのみ表１７に示す位置にＤＭＲＳが設定されることができ、３番目のＯＦＤＭシンボルにｆｒｏｎｔ−ｌｏａｄ  ＤＭＲＳが位置する場合、ＤＭＲＳの位置が定義されていない。
【０２６２】
従って、本発明は、ｔｈｒｅｅ  １−ｓｙｍｂｏｌ  ａｄｄｉｔｉｏｎａｌ  ＤＭＲＳの場合、ｆｒｏｎｔ−ｌｏａｄ  ＤＭＲＳの位置によってａｄｄｉｔｉｏｎａｌ  ＤＭＲＳの位置を設定する方法を提案する。
【０２６３】
以下に説明される実施形態は、説明の便宜のために区分されたものに過ぎず、ある実施形態の一部構成や特徴は他の実施形態に含まれることができ、又は他の実施形態に対応する構成又は特徴と交替されることができる。
【０２６４】
例えば、以下、第１実施形態で説明されるａｄｄｉｔｉｏｎａｌ  ＤＭＲＳの位置の設定に関する内容は、本明細書の多様な実施形態に対して共通的に適用されることもできる。
【０２６５】
以下、本発明において、ＤＭＲＳの個数はＤＭＲＳがマッピングされるＯＦＤＭシンボル個数と解釈されてもよい。
【０２６６】
＜実施形態１＞
【０２６７】
図１１は、本明細書で提案する追加的に設定される復調参照信号の個数に応じて復調参照信号のマッピング方法の一例を示す図である。
【０２６８】
図１１に示すように、Ａｄｄｉｔｉｏｎａｌ  ＤＭＲＳが特定個数以上のＯＤＦＭシンボルにマッピングされて端末に設定される場合、Ａｄｄｉｔｉｏｎａｌ  ＤＭＲＳの位置はｆｒｏｎｔ−ｌｏａｄ  ＤＭＲＳの位置によって変更される。
【０２６９】
具体的に、ａｄｄｉｔｉｏｎａｌ  ＤＭＲＳの個数が特定個数（例えば、３つ）以上に端末に設定される場合、ｆｒｏｎｔ−ｌｏａｄ  ＤＭＲＳがマッピングされるＯＦＤＭシンボルの位置によってａｄｄｉｔｉｏｎａｌ  ＤＭＲＳの位置が変更されて端末に設定される。
【０２７０】
ここで、端末にデータを送受信するために設定される特定の時間領域（例えば、スロット）内においてｆｒｏｎｔ−ｌｏａｄ  ＤＭＲＳとａｄｄｉｔｉｏｎａｌ  ＤＭＲＳがともに設定されることができ、ｆｒｏｎｔ−ｌｏａｄ  ＤＭＲＳの位置が相異なるように設定される場合、ａｄｄｉｔｉｏｎａｌ  ＤＭＲＳがマッピングされるＯＦＤＭシンボルの位置も変更されて設定されることができる。
【０２７１】
例えば、ｆｒｏｎｔ−ｌｏａｄ  ＤＭＲＳの位置が変更される変化量（例えば、ＯＦＤＭシンボルの個数）によって、ａｄｄｉｔｉｏｎａｌ  ＤＭＲＳの位置も同一の変化量の分だけ位置が変更されて設定される。
【０２７２】
実施形態１において、「ａｄｄｉｔｉｏｎａｌ  ＤＭＲＳの個数が特定個数以上に端末に設定される場合」は、時間領域においてＤＭＲＳの密度が高い場合と解釈される。また、ｆｒｏｎｔ−ｌｏａｄ  ＤＭＲＳ及びａｄｄｉｔｉｏｎａｌ  ＤＭＲＳは分離して呼ばずに、全てＤＭＲＳと通称することができる。
【０２７３】
従って、実施形態１は、時間領域においてＤＭＲＳパターンの密度が高い場合、ＤＭＲＳがマッピングされるＤＭＲＳパターンを設定するための方法と解釈することもできる。
【０２７４】
実施形態１を利用してｆｒｏｎｔ−ｌｏａｄ  ＤＭＲＳ及びａｄｄｉｔｉｏｎａｌ  ＤＭＲＳのＤＭＲＳパターンを端末に設定する場合、事前に定義されたシグナル（例えば、物理層シグナル又は上位層シグナル）を介して基地局が端末にＤＭＲＳパターンを知らせるための規則が定義されるか、基地局と端末間にｆｒｏｎｔ−ｌｏａｄ  ＤＭＲＳのマッピングによるａｄｄｉｔｉｏｎａｌ  ＤＭＲＳのＤＭＲＳパターンが固定されて適用されることができる。
【０２７５】
実施形態１は、ｆｒｏｎｔ−ｌｏａｄ  ＤＭＲＳがマッピングされるＯＦＤＭシンボルの位置変化によるａｄｄｉｔｉｏｎａｌ  ＤＭＲＳがマッピングされるＯＦＤＭシンボルの位置設定方法であるが、これはまた、ＰＤＣＣＨが設定されるＯＦＤＭシンボルの領域によるＤＭＲＳパターンの設定方法として適用されることができる。
【０２７６】
例えば、ＰＤＣＣＨが設定できる領域が最大２つのＯＦＤＭシンボルである場合と最大３つのＯＦＤＭシンボルである場合、ＤＭＲＳの視覚領域密度によるＤＭＲＳパターンの設定方式にも適用されることができる。
【０２７７】
実施形態１においては、ｆｒｏｎｔ−ｌｏａｄ  ＤＭＲＳの位置が変更される変化量によってａｄｄｉｔｉｏｎａｌ  ＤＭＲＳの位置を変更する方法について説明したが、これは、下記のような方法に適用されることができる。
【０２７８】
−ａｄｄｉｔｉｏｎａｌ  ＤＭＲＳの個数が特定個数以上端末に設定される場合、補外（ｅｘｔｒａｐｏｌａｔｉｏｎ）を行うＯＦＤＭシンボルの数は特定個数（例えば、１つ）以下に設定されることができる。
【０２７９】
−ａｄｄｉｔｉｏｎａｌ  ＤＭＲＳの個数が特定の個数以上端末に設定される場合、補外（ｅｘｔｒａｐｏｌａｔｉｏｎ）を行うＯＦＤＭシンボルの数より補間（ｉｎｔｅｒｐｏｌａｔｉｏｎ）を行うＯＦＤＭシンボルの数が小さいか等しくなるようにＤＭＲＳの位置が設定されることができる。
【０２８０】
ここで、補外（ｅｘｔｒａｐｏｌａｔｉｏｎ）は、ＤＭＲＳがマッピングされるＯＦＤＭシンボルの外側に位置するＯＦＤＭシンボルを意味し得る。すなわち、補外（ｅｘｔｒａｐｏｌａｔｉｏｎ）を行うＯＦＤＭシンボルの数は、１番目のＤＭＲＳより前のＯＦＤＭシンボルの数又は最後のＤＭＲＳより後のＯＦＤＭシンボルの数を意味し得る。また、補間（ｉｎｔｅｒｐｏｌａｔｉｏｎ）は、ＤＭＲＳがマッピングされるＯＦＤＭシンボルの内側に位置するＯＦＤＭシンボルを意味し得る。すなわち、補間（Ｉｎｔｅｒｐｏｌａｔｉｏｎ）を行うＯＦＤＭシンボルの数は、ＤＭＲＳ間に位置するＯＦＤＭシンボルの数を意味し得る。
【０２８１】
図１１の（ａ）及び（ｂ）は、ｆｒｏｎｔ−ｌｏａｄ  ＤＭＲＳ位置に関係なく、ａｄｄｉｔｉｏｎａｌ  ＤＭＲＳの位置が固定される設定方法の一例を示す。
【０２８２】
図１１の（ａ）及び（ｂ）において、ｆｒｏｎｔ−ｌｏａｄ  ＤＭＲＳが２番シンボルから３番シンボルに移動するにつれて、３番と５番シンボルに位置したＤＭＲＳ間隔が狭くなるのに対して、最後のＤＭＲＳが１１番シンボルに位置して補外（ｅｘｔｒａｐｏｌａｔｉｏｎ）の区間が２つのシンボルとして長い。
【０２８３】
このように、ａｄｄｉｔｉｏｎａｌ  ＤＭＲＳの個数が３に設定される場合にａｄｄｉｔｉｏｎａｌ  ＤＭＲＳの位置をｆｒｏｎｔ−ｌｏａｄ  ＤＭＲＳの位置と関係なく固定させると、図１１の（ａ）及び（ｂ）に示すようにｆｒｏｎｔ−ｌｏａｄ  ＤＭＲＳの位置が変わる場合、ｆｒｏｎｔ−ｌｏａｄ  ＤＭＲＳと１番目のａｄｄｉｔｉｏｎａｌ  ＤＭＲＳの間隔より補外（ｅｘｔｒａｐｏｌａｔｉｏｎ）領域がより大きく設定され、補外（ｅｘｔｒａｐｏｌａｔｉｏｎ）領域においてチャネルの時変によりチャネル推定性能が劣化される可能性がある。
【０２８４】
Ａｄｄｉｔｉｏｎａｌ  ＤＭＲＳの個数が３に設定される場合は非常に高速の端末のサポートが目的であるので、チャネルの時変によるチャネル推定がもっと重要であり、従って、これを適切に推定できる最適化したＤＭＲＳのＯＦＤＭシンボル位置が考慮されなければならない。
【０２８５】
従って、図１１の（ｃ）及び（ｄ）に示すようにｆｒｏｎｔ−ｌｏａｄ  ＤＭＲＳの位置が変更された場合、ａｄｄｉｔｉｏｎａｌ  ＤＭＲＳの位置もこれによってともに変更することにより補外（ｅｘｔｒａｐｏｌａｔｉｏｎ）領域においてチャネルの時変によりチャネル推定性能を向上させることができる。
【０２８６】
すなわち、図１１の（ｃ）及び（ｄ）において、ｆｒｏｎｔ−ｌｏａｄ  ＤＭＲＳが２番シンボルから３番シンボルに移動すると、ａｄｄｉｔｉｏｎａｌ  ＤＭＲＳもそれぞれ１つのＯＦＤＭシンボルの分だけを移動されて設定されることができる。
【０２８７】
この場合、補間（Ｉｎｔｅｒｐｏｌａｔｉｏｎ）領域を同一に維持しながら補外（ｅｘｔｒａｐｏｌａｔｉｏｎ）領域を減らすことができるため、チャネルの時変推定性能を向上させる効果がある。
【０２８８】
＜実施形態１−２＞
【０２８９】
ＰＤＣＣＨが設定できる領域が最大３つのＯＦＤＭシンボル以上に設定されてＰＤＣＣＨが設定される領域以後にｆｒｏｎｔ−ｌｏａｄ  ＤＭＲＳの位置を設定する場合、基地局はａｄｄｉｔｉｏｎａｌ  ＤＭＲＳの最大設定個数を特定個数ｘ（例えば、２つ）のシンボルまでは端末に設定することができる。
【０２９０】
ｘは、ＰＤＣＣＨが設定できる領域が最大２つのＯＦＤＭシンボル以下に設定されて設定された領域以後にｆｒｏｎｔ−ｌｏａｄ  ＤＭＲＳの位置を設定する場合、設定できる最大ａｄｄｉｔｉｏｎａｌ  ＤＭＲＳの個数ｙ（例えば、３）より小さいか等しい値に設定されることができる。
【０２９１】
ここで、ＰＤＣＣＨが設定できる領域によってスロット内でデータを送信できる領域が変わることがある。ＰＤＣＣＨが設定できる領域が大きいということは、逆にデータを送信する領域が小さくなることを意味する。
【０２９２】
この場合、ａｄｄｉｔｉｏｎａｌ  ＤＭＲＳによるＲＳオーバーヘッドの増加が大きくなることがある。従って、ＰＤＣＣＨが設定できる領域のサイズに応じて設定できるａｄｄｉｔｉｏｎａｌ  ＤＭＲＳの数を異なるようにすることにより、ＲＳオーバーヘッドが過度に大きくなることを防止することができる。
【０２９３】
また、実施形態１−２を利用する場合、基地局と端末間に定義できるＤＭＲＳパターンの数を減少させることにより、端末の実現複雑度を減らすことができる効果がある。
【０２９４】
＜実施形態１−３＞
【０２９５】
図１２は、本明細書で提案する追加的に設定される復調参照信号の個数に応じて復調参照信号をマッピングする方法のまた他の一例を示す図である。
【０２９６】
図１２に示すように、ａｄｄｉｔｉｏｎａｌ  ＤＭＲＳの個数が特定個数ｘ（例えば、３）以上に端末に設定される場合、最後のａｄｄｉｔｉｏｎａｌ  ＤＭＲＳの位置はデータ送信として設定されたＯＦＤＭシンボルのうち最後のシンボルに送信されるように設定される。
【０２９７】
具体的に、図１３に示すように、Ａｄｄｉｔｉｏｎａｌ  ＤＭＲＳの数が「ｘ」以上に設定される場合は、非常に高速の端末のサポートが目的であり得る。
【０２９８】
従って、この場合、チャネルの時変推定がさらに重要であり、これを適切に推定できる最適化したＤＭＲＳのＯＦＤＭシンボルの位置が考慮されなければならない。
【０２９９】
従って、チャネル推定性能の劣化にさらに大きな影響を与える補外（ｅｘｔｒａｐｏｌａｔｉｏｎ）を行わないようにするために、最後のａｄｄｉｔｉｏｎａｌ  ＤＭＲＳの位置をデータ送信として設定されたＯＦＤＭシンボルのうち最後のシンボルに設定して、補外（ｅｘｔｒａｐｏｌａｔｉｏｎ）領域が発生しないようにする。
【０３００】
実施形態１−３の場合、補外（ｅｘｔｒａｐｏｌａｔｉｏｎ）領域が発生しないようにａｄｄｉｔｉｏｎａｌ  ＤＭＲＳの位置を設定するので、補外（ｅｘｔｒａｐｏｌａｔｉｏｎ）領域においてチャネルの時変によりチャネル推定性能の劣化を防止できる効果がある。
【０３０１】
実施形態１ないし１−３は、本発明の実現方法の１つとして含まれることができるので、一種の提案方式とみなすことができることは明白な事実である。また、前述した実施形態１ないし１−３の方式は、独立に実現されることもできるが、一部の提案方式の組み合わせ（又は、併合）の形態で実現されることもできる。
【０３０２】
前記提案方法の適用可否のための情報（又は、前記提案方法の規則に関する情報）は、基地局が端末に又は送信端末が受信端末に事前に定義されたシグナル（例えば、物理層シグナル又は上位層シグナル）を介して知らせるように規則が定義されることができる。
【０３０３】
前記提案の特定例示において、ＤＬ又はＵＬに対する場合のみを図示した場合にも、ＤＬ又はＵＬに技術適用を限定すると明示しない場合、本提案はＤＬ／ＵＬの全ての場合に対して適用が可能であることは自明である。
【０３０４】
また、提案方式がアップリンク、又はダウンリンク通信にのみ制限されるものではなく、端末間の直接通信、基地局、車両、中継ノード（ｒｅｌａｙ  ｎｏｄｅ）などにおいても前記提案した方法が適用できる。
【０３０５】
与えられたスロットフォーマットにおいて送信されたＤＭＲＳの実質的な個数及び位置（The actual number and location of transmitted DMRS in a given slot format）
【０３０６】
１−ｓｙｍｂｏｌ  ｆｒｏｎｔ−ｌｏａｄ  ＤＭＲＳ及び２−ｓｙｍｂｏｌ  ａｄｄｉｔｉｏｎａｌ  ＤＭＲＳは、前述した表１９及び表２０のようにそれぞれその位置が定義されることができる。
【０３０７】
表１９及び表２０のように、ａｄｄｉｔｉｏｎａｌ  ＤＭＲＳの個数によって定義できる最後のＰＤＳＣＨの位置（Ｐｏｓｉｔｉｏｎ  ｏｆ  ｔｈｅ  ｌａｓｔ  ＰＤＳＣＨ）は異なる可能性がある。ここで、最後のＰＤＳＣＨの位置は、ダウンリンク共有チャネルの最後のシンボルに関するシンボル情報を意味し得る。
【０３０８】
すなわち、最後のＰＤＳＣＨの位置は、ダウンリンクデータが送信できる最後のＯＦＤＭシンボルの位置を意味するか、データの送信のためのＰＤＳＣＨの区間（ｄｕｒａｔｉｏｎ）を意味し得る。
【０３０９】
表１９及び表２０において、Ｎ／Ａに対応する部分はＲＳオーバーヘッドなどの問題によりＤＭＲＳパターンが定義されていない部分を示す。
【０３１０】
表１９及び表２０において、シンボル情報である「Ｐｏｓｉｔｉｏｎ  ｏｆ  ｌａｓｔ  ＰＤＳＣＨ  ｓｙｍｂｏｌ」は端末にＤＣＩを介して動的（ｄｙｎａｍｉｃ）に設定されることができ、設定されるａｄｄｉｔｉｏｎａｌ  ＤＭＲＳの個数は上位層シグナリング（例えば、ＲＲＣシグナリング）を介して端末に設定されることができる。
【０３１１】
ここで、上位層シグナリングを介して設定されたａｄｄｉｔｉｏｎａｌ  ＤＭＲＳの個数が流動的に設定された「Ｐｏｓｉｔｉｏｎ  ｏｆ  ｌａｓｔ  ＰＤＳＣＨ  ｓｙｍｂｏｌ」において定義できない場合、すなわち、表１９及び表２０においてＮ／Ａに対応する部分に対する基地局と端末間の動作が定義される必要性が存在する。
【０３１２】
従って、以下、上位層シグナリングを介して設定されたａｄｄｉｔｉｏｎａｌ  ＤＭＲＳの個数が流動的に設定されたＰｏｓｉｔｉｏｎ  ｏｆ  ｌａｓｔ  ＰＤＳＣＨ  ｓｙｍｂｏｌ（以下、シンボル情報という）シンボル情報において定義できない場合、端末と基地局間の動作を提案する。
【０３１３】
＜実施形態２＞
【０３１４】
基地局は、上位層シグナリングを介して半静的（ｓｅｍｉ−ｓｔａｔｉｃ）に端末に設定されたａｄｄｉｔｉｏｎａｌ  ＤＭＲＳ個数がサポートできるシンボル情報のうち特定値を端末に設定できる。
【０３１５】
例えば、表１９及び表２０において、ｏｎｅ  １−ｓｙｍｂｏｌ  ａｄｄｉｔｉｏｎａｌ  ＤＭＲＳの場合、シンボル情報が８ｔｈ、９ｔｈ、１０ｔｈ、１１ｔｈ、１２ｔｈ、１３ｔｈに該当する値の１つの値を定義されていないＮ／Ａ値に設定することができる。
【０３１６】
また、Ｔｗｏ  １−ｓｙｍｂｏｌ  ａｄｄｉｔｉｏｎａｌ  ＤＭＲＳの場合、シンボル情報が９ｔｈ、１０ｔｈ、１１ｔｈ、１２ｔｈ、１３ｔｈに該当する値の１つの値を定義されていないＮ／Ａ値に設定することができる。
【０３１７】
すなわち、基地局は、上位層シグナリングを介して定義されている値の１つの値を定義されていないＮ／Ａ値に端末に設定することができる。
【０３１８】
このような方法を用いる場合、端末は、上位層シグナリングにより設定されたａｄｄｉｔｉｏｎａｌ  ＤＭＲＳの個数においてサポートできないシンボル情報が基地局から設定されないことを仮定することができるので、当該場合のために別途の動作を定義しなくてもよく、これによる複雑度が減少する。
【０３１９】
また、以下のように上位層シグナリングにより端末に設定されたａｄｄｉｔｉｏｎａｌ  ＤＭＲＳの個数が定義されないシンボル情報が端末に設定されるように基地局と端末間に動作が定義されることができる。
【０３２０】
すなわち、上位層を介して端末に設定されたａｄｄｉｔｉｏｎａｌ  ＤＭＲＳ個数がサポートされないシンボル情報は、大部分データチャネルに割り当てられたＯＦＤＭシンボルが少ない場合に該当されることができる。
【０３２１】
この場合、同一のａｄｄｉｔｉｏｎａｌ  ＤＭＲＳ数が設定されてもＲＳオーバーヘッドがより大きいため、ＲＳオーバーヘッドを減少させるためにさらに少ない数のａｄｄｉｔｉｏｎａｌ  ＤＭＲＳに流動的にスイッチングする方法が適用されることができる。
【０３２２】
このような方法を使用する場合、データチャネルに割り当てられたＯＦＤＭシンボル数が少ないため、より少ない数のａｄｄｉｔｉｏｎａｌ  ＤＭＲＳを利用してもチャネルの時変を推定することができる。
【０３２３】
＜実施形態３＞
【０３２４】
図１３は、本明細書で提案する最大個数より小さい数の復調参照が設定される場合、復調参照信号をマッピングする方法の一例を示す図である。
【０３２５】
図１３に示すように、上位層シグナリングにより設定されたａｄｄｉｔｉｏｎａｌ  ＤＭＲＳの個数をサポートできない場合、シンボル情報による最後のＯＦＤＭシンボル以後に定義されるａｄｄｉｔｉｏｎａｌ  ＤＭＲＳは送信されないこともある。
【０３２６】
具体的に、上位層シグナリングにより設定されたａｄｄｉｔｉｏｎａｌ  ＤＭＲＳ個数をサポートできない場合、すなわち、シンボル情報により定義されたＰＤＳＣＨの最後のＯＦＤＭシンボル位置がａｄｄｉｔｉｏｎａｌ  ＤＭＲＳの最後の位置より以前のシンボルである場合、最後のａｄｄｉｔｉｏｎａｌ  ＤＭＲＳは送信されないことがある。
【０３２７】
例えば、上位層シグナリングによりａｄｄｉｔｉｏｎａｌ  ＤＭＲＳの個数が３つに設定され、それぞれ５ｔｈ、８ｔｈ、１１ｔｈのＯＦＤＭシンボルに位置する場合、図１３の（ａ）に示すように、シンボル情報により最後のＰＤＳＣＨの位置が１３ｔｈのＯＦＤＭシンボルであると、設定されたａｄｄｉｔｉｏｎａｌ  ＤＭＲＳは全て送信されることができる。しかしながら、図１３の（ｂ）に示すように、シンボル情報により最後のＰＤＳＣＨの位置が１０ｔｈのＯＦＤＭシンボルであると、１１ｔｈのＯＦＤＭシンボルのａｄｄｉｔｉｏｎａｌ  ＤＭＲＳは送信されない。
【０３２８】
下記の表２１は、１−ｓｙｍｂｏｌ  ａｄｄｉｔｉｏｎａｌ  ＤＭＲＳの場合の一例を示す。
【０３２９】
【表２１】
2021502783.tif 000058
【０３３０】
前記表２１に示すように、表１９及び表２０においてＮ／Ａであった値が特定値と定義されることができる。
【０３３１】
ここで、特定値は明確な値に定義されるか、特定条件に該当する場合、当該規則に従って端末と基地局が動作するように定義されることができる。
【０３３２】
＜実施形態４＞
【０３３３】
図１４及び図１５は、本明細書で提案する最大個数より小さい数の復調参照が設定される場合、復調参照信号をマッピングする方法のまた他の一例を示す図である。
【０３３４】
図１４及び図１５に示すように、上位層シグナリングにより設定されるａｄｄｉｔｉｏｎａｌ  ＤＭＲＳの個数をサポートすることができない場合、シンボル情報によって定義できる最大個数のａｄｄｉｔｉｏｎａｌ  ＤＭＲＳの個数の位置にａｄｄｉｔｉｏｎａｌ  ＤＭＲＳが送信されることができる。
【０３３５】
具体的に、基地局から端末に送信される上位層シグナリングにより設定されるａｄｄｉｔｉｏｎａｌ  ＤＭＲＳの個数はシンボル情報により設定されるシンボル数に応じてサポートされないことがある。
【０３３６】
例えば、表１７において上位層シグナリングにより設定されるａｄｄｉｔｉｏｎａｌ  ＤＭＲＳの個数が３つである場合、ａｄｄｉｔｉｏｎａｌ  ＤＭＲＳは５ｔｈ、８ｔｈ、１１ｔｈのＯＦＤＭシンボルにマッピングされて送信される。
【０３３７】
しかしながら、ＤＣＩのシンボル情報により最後のＰＤＳＣＨの位置が９ｔｈのＯＦＤＭシンボルより小さいＯＦＤＭシンボルに設定されるか、ＰＤＳＣＨがマッピングされるシンボルの個数が９つより小さい個数に設定される場合、１１ｔｈのＯＦＤＭシンボルにマッピングされたａｄｄｉｔｉｏｎａｌ  ＤＭＲＳは送信できない。
【０３３８】
この場合、ａｄｄｉｔｉｏｎａｌ  ＤＭＲＳは最大２つのＯＦＤＭシンボルにおいて送信されることができ、ここで、ａｄｄｉｔｉｏｎａｌ  ＤＭＲＳが送信されるＯＦＤＭシンボルの位置は上位層シグナリングにより設定されるａｄｄｉｔｉｏｎａｌ  ＤＭＲＳの個数が２である場合のＯＦＤＭシンボルの位置の６ｔｈ、９ｔｈのＯＦＤＭシンボルであり得る。
【０３３９】
すなわち、上位層シグナリングによりＴｈｒｅｅ  １−ｓｙｍｂｏｌ  ａｄｄｉｔｉｏｎａｌ  ＤＭＲＳに設定され、ＤＣＩを介してシンボル情報が７ｔｈのＯＦＤＭシンボル又はＰＤＳＣＨがマッピングされるシンボルの個数が７つに設定される場合、Ａｄｄｉｔｉｏｎａｌ  ＤＭＲＳがマッピングされるＯＦＤＭシンボルの位置は上位層シグナリングによりＴｗｏ  １−ｓｙｍｂｏｌ  ａｄｄｉｔｉｏｎａｌ  ＤＭＲＳに設定される場合のａｄｄｉｔｉｏｎａｌ  ＤＭＲＳの位置と同一であり得る。
【０３４０】
言い換えると、上位層シグナリングにより設定されたダウンリンクデータを復調するためのａｄｄｉｔｉｏｎａｌ  ＤＭＲＳがマッピングされるシンボルの最大個数より小さい数に少なくとも１つのａｄｄｉｔｉｏｎａｌ  ＤＭＲＳがマッピングされる場合、少なくとも１つのａｄｄｉｔｉｏｎａｌ  ＤＭＲＳは、前記小さい個数をａｄｄｉｔｉｏｎａｌ  ＤＭＲＳがマッピングされるシンボルの最大個数として有するａｄｄｉｔｉｏｎａｌ  ＤＭＲＳのマッピング位置と同一の位置のシンボルにマッピングされることができる。
【０３４１】
下記の表２２は、１−ｓｙｍｂｏｌ  ａｄｄｉｔｉｏｎａｌ  ＤＭＲＳの場合の一例を示す。
【０３４２】
【表２２】
2021502783.tif 000059
【０３４３】
図１４の（ａ）に示すように、上位層シグナリングによりＴｈｒｅｅ  １−ｓｙｍｂｏｌ  ａｄｄｉｔｉｏｎａｌ  ＤＭＲＳに設定され、ＤＣＩを介してシンボル情報の最後のＰＤＳＣＨの位置が１２ｔｈに設定されるか、ＰＤＳＣＨの区間が１３に設定されると、ａｄｄｉｔｉｏｎａｌ  ＤＭＲＳは、表１９及び表２２のように５ｔｈ、８ｔｈ、１１ｔｈのＯＦＤＭシンボルにおいて送信されることができる。
【０３４４】
しかしながら、図１４の（ｂ）に示すように、上位層シグナリングによりＴｈｒｅｅ  １−ｓｙｍｂｏｌ  ａｄｄｉｔｉｏｎａｌ  ＤＭＲＳに設定され、ＤＣＩを介してシンボル情報の最後のＰＤＳＣＨの位置が１０ｔｈに設定されるか、ＰＤＳＣＨの区間が１１に設定されると、１１ｔｈのＯＦＤＭシンボルにマッピングされなければならないａｄｄｉｔｉｏｎａｌ  ＤＭＲＳは送信できない。
【０３４５】
従って、この場合、Ｔｗｏ  １−ｓｙｍｂｏｌ  ａｄｄｉｔｉｏｎａｌ  ＤＭＲＳにおいてａｄｄｉｔｉｏｎａｌ  ＤＭＲＳがマッピングされるシンボルの位置と同一の位置である６ｔｈ、９ｔｈのＯＦＤＭシンボルにおいてａｄｄｉｔｉｏｎａｌ  ＤＭＲＳが送信されることができる。
【０３４６】
実施形態４により、上位層シグナリングを介して半静的（ｓｅｍｉ−ｓｔａｔｉｃ）に端末に設定できる最大ａｄｄｉｔｉｏｎａｌ  ＤＭＲＳの個数を設定し、ＤＣＩを介して実際に端末に送信されるａｄｄｉｔｉｏｎａｌ  ＤＭＲＳの数を設定することができる。
【０３４７】
すなわち、端末に上位層シグナリングにより設定されるａｄｄｉｔｉｏｎａｌ  ＤＭＲＳの個数は、端末に設定できるａｄｄｉｔｉｏｎａｌ  ＤＭＲＳ個数の最大値として定義されることができる。また、ＤＣＩを介して実際に端末に送信されるａｄｄｉｔｉｏｎａｌ  ＤＭＲＳの数及び位置を設定することができる。
【０３４８】
ここで、特定のＤＣＩフィールドを介して直接的に端末にａｄｄｉｔｉｏｎａｌ  ＤＭＲＳの数及び位置を設定するか、シンボル情報のように流動的に設定される他の情報からａｄｄｉｔｉｏｎａｌ  ＤＭＲＳの数及び位置が設定されるように特定の規則が設定されることができる。
【０３４９】
このような方法を用いる場合、流動的に端末に設定されるシンボル情報に最も適したＤＭＲＳパターンを設定できる効果がある。
【０３５０】
例えば、実施形態３の場合は、任意のＤＭＲＳシンボルを送信しない方法であるため、シンボル情報に最も適合したＤＭＲＳパターンとは言えないが、実施形態４の場合、当該シンボル情報においてａｄｄｉｔｉｏｎａｌ  ＤＭＲＳの特定個数を考慮して設定されたパターンであるので、最も適合したＤＭＲＳパターンが設定されたといえる。
【０３５１】
また、ＤＬで３つのａｄｄｉｔｉｏｎａｌ  ＤＭＲＳを有する複数の端末をサービスするスロットにおいてｌｏｎｇ  ＰＵＣＣＨ、ｓｈｏｒｔ  ＰＵＣＣＨ又はＳＲＳなどを多重化する場合、スケジューリング柔軟性（ｆｌｅｘｉｂｉｌｉｔｙ）を向上させることができる効果がある。
【０３５２】
また、ＭＵ−ＭＩＭＯ環境での柔軟性を向上させることができる。例えば、端末１及び２が上位層シグナリングによりそれぞれ相異なるａｄｄｉｔｉｏｎａｌ  ＤＭＲＳの数が設定された場合にも流動的に設定される特定のシンボル情報において当該端末のＭｕ−ｐａｒｉｎｇを可能にすることができるため、セルスループット（ｔｈｒｏｕｇｈｐｕｔ）を向上させることができる効果がある。
【０３５３】
この場合、シンボル情報によってａｄｄｉｔｉｏｎａｌ  ＤＭＲＳの数が減少することはあるが、増加することはできず、特定のシンボル情報においてＭＵ−ＭＩＭＯの柔軟性を増加させるために、１ｂｉｔのＤＣＩ情報を介して上位層シグナリングに設定されたａｄｄｉｔｉｏｎａｌ  ＤＭＲＳの数より１段階多い数のａｄｄｉｔｉｏｎａｌ  ＤＭＲＳが設定されるようにすることができる。
【０３５４】
ここで、前記特定個数は、明確な値が定義されるか、特定条件で特定規則に従って端末と基地局が動作するように定義されることができる。
【０３５５】
実施形態４においてシンボル情報である最後のＰＤＳＣＨシンボルの位置又はＰＤＳＣＨの区間は基地局から端末に設定されることができる。ここで、基地局が端末に事前に定義されたシグナル（例えば、物理層シグナル又は上位層シグナル）により知らせることができるように定義される。
【０３５６】
ここで、最後のＰＤＳＣＨシンボルの位置又はＰＤＳＣＨの区間の値は、基地局が明確な値を直接知らせるか、端末に設定される他の値により基地局と端末間に事前に約束された規則に従って暗黙的に知らせることができる。
【０３５７】
例えば、基地局は、ＰＤＳＣＨの開始シンボルのインデックス、及びＰＤＳＣＨの区間（ｄｕｒａｔｉｏｎ）をＤＣＩシグナリングにより設定することができ、端末は、ＰＤＳＣＨの開始シンボルのインデックス、及びＰＤＳＣＨの区間（ｄｕｒａｔｉｏｎ）に基づいて最後のＰＤＳＣＨシンボルの位置を暗黙的に認識することができる。
【０３５８】
前述した実施形態１ないし実施形態４は、独立的に実現されることもできるが、一部実施形態の組み合わせ（又は、併合）の形態で実現されることもできる。
【０３５９】
実施形態１ないし４の適用可否を指示するための情報（又は、前記実施形態の規則に関する情報）は、基地局が端末に事前に定義されたシグナル（例えば、物理層シグナル又は上位層シグナル）を介して端末に知らせることができる。例えば、基地局は、事前に定義されたシグナルを介して実施形態１ないし４のうち適用される方式を端末に知らせることができる。
【０３６０】
下記の表２３及び図１５は、実施形態１ないし４のうち実施形態３及び４が適用された一例を示す。
【０３６１】
【表２３】
2021502783.tif 000060
【０３６２】
図１５の（ａ）は、上位層シグナリングにより設定されたａｄｄｉｔｉｏｎａｌ  ＤＭＲＳの個数を全てサポート可能な場合を示す。
【０３６３】
しかしながら、図１５の（ａ）及び（ｂ）は、上位層シグナリングにより設定されたａｄｄｉｔｉｏｎａｌ  ＤＭＲＳの個数を全てサポートできない場合の一例を示す。
【０３６４】
この場合、図１５の（ｂ）は、実施形態４の方法が適用されて表２１によって６ｔｈ、９ｔｈのＯＦＤＭシンボルにおいてａｄｄｉｔｉｏｎａｌ  ＤＭＲＳが送信され、図１５の（ｃ）は、実施形態３の方法が適用されて表２１によって５ｔｈ、８ｔｈのＯＦＤＭシンボルでａｄｄｉｔｉｏｎａｌ  ＤＭＲＳが送信される。
【０３６５】
前記提案の特定例示において、ＤＬ又はＵＬに対する場合のみを示す場合にも、ＤＬ又はＵＬに技術適用を限定すると明示しない場合、本提案はＤＬ／ＵＬの全ての場合に対して適用可能であることは自明である。
【０３６６】
また、提案方式がアップリンク又はダウンリンク通信にのみ制限されることではなく、端末間の直接通信、基地局、車両、中継ノード（ｒｅｌａｙ  ｎｏｄｅ）などにおいても前記提案した方法が適用されることができる。
【０３６７】
ホッピングなしにＰＵＳＣＨのために送信されたＤＭＲＳの実際個数及び位置（The actual number and location of transmitted DMRS for PUSCH without hopping）
【０３６８】
周波数ホッピング（Ｆｒｅｑｕｅｎｃｙ  ｈｏｐｐｉｎｇ）を行わないＰＵＳＣＨに対するｆｒｏｎｔ−ｌｏａｄ  ＤＭＲＳの位置は以下の通りである。また、ｆｒｏｎｔ−ｌｏａｄ  ＤＭＲＳがスロットの３ｒｄ又は４ｔｈのシンボルに位置する場合、ａｄｄｉｔｉｏｎａｌ  ＤＭＲＳの位置も下記のようである。
【０３６９】
−スケジュールされたデータに関する第１ＯＦＤＭシンボルはｆｒｏｎｔ−ｌｏａｄ  ＵＬ  ＤＭＲＳを含む。
【０３７０】
−スロットの３ｒｄ又は４ｔｈのシンボルはｆｒｏｎｔ−ｌｏａｄ  ＤＭＲＳの１番目のシンボルを含む。
【０３７１】
前記ａｄｄｉｔｉｏｎａｌ  ＤＭＲＳの位置はＵＬとＤＬにおいて同一であり得る。
【０３７２】
Ｆｒｏｎｔ−ｌｏａｄ  ＤＭＲＳの第１シンボルがスロットの３ｒｄ又は４ｔｈのシンボルに位置する場合、ホップ（ｈｏｐ）がないＰＵＳＣＨに対してａｄｄｉｔｉｏｎａｌ  ＤＭＲＳシンボルに関するＵＬ  ＤＭＲＳのためのＤＬ  ＤＭＲＳの位置が再び使用されることができる。
【０３７３】
ここで、ｆｒｏｎｔ−ｌｏａｄ  ＤＭＲＳがＰＵＳＣＨの１番目のシンボルに位置する場合に対するａｄｄｉｔｉｏｎａｌ  ＤＭＲＳの位置が定義されていないという問題点が存在する。
【０３７４】
従って、ｆｒｏｎｔ−ｌｏａｄ  ＤＭＲＳがＰＵＳＣＨの１番目のシンボルに位置する場合、ａｄｄｉｔｉｏｎａｌ  ＤＭＲＳの位置を設定するための方法を提案する。
【０３７５】
下記の表２４は、ＰＵＳＣＨの１番目のシンボルの位置とａｄｄｉｔｉｏｎａｌ  ＤＭＲＳの個数に応じるａｄｄｉｔｉｏｎａｌ  ＤＭＲＳの位置の一例を示す。
【０３７６】
【表２４】
2021502783.tif 000061
【０３７７】
表２４において、ａｄｄｉｔｉｏｎａｌ  ＤＭＲＳの個数に応じてサポート可能な１番目のＰＵＳＣＨシンボルの位置（以下、アップリンクシンボル情報という）は、異なるように定義されている。アップリンクシンボル情報によってＲＳオーバーヘッドなどを考慮して最大ａｄｄｉｔｉｏｎａｌ  ＤＭＲＳの数は相異なるように設定されることができる。
【０３７８】
アップリンク送信のためのａｄｄｉｔｉｏｎａｌ  ＤＭＲＳの個数は上位層シグナリングを介して端末に設定されることができ、アップリンクシンボル情報は流動的に端末に設定されることができる。
【０３７９】
従って、上位層シグナリングにより設定されたａｄｄｉｔｉｏｎａｌ  ＤＭＲＳの個数をサポートできないアップリンクシンボル情報が設定される場合、基地局と端末間の動作が定義されなければならない。
【０３８０】
従って、本発明は、上位層シグナリングにより設定されたａｄｄｉｔｉｏｎａｌ  ＤＭＲＳの個数をサポートできないアップリンクシンボル情報が設定された場合の基地局と端末間の動作を提案する。
【０３８１】
＜実施形態５＞
【０３８２】
基地局は、上位層シグナリングにより半静的（ｓｅｍｉ−ｓｔａｔｉｃ）に端末に設定したａｄｄｉｔｉｏｎａｌ  ＤＭＲＳの個数がサポートできるアップリンクシンボル情報のうち特定値を端末に設定できる。
【０３８３】
例えば、表２２において、ｏｎｅ  １−ｓｙｍｂｏｌ  ａｄｄｉｔｉｏｎａｌ  ＤＭＲＳの場合、｛１ｓｔ、２ｎｄ、３ｒｄ、４ｔｈ、５ｔｈ、６ｔｈ、７ｔｈ、８ｔｈ、９ｔｈ｝の値の１つの値をアップリンクシンボル情報の値と設定することができる。また、ｏｎｅ  １−ｓｙｍｂｏｌ  ａｄｄｉｔｉｏｎａｌ  ＤＭＲＳの場合、｛１ｓｔ、２ｎｄ、３ｒｄ、４ｔｈ、５ｔｈ、６ｔｈ｝の値の１つをアップリンクシンボル情報の値に設定することができる。
【０３８４】
このような方法を使用すると、端末は、上位層シグナリングにより設定されたａｄｄｉｔｉｏｎａｌ  ＤＭＲＳの個数においてサポートできないアップリンクシンボル情報が基地局から設定されないことを仮定することができ、従って、当該場合のための別途の動作を定義しないことができるため、複雑度が減少するという効果がある。
【０３８５】
または、実施形態５とのように上位層シグナリングにより端末に設定されたａｄｄｉｔｉｏｎａｌ  ＤＭＲＳの個数が定義されていないアップリンクシンボル情報を端末に設定されるように基地局と端末間の動作が定義されることができる。
【０３８６】
＜実施形態６＞
【０３８７】
上位層シグナリングにより設定されるａｄｄｉｔｉｏｎａｌ  ＤＭＲＳの個数がサポートできない場合、アップリンクシンボル情報によって定義される最大個数のａｄｄｉｔｉｏｎａｌ  ＤＭＲＳの個数の位置にａｄｄｉｔｉｏｎａｌ  ＤＭＲＳが送信されることができる。
【０３８８】
すなわち、実施形態４において説明した方法がアップリンクデータのためのＤＭＲＳの送信においても使用されることができる。
【０３８９】
具体的には、基地局から端末に送信される上位層シグナリングにより設定されるａｄｄｉｔｉｏｎａｌ  ＤＭＲＳの個数は、アップリンクシンボル情報により設定されるシンボルの個数に応じてサポートできないことがある。
【０３９０】
例えば、表２４において上位層シグナリングにより設定されるａｄｄｉｔｉｏｎａｌ  ＤＭＲＳの個数が３つである場合、ａｄｄｉｔｉｏｎａｌ  ＤＭＲＳは５ｔｈ、９ｔｈ、１２ｔｈのＯＦＤＭシンボル又は６ｔｈ、９ｔｈ、１２ｔｈのＯＦＤＭシンボルにマッピングされて送信されることができる。
【０３９１】
しかしながら、ＤＣＩのアップリンクシンボル情報により１番目のＰＵＳＣＨシンボルの位置が３ｒｄのＯＦＤＭシンボル以後のＯＦＤＭシンボルに設定されるか、ＰＵＳＣＨがマッピングされるシンボルの区間が１２より小さい場合、１２ｔｈのＯＦＤＭシンボルにマッピングされるａｄｄｉｔｉｏｎａｌ  ＤＭＲＳは送信できない。
【０３９２】
この場合、ａｄｄｉｔｉｏｎａｌ  ＤＭＲＳは、最大２つのＯＦＤＭシンボルにおいて送信されることができ、ここで、ａｄｄｉｔｉｏｎａｌ  ＤＭＲＳが送信されるＯＦＤＭシンボルの位置は、上位層シグナリングにより設定されるａｄｄｉｔｉｏｎａｌ  ＤＭＲＳの個数が２である場合のＯＦＤＭシンボルの位置である８ｔｈ、１２ｔｈのＯＦＤＭシンボル又は９ｔｈ、１２ｔｈのＯＦＤＭシンボルであり得る。
【０３９３】
すなわち、上位層シグナリングによりＴｈｒｅｅ  １−ｓｙｍｂｏｌ  ａｄｄｉｔｉｏｎａｌ  ＤＭＲＳに設定され、ＤＣＩによりアップリンクシンボル情報が３ｒｄのＯＦＤＭシンボル以後のＯＦＤＭシンボル又はＰＤＳＣＨがマッピングされるシンボルの個数が１２個より小さく設定される場合、Ａｄｄｉｔｉｏｎａｌ  ＤＭＲＳがマッピングされるＯＦＤＭシンボルの位置は上位層シグナリングによりＴｗｏ  １−ｓｙｍｂｏｌ  ａｄｄｉｔｉｏｎａｌ  ＤＭＲＳに設定される場合のａｄｄｉｔｉｏｎａｌ  ＤＭＲＳの位置と同一であり得る。
【０３９４】
言い換えると、上位層シグナリングにより設定されたアップリンクデータを復調するためのａｄｄｉｔｉｏｎａｌ  ＤＭＲＳがマッピングされるシンボルの最大個数より小さい数に少なくとも１つのａｄｄｉｔｉｏｎａｌ  ＤＭＲＳがマッピングされる場合、少なくとも１つのａｄｄｉｔｉｏｎａｌ  ＤＭＲＳは前記小さい数をａｄｄｉｔｉｏｎａｌ  ＤＭＲＳがマッピングされるシンボルの最大個数として有するａｄｄｉｔｉｏｎａｌ  ＤＭＲＳのマッピング位置と同一の位置のシンボルにマッピングされることができる。
【０３９５】
下記の表２５は、１−ｓｙｍｂｏｌ  ａｄｄｉｔｉｏｎａｌ  ＤＭＲＳである場合の一例を示す。
【０３９６】
【表２５】
2021502783.tif 000062
【０３９７】
表２５のように、表２４においてＮ／Ａに該当するａｄｄｉｔｉｏｎａｌ  ＤＭＲＳ位置に対する値が特定の値に設定されることができる。
【０３９８】
実施形態６により、上位層シグナリングを介して半静的（ｓｅｍｉ−ｓｔａｔｉｃ）に端末に設定できる最大ａｄｄｉｔｉｏｎａｌ  ＤＭＲＳの個数を設定し、ＤＣＩを介して実際に端末に送信されるａｄｄｉｔｉｏｎａｌ  ＤＭＲＳの個数を設定することができる。
【０３９９】
すなわち、端末に上位層シグナリングにより設定されるａｄｄｉｔｉｏｎａｌ  ＤＭＲＳの個数は、端末に設定できるａｄｄｉｔｉｏｎａｌ  ＤＭＲＳの個数の最大値として定義されることができる。また、ＤＣＩを介して実際に端末に送信されるａｄｄｉｔｉｏｎａｌ  ＤＭＲＳの数及び位置を設定することができる。
【０４００】
ここで、特定のＤＣＩフィールドを介して直接的に端末にａｄｄｉｔｉｏｎａｌ  ＤＭＲＳの数及び位置を設定するか、シンボル情報のように流動的に設定される他の情報からａｄｄｉｔｉｏｎａｌ  ＤＭＲＳの数及び位置が設定されるように特定の規則が設定されることができる。
【０４０１】
実施形態６において、アップリンクシンボル情報である１番目のＰＵＳＣＨシンボルの位置又はＰＵＳＣＨの区間は基地局から端末に設定されることができる。ここで、基地局が端末に事前に定義されたシグナル（例えば、物理層シグナル又は上位層シグナル）を介して知らせることができるように定義されることができる。
【０４０２】
ここで、１番目のＰＵＳＣＨシンボルの位置又はＰＵＳＣＨの区間の値は、基地局が明確な値を直接知らせるか、端末に設定される他の値により基地局と端末間に事前に約束された規則に従って暗黙的に知らせることができる。
【０４０３】
前述した実施形態５及び実施形態６は独立的に実現されることもできるが、一部実施形態の組み合わせ（又は、併合）の形態で実現されることもできる。
【０４０４】
実施形態５及び６の適用可否を指示するための情報（又は、前記実施形態の規則に関する情報）は、基地局が端末に事前に定義されたシグナル（例えば、物理層シグナル又は上位層シグナル）により端末に知らせることができる。例えば、基地局は、事前に定義されたシグナルにより実施形態５及び６のうち適用される方式を端末に知らせることができる。
【０４０５】
前記提案の特定例示において、ＤＬ又はＵＬに対する場合のみを図示した場合にも、ＤＬ又はＵＬに技術適用を限定すると明示しない場合、本提案はＤＬ／ＵＬの全ての場合に対して適用可能であることは自明である。
【０４０６】
また、提案方式がアップリンク、又はダウンリンク通信にのみ制限されることではなく、端末間の直接通信、基地局、車両、中継ノード（ｒｅｌａｙ  ｎｏｄｅ）などにおいても前記提案した方法が適用されることができる。
【０４０７】
前述したように、ＰＵＳＣＨのｆｒｏｎｔ−ｌｏａｄ  ＤＭＲＳは以下の３つの位置で送信可能である。
【０４０８】
−スケジュールされたデータに関する１番目のＯＦＤＭシンボル
【０４０９】
−スロットの３ｒｄ又は４ｔｈのシンボル
【０４１０】
Ｆｒｏｎｔ−ｌｏａｄ  ＤＭＲＳが３ｒｄ又は４ｔｈに位置する場合、ａｄｄｉｔｉｏｎａｌ  ＤＭＲＳの位置は既存のＤＬ  ＤＭＲＳの位置を使用することができる。しかしながら、Ｆｒｏｎｔ−ｌｏａｄ  ＤＭＲＳがスケジュールされたデータ（ｓｃｈｅｄｕｌｅｄ  ｄａｔａ）の１番目のＯＦＤＭシンボルに位置する場合に対するａｄｄｉｔｉｏｎａｌ  ＤＭＲＳの位置は定義されていないという問題点が存在する。
【０４１１】
従って、本発明は、Ｆｒｏｎｔ−ｌｏａｄ  ＤＭＲＳが１番目のＯＦＤＭシンボルに位置する場合、ａｄｄｉｔｉｏｎａｌ  ＤＭＲＳの位置を設定するための方法を提案する。
【０４１２】
＜実施形態７＞
【０４１３】
図１６及び図１７は、本明細書で提案する復調参照信号のマッピング方法のまた他の一例を示す図である。
【０４１４】
図１６及び図１７に示すように、ａｄｄｉｔｉｏｎａｌ  ＤＭＲＳがｏｎｅ  １−ｓｙｍｂｏｌ  ａｄｄｉｔｉｏｎａｌ  ＤＭＲＳ又はｏｎｅ  ２−ｓｙｍｂｏｌ  ａｄｄｉｔｉｏｎａｌ  ＤＭＲＳに設定される場合（例えば、ｆｒｏｎｔ  ｌｏａｄ  ＤＭＲＳが１つ、ａｄｄｉｔｉｏｎａｌ  ＤＭＲＳが１つのシンボルに設定されるか、ｆｒｏｎｔ  ｌｏａｄ  ＤＭＲＳが連続して２つ、ａｄｄｉｔｉｏｎａｌ  ＤＭＲＳが連続して２つのシンボルに設定される場合）、ａｄｄｉｔｉｏｎａｌ  ＤＭＲＳの位置は補外（ｅｘｔｒａｐｏｌａｔｉｏｎ）の区間が最大「ｘ」個のＯＦＤＭシンボル（例えば、ｘは「２」）を超過しないように定義されることができる。
【０４１５】
ここで、データ送信区間の長さが増加するにつれて、以下の数式７によりａｄｄｉｔｉｏｎａｌ  ＤＭＲＳの位置が設定される。
【０４１６】
【数７】
2021502783.tif 000063
【０４１７】
数式７においてデータ送信の区間の長さが増加してｙ１＿ｎｅｗの位置にａｄｄｉｔｉｏｎａｌ  ＤＭＲＳを送信できる場合、ａｄｄｉｔｉｏｎａｌ  ＤＭＲＳの位置をｙ１＿ｏｌｄからｙ１＿ｎｅｗに変更することができる。
【０４１８】
数式７において、ｙ１＿ｎｅｗはデータ送信区間の長さが増加するにつれて新たに定義されるａｄｄｉｔｉｏｎａｌ  ＤＭＲＳの位置（例えば、ｆｒｏｎｔ−ｌｏａｄ  ＤＭＲＳの位置をはじめとしたＯＦＤＭシンボルインデックス）を意味し得る。
【０４１９】
ｙ１＿ｏｌｄは、データ送信区間の長さが増加する以前のａｄｄｉｔｉｏｎａｌ  ＤＭＲＳの位置（例えば、ｆｒｏｎｔ−ｌｏａｄ  ＤＭＲＳ位置をはじめとしたＯＦＤＭシンボルインデックス）を意味し得る。
【０４２０】
図１６の（ａ）ないし（ｃ）は、ｏｎｅ  １−ｓｙｍｂｏｌ  ａｄｄｉｔｉｏｎａｌ  ＤＭＲＳにおいて設定されたａｄｄｉｔｉｏｎａｌ  ＤＭＲＳの位置の一例を示し、図１７の（ａ）及び（ｂ）は、ｏｎｅ  ２−ｓｙｍｂｏｌ  ａｄｄｉｔｉｏｎａｌ  ＤＭＲＳにおいて設定されたａｄｄｉｔｉｏｎａｌ  ＤＭＲＳの位置の一例を示す。
【０４２１】
実施形態７を利用する場合、時変チャネルの推定性能劣化に大きな影響を及ぼす補外（ｅｘｔｒａｐｏｌａｔｉｏｎ）区間を一定値以下に制限することができるため、時変チャネルの推定性能を向上させることができる効果がある。
【０４２２】
また、データ送信区間の長さが増加するとき、ａｄｄｉｔｉｏｎａｌ  ＤＭＲＳの位置が変更されて複数のＤＭＲＳパターンが定義されることを防止して複雑度が増すことを防止できる。
【０４２３】
また、ＰＵＳＣＨ  ＤＭＲＳの場合、ＰＵＳＣＨが占有するデータ区間の長さに応じてａｄｄｉｔｉｏｎａｌ  ＤＭＲＳの位置を柔軟に設定することができる。
【０４２４】
＜実施形態８＞
【０４２５】
図１８ないし図２０は、本明細書で提案する復調参照信号のマッピング方法のまた他の一例を示す図である。
【０４２６】
図１８ないし図２０に示すように、ａｄｄｉｔｉｏｎａｌ  ＤＭＲＳがＴｗｏ  １−ｓｙｍｂｏｌ  ａｄｄｉｔｉｏｎａｌ  ＤＭＲＳ又はｔｈｒｅｅ  １−ｓｙｍｂｏｌ  ａｄｄｉｔｉｏｎａｌ  ＤＭＲＳに設定される場合（例えば、１つのシンボルにｆｒｏｎｔ−ｌｏａｄ  ＤＭＲＳが設定され、離隔した２つのシンボルにａｄｄｉｔｉｏｎａｌ  ＤＭＲＳが設定されるか、１つのシンボルにｆｒｏｎｔ−ｌｏａｄ  ＤＭＲＳが設定され、離隔した３つのシンボルにａｄｄｉｔｉｏｎａｌ  ＤＭＲＳが設定される場合）、ａｄｄｉｔｉｏｎａｌ  ＤＭＲＳの位置は補外（ｅｘｔｒａｐｏｌａｔｉｏｎ）区間が最大「ｘ」個のＯＦＤＭシンボル（例えば、ｘは「１」）を超過しないように定義されることができる。
【０４２７】
このとき、データ送信区間の長さが増加するにつれて、以下の数式Ｙ及び数式Ｚによってａｄｄｉｔｉｏｎａｌ  ＤＭＲＳの位置が決定されることができる。
【０４２８】
ａｄｄｉｔｉｏｎａｌ  ＤＭＲＳがＴｗｏ  １−ｓｙｍｂｏｌ  ａｄｄｉｔｉｏｎａｌ  ＤＭＲＳに設定される場合、ａｄｄｉｔｉｏｎａｌ  ＤＭＲＳの位置は以下の数式８によって決定される。
【０４２９】
【数８】
2021502783.tif 000064
【０４３０】
データ送信区間の長さが増加してｙ２＿ｎｅｗの位置にａｄｄｉｔｉｏｎａｌ  ＤＭＲＳを送信できる場合、離隔したシンボルにマッピングされる２つのａｄｄｉｔｉｏｎａｌ  ＤＭＲＳは数式８によって変更して送信されることができる。
【０４３１】
図１８の（ａ）ないし（ｃ）は、ａｄｄｉｔｉｏｎａｌ  ＤＭＲＳがｔｗｏ  １−ｓｙｍｂｏｌ  ａｄｄｉｔｉｏｎａｌ  ＤＭＲＳに設定される場合、数式Ｙによって位置が変更される一例を示す。
【０４３２】
ａｄｄｉｔｉｏｎａｌ  ＤＭＲＳがｔｈｒｅｅ  １−ｓｙｍｂｏｌ  ａｄｄｉｔｉｏｎａｌ  ＤＭＲＳに設定される場合、ａｄｄｉｔｉｏｎａｌ  ＤＭＲＳの位置は下記の数式９により決定される。
【０４３３】
【数９】
2021502783.tif 000065
【０４３４】
データ送信区間の長さが増加してｙ３＿ｎｅｗの位置にａｄｄｉｔｉｏｎａｌ  ＤＭＲＳを送信できる場合、離隔したシンボルにマッピングされる２つのａｄｄｉｔｉｏｎａｌ  ＤＭＲＳは数式９によって変更して送信されることができる。
【０４３５】
図１９の（ａ）及び（ｂ）は、ａｄｄｉｔｉｏｎａｌ  ＤＭＲＳがｔｗｏ  １−ｓｙｍｂｏｌ  ａｄｄｉｔｉｏｎａｌ  ＤＭＲＳに設定される場合、数式Ｚによって位置が変更される一例を示す。
【０４３６】
数式８及び数式９において、ｙ１＿ｎｅｗ、ｙ２＿ｎｅｗ及びｙ３＿ｎｅｗはデータ送信区間の長さが増加するにつれて、新たに定義された１ｓｔ、２ｎｄ、３ｒｄのａｄｄｉｔｉｏｎａｌ  ＤＭＲＳの位置（例えば、ｆｒｏｎｔ−ｌｏａｄ  ＤＭＲＳ位置をはじめとしたＯＦＤＭシンボルインデックス）を意味し得る。
【０４３７】
１ｓｔ、２ｎｄ、３ｒｄのａｄｄｉｔｉｏｎａｌ  ＤＭＲＳは、図２０に示すように、ｆｒｏｎｔ−ｌｏａｄ  ＤＭＲＳと近い順序に従ったａｄｄｉｔｉｏｎａｌ  ＤＭＲＳを意味し得る。
【０４３８】
数式Ｙ及び数式Ｚにおいて、ｙ１＿ｏｌｄ、ｙ２＿ｏｌｄ及びｙ３＿ｏｌｄはデータの送信区間の長さが増加する以前の１ｓｔ、２ｎｄ、３ｒｄのａｄｄｉｔｉｏｎａｌ  ＤＭＲＳの位置（例えば、ｆｒｏｎｔ−ｌｏａｄ  ＤＭＲＳ位置をはじめとしたＯＦＤＭシンボルインデックス）を意味し得る。
【０４３９】
＜実施形態８−１＞
【０４４０】
Ａｄｄｉｔｉｏｎａｌ  ＤＭＲＳの個数がｋ’以上（例えば、ｋ’＝２又はｋ’＝３）に設定される場合、最大補外（ｅｘｔｒａｐｏｌａｔｉｏｎ）区間の長さ（ｘ’）がａｄｄｉｔｉｏｎａｌ  ＤＭＲＳの個数がｋ以上（例えば、ｋ＝１、ここで、ｋ＜ｋ’を満足する）に設定された場合の最大補外（ｅｘｔｒａｐｏｌａｔｉｏｎ）区間の長さ（ｘ）より小さく設定される（例えば、ｘ’＜ｘ）。
【０４４１】
具体的には、ａｄｄｉｔｉｏｎａｌ  ＤＭＲＳの個数がｋ’（ｋ’＞ｋ）以上に設定される場合、ａｄｄｉｔｉｏｎａｌ  ＤＭＲＳの個数がｋに設定される場合に比べて端末の速度が比較的高いため、チャネルの時変が大きい環境であることを仮定することができる。
【０４４２】
このような場合、チャネルの時変により性能劣化を発生させる補外（ｅｘｔｒａｐｏｌａｔｉｏｎ）の影響が大きくなる可能性があるため、補外（ｅｘｔｒａｐｏｌａｔｉｏｎ）区間の長さを縮めることができるようにＤＭＲＳパターンが設定されることができる。
【０４４３】
実施形態８及び８−１で説明した方法も本発明の実現方法の１つに該当し、それぞれ独立した方式で実現されるか、全部又は一部の方式の組み合わせ（又は、併合）の形態で実現されることができる。
【０４４４】
実施形態８及び８−１の方法が適用されるか否かに関する情報（又は、前記実施形態の規則に関する情報）は、基地局が端末に事前に定義されたシグナル（例えば、物理層シグナル又は上位層シグナル）により端末に知らせることができる。例えば、基地局は、事前に定義されたシグナルにより実施形態８及び８−１のうち適用される方式を端末に知らせることができる。
【０４４５】
前記提案の特定例示において、ＤＬ又はＵＬに対する場合のみを図示した場合にも、ＤＬ又はＵＬに技術適用を限定すると明示しない場合、本提案はＤＬ／ＵＬの全ての場合に対して適用可能であることは自明である。
【０４４６】
また、提案方式がアップリンク、又はダウンリンク通信にのみ制限されることではなく、端末間の直接通信、基地局、車両、中継ノード（ｒｅｌａｙ  ｎｏｄｅ）などにも前記提案した方法が適用されることができる。
【０４４７】
ＲＲＣ構成前にブロードキャスト／マルチキャストＰＤＳＣＨ及びユニキャストＰＤＳＣＨのためのａｄｄｉｔｉｏｎａｌ  ＤＭＲＳの個数及び／又は位置の構成方法（Method for configuration of the number of and/or the location of additional DMRS for broadcast/multicast PDSCH and unicast PDSCH before RRC configuration）
【０４４８】
ＰＢＣＨ以外にブロードキャスト／マルチキャストはｆｒｏｎｔ−ｌｏａｄ  ＤＭＲＳ構成１が適用されることができる。
【０４４９】
しかしながら、ａｄｄｉｔｉｏｎａｌ  ＤＭＲＳの個数及び位置は定義されていない。従って、以下、ＲＲＣが構成される前に送信されるＰＤＳＣＨのためのａｄｄｉｔｉｏｎａｌ  ＤＭＲＳの個数及び位置を設定するための方法について説明する。
【０４５０】
すなわち、基地局と端末間に事前に定義されたシグナル（例えば、物理層シグナル又は上位層シグナル）により端末にａｄｄｉｔｉｏｎａｌ  ＤＭＲＳの個数及び位置が設定される以前に送信されるＰＤＳＣＨ（例えば、ブロードキャスト／マルチキャストＰＤＳＣＨ、ＲＲＣ接続前のユニキャストＰＤＳＣＨなど）のためのａｄｄｉｔｉｏｎａｌ  ＤＭＲＳの個数及び位置を設定するための方法が必要である。
【０４５１】
＜実施形態９＞
【０４５２】
上位層シグナリング（例えば、ＲＲＣシグナリングなど）が構成される前に受信されるＰＤＳＣＨが受信される場合、ＤＣＩにより設定されたＰＤＳＣＨの開始と終了のＯＦＤＭシンボルに関するシンボル情報及び既に設定されたａｄｄｉｔｉｏｎａｌ  ＤＭＲＳの個数に応じて、ａｄｄｉｔｉｏｎａｌ  ＤＭＲＳの個数及び送信されるＯＦＤＭシンボルの位置が設定されることができる。
【０４５３】
具体的には、基地局と端末間に事前に定義されたシグナル（例えば、物理層シグナル又は上位層シグナル）により端末にａｄｄｉｔｉｏｎａｌ  ＤＭＲＳの個数及び位置が設定される以前にＰＤＳＣＨ送信（例えば、ブロードキャスト／マルチキャストＰＤＳＣＨ、ＲＲＣの接続前のユニキャストＰＤＳＣＨなど）の場合、ａｄｄｉｔｉｏｎａｌ  ＤＭＲＳの個数及び位置は、当該ＰＤＳＣＨが送信されるスロットフォーマット内でユニキャストＰＤＳＣＨ送信のために定義されている値のうち最大回数及び該当位置に設定されることができる。
【０４５４】
ここで、スロットフォーマットは、ＰＤＳＣＨが送信される領域を表現し、ＰＤＳＣＨの開始と終了のＯＦＤＭシンボル位置に応じて変わることができる。すなわち、ＰＤＳＣＨの開始ＯＦＤＭシンボルと終了ＯＦＤＭシンボルによるＰＤＳＣＨの送信区間（ｄｕｒａｔｉｏｎ）を意味し得る。
【０４５５】
従って、スロットフォーマットは、様々な用語と呼ばれ、ＤＬ制御チャネルなどを介して端末に設定されることができる。
【０４５６】
ユニキャストＰＤＳＣＨが送信される領域によってａｄｄｉｔｉｏｎａｌ  ＤＭＲＳの個数と位置が定義されることができ、このようなユニキャストＰＤＳＣＨが送信される領域に関する情報を用いて、基地局と端末間に事前に定義されたシグナル（例えば、物理層シグナル又は上位層シグナル）により端末にａｄｄｉｔｉｏｎａｌ  ＤＭＲＳの個数及び位置が設定される以前に送信されるＰＤＳＣＨのためのａｄｄｉｔｉｏｎａｌ  ＤＭＲＳの個数及び位置を端末が暗黙的に類推することができる。
【０４５７】
このとき、ユニキャストＰＤＳＣＨが送信される領域は、ＰＤＳＣＨの最後のＯＦＤＭシンボルインデックなどを介して端末に設定されることができる。
【０４５８】
下記の表２６は、ユニキャストＰＤＳＣＨ送信のａｄｄｉｔｉｏｎａｌ  ＤＭＲＳの個数及び位置の一例を示す。
【０４５９】
【表２６】
2021502783.tif 000066
【０４６０】
実施形態９において、端末は、最後のＰＤＳＣＨシンボルの位置（以下、シンボル情報という）に関する情報をＤＣＩなどにより取得できる。
【０４６１】
そして、実施形態９において、各シンボル情報に対するａｄｄｉｔｉｏｎａｌ  ＤＭＲＳの個数と位置は下記のように設定されることができ、端末はこれをシンボル情報を介して暗黙的に類推することができる。
【０４６２】
−シンボル情報が「１３」である場合、ａｄｄｉｔｉｏｎａｌ  ＤＭＲＳの個数は「３」であり、位置は５ｔｈ、８ｔｈ、１１ｔｈのＯＦＤＭシンボルに位置し得る。
【０４６３】
−シンボル情報が「１０」である場合、ａｄｄｉｔｉｏｎａｌ  ＤＭＲＳの個数は「２」であり、位置は６ｔｈ、９ｔｈのＯＦＤＭシンボルに位置し得る。
【０４６４】
−シンボル情報が「８」である場合、ａｄｄｉｔｉｏｎａｌ  ＤＭＲＳの個数は「１」であり、位置は７ｔｈにＯＦＤＭシンボルに位置し得る。
【０４６５】
このような方法を用いると、最後のＰＤＳＣＨシンボルが流動的に設定される場合、当該シンボル情報において最適のａｄｄｉｔｉｏｎａｌ  ＤＭＲＳを送信できるため、高速の端末にも安定的なチャネル推定性能を提供することができる。
【０４６６】
＜実施形態９−１＞
【０４６７】
実施形態３において、最大ａｄｄｉｔｉｏｎａｌ  ＤＭＲＳの個数はｘ（例えば、「２」）に制限されることができる。
【０４６８】
具体的に、多数のａｄｄｉｔｉｏｎａｌ  ＤＭＲＳ（例えば、２）は、高速の端末に正確なチャネル推定性能を提供して高いＭＣＳまでサポートしようとするときに設定される。
【０４６９】
しかしながら、ブロードキャスト／マルチキャストＰＤＳＣＨ、ＲＲＣ接続前のユニキャストＰＤＳＣＨの場合、高いＭＣＳが使用されないこともあり、多数のａｄｄｉｔｉｏｎａｌ  ＤＭＲＳは結局速度が高くない端末には不要なＲＳオーバーヘッドを発生させることがある。
【０４７０】
従って、ＲＳオーバーヘッドを適切に維持しながら安定的にチャネル推定性能を提供するために最大ａｄｄｉｔｉｏｎａｌ  ＤＭＲＳの個数は特定個数以下に制限されることができる。
【０４７１】
実施形態９−１において各シンボル情報に対するａｄｄｉｔｉｏｎａｌ  ＤＭＲＳの個数と位置は、表２４によって以下のように設定されることができ、端末はこれをシンボル情報により暗黙に類推することができる。
【０４７２】
−シンボル情報が「１３」である場合、ａｄｄｉｔｉｏｎａｌ  ＤＭＲＳの個数は「２」であり、位置は７ｔｈ、１１ｔｈのＯＦＤＭシンボルに位置し得る。
【０４７３】
−シンボル情報が「１０」である場合、ａｄｄｉｔｉｏｎａｌ  ＤＭＲＳの個数は「２」であり、位置は６ｔｈ、９ｔｈのＯＦＤＭシンボルに位置し得る。
【０４７４】
−シンボル情報が「８」である場合、ａｄｄｉｔｉｏｎａｌ  ＤＭＲＳの個数は「１」であり、位置は７ｔｈのＯＦＤＭシンボルに位置し得る。
【０４７５】
実施形態９及び９−１の方法が適用されるか否かに関する情報（又は、前記実施形態の規則に関する情報）は、基地局が端末に事前に定義されたシグナル（例えば、物理層シグナル又は上位層シグナル）を介して端末に知らせることができる。例えば、基地局は、事前に定義されたシグナルにより実施形態９及び９−１のうち適用される方式を端末に知らせることができる。
【０４７６】
前記提案の特定例示において、ＤＬ又はＵＬに対する場合のみを図示した場合にもＤＬ又はＵＬに技術適用を限定すると明示しない場合、本提案はＤＬ／ＵＬの全ての場合に対して適用可能であることは自明である。
【０４７７】
また、提案方式がアップリンク、又はダウンリンク通信にのみ制限されることではなく、端末間の直接通信、基地局、車両、中継ノード（ｒｅｌａｙ  ｎｏｄｅ）などにおいても前記提案した方法が適用されることができる。
【０４７８】
図２１は、本明細書で提案する端末のデータ送受信方法の一例を示すフローチャートである。図２１は、説明の便宜のためのものに過ぎず、本発明の範囲を制限するものではない。
【０４７９】
図２１に示すように、当該端末は、前述した本明細書の実施形態で説明された方法（ら）を行うことができる。特に、当該端末は、実施形態１ないし実施形態９−１で説明された方法をサポートすることができる。図２１では、これと関連して前述した内容と重複される具体的な説明は省略する。
【０４８０】
まず、端末は、基地局からダウンリンク制御情報（ｄｏｗｎｌｉｎｋ  ｃｏｎｔｒｏｌ  ｉｎｆｏｒｍａｔｉｏｎ：ＤＣＩ）を受信することができる（Ｓ２１０１０）。ここで、ＤＣＩは、実施形態１ないし９−１で説明した前記ダウンリンク制御情報がダウンリンク共有チャネルの最後のシンボルに関するシンボル情報を含むことができる。
【０４８１】
以後、端末は、ダウンリンクデータを復調するためのｆｏｒｎｔ−ｌｏａｄ  ＤＭＲＳ（第１復調参照信号）及び少なくとも１つのａｄｄｉｔｉｏｎａｌ  ＤＭＲＳ（第２復調参照信号）を受信することができる（Ｓ２１０２０）。
【０４８２】
ここで、少なくとも１つの第２復調参照信号の個数及びマッピングされるシンボルの位置は実施形態１ないし９−１で説明した方法のようにシンボル情報によって決定されることができる。
【０４８３】
例えば、少なくとも１つの第２復調参照信号の個数及びマッピングされるシンボルの位置は実施形態４の方法により設定される。
【０４８４】
または、ダウンリンクデータが少なくとも１つのａｄｄｉｔｉｏｎａｌ  ＤＭＲＳの個数及び位置が設定される前に送信されるブロードキャスト／マルチキャストＰＤＳＣＨ又はＲＲＣ接続前のユニキャストＰＤＳＣＨである場合、少なくとも１つのａｄｄｉｔｉｏｎａｌ  ＤＭＲＳの個数及び位置は実施形態９及び／又は９−１により設定される。
【０４８５】
以後、端末は、ダウンリンク共有チャネルを介してデータを受信することができる（Ｓ２１０３０）。
【０４８６】
端末は、下記の図２３ないし図２６に示すように、プロセッサ、ＲＦユニット、及びメモリで構成され、プロセッサは、ＲＦユニットが基地局からダウンリンク制御情報（Ｄｏｗｎｌｉｎｋ  Ｃｏｎｔｒｏｌ  Ｉｎｆｏｒｍａｔｉｏｎ：ＤＣＩ）を受信するように制御することができる。
【０４８７】
ここで、ＤＣＩは、実施形態１ないし９−１で説明した前記ダウンリンク制御情報がダウンリンク共有チャネルの最後のシンボルに関するシンボル情報を含むことができる。
【０４８８】
また、プロセッサは、ＲＦユニットがダウンリンクデータを復調するための第１復調参照信号（Ｄｅｍｏｄｕｌａｔｉｏｎ  Ｒｅｆｅｒｅｎｃｅ  Ｓｉｇｎａｌ：ＤＭＳＲ）及び少なくとも１つの第２ＤＭＲＳを受信するように制御することができる。
【０４８９】
ここで、少なくとも１つの第２復調参照信号の個数及びマッピングされるシンボルの位置は実施形態１ないし９−１で説明した方法のようにシンボル情報によって決定されることができる。
【０４９０】
例えば、少なくとも１つの第２復調参照信号の個数及びマッピングされるシンボルの位置は実施形態４の方法により設定される。
【０４９１】
または、ダウンリンクデータが少なくとも１つのａｄｄｉｔｉｏｎａｌ  ＤＭＲＳの個数及び位置が設定される前に送信されるブロードキャスト／マルチキャストＰＤＳＣＨ又はＲＲＣ接続前のユニキャストＰＤＳＣＨである場合、少なくとも１つのａｄｄｉｔｉｏｎａｌ  ＤＭＲＳの個数及び位置は実施形態９及び／又は９−１により設定される。
【０４９２】
また、プロセッサは、ＲＦユニットが基地局からダウンリンクデータ（Ｄｏｗｎｌｉｎｋ  Ｄａｔａ）を受信するように制御できる。
【０４９３】
図２２は、本明細書で提案する基地局のデータ送受信方法の一例を示すフローチャートである。図２２は、説明の便宜のためのものに過ぎず、本発明の範囲を制限するものではない。
【０４９４】
図２２に示すように、当該基地局は、前述した本明細書の実施形態で説明された方法（ら）を行うことができる。当該基地局は、実施形態１ないし実施形態９−１で説明された方法をサポートすることができる。図２２では、これと関連して前述した内容と重複される具体的な説明は省略する。
【０４９５】
まず、基地局は、端末にダウンリンク制御情報（ｄｏｗｎｌｉｎｋ  ｃｏｎｔｒｏｌ  ｉｎｆｏｒｍａｔｉｏｎ：ＤＣＩ）を送信する（Ｓ２２０１０）。ここで、ＤＣＩは、実施形態１ないし９−１で説明した前記ダウンリンク制御情報がダウンリンク共有チャネルの最後のシンボルに関するシンボル情報を含むことができる。
【０４９６】
以後、基地局は、ダウンリンクデータを復調するためのｆｏｒｎｔ−ｌｏａｄ  ＤＭＲＳ（第１復調参照信号）及び少なくとも１つのａｄｄｉｔｉｏｎａｌ  ＤＭＲＳ（第２復調参照信号）を送信することができる（Ｓ２２０２０）。
【０４９７】
ここで、少なくとも１つの第２副長さん小信号の個数及びマッピングされるシンボルの位置は実施形態１ないし９−１で説明した方法のようにシンボル情報によって決定される。
【０４９８】
例えば、少なくとも１つの第２復調参照信号の個数及びマッピングされるシンボルの位置は、実施形態４の方法により設定される。
【０４９９】
または、ダウンリンクデータが少なくとも１つのａｄｄｉｔｉｏｎａｌ  ＤＭＲＳの個数及び位置が設定される前に送信されるブロードキャスト／マルチキャストＰＤＳＣＨ又はＲＲＣ接続前のユニキャストＰＤＳＣＨである場合、少なくとも１つのａｄｄｉｔｉｏｎａｌ  ＤＭＲＳの個数及び位置は実施形態９及び／又は９−１により設定される。
【０５００】
以後、基地局は、ダウンリンク共有チャネルを介してデータを送信する（Ｓ２２０３０）。
【０５０１】
基地局は、以下の図２３ないし図２６に示すように、プロセッサ、ＲＦユニット及びメモリで構成され、プロセッサは、ＲＦユニットが端末にダウンリンク制御情報（Ｄｏｗｎｌｉｎｋ  Ｃｏｎｔｒｏｌ  Ｉｎｆｏｒｍａｔｉｏｎ：ＤＣＩ）を送信するように制御することができる。
【０５０２】
ここで、ＤＣＩは、実施形態１ないし９−１で説明した前記ダウンリンク制御情報がダウンリンク共有チャネルの最後のシンボルに関するシンボル情報を含むことができる。
【０５０３】
また、プロセッサは、ＲＦユニットがダウンリンクデータを復調するための第１復調参照信号（Ｄｅｍｏｄｕｌａｔｉｏｎ  Ｒｅｆｅｒｅｎｃｅ  Ｓｉｇｎａｌ：ＤＭＳＲ）及び少なくとも１つの第２ＤＭＲＳを送信するように制御する。
【０５０４】
ここで、少なくとも１つの第２復調参照信号の個数及びマッピングされるシンボルの位置は、実施形態１ないし９−１で説明した方法のようにシンボル情報によって決定されることができる。
【０５０５】
例えば、少なくとも１つの第２復調参照信号の個数及びマッピングされるシンボルの位置は実施形態４の方法により設定される。
【０５０６】
または、ダウンリンクデータが少なくとも１つのａｄｄｉｔｉｏｎａｌ  ＤＭＲＳの個数及び位置が設定される前に送信されるブロードキャスト／マルチキャストＰＤＳＣＨ又はＲＲＣ接続前のユニキャストＰＤＳＣＨである場合、少なくとも１つのａｄｄｉｔｉｏｎａｌ  ＤＭＲＳの個数及び位置は実施形態９及び／又は９−１により設定される。
【０５０７】
また、プロセッサは、ＲＦユニットが端末にダウンリンクデータ（Ｄｏｗｎｌｉｎｋ  Ｄａｔａ）を送信するように制御できる。
【０５０８】
本発明が適用できる装置の一般
【０５０９】
図２３は、本明細書で提案する方法が適用できる無線通信装置のブロック構成図を例示する。
【０５１０】
図２３に示すように、無線通信システムは、基地局２３１０と、基地局２３１０の領域内に位置する多数の端末２３２０とを含む。
【０５１１】
前記基地局と端末は、それぞれ無線装置と表現されてもよい。
【０５１２】
基地局２３１０は、プロセッサ（ｐｒｏｃｅｓｓｏｒ）２３１１、メモリ（ｍｅｍｏｒｙ）２３１２及びＲＦモジュール（ｒａｄｉｏ  ｆｒｅｑｕｅｎｃｙ  ｍｏｄｕｌｅ）２３１３を含む。プロセッサ２３１１は、前記図１ないし図２３で提案された機能、過程及び／又は方法を実現する。無線インタフェースプロトコルの層はプロセッサにより実現できる。メモリ２３１２は、プロセッサと接続されて、プロセッサを駆動するための様々な情報を格納する。ＲＦモジュール２３１３は、プロセッサと接続されて、無線信号を送信及び／又は受信する。
【０５１３】
端末２３２０は、プロセッサ２３２１、メモリ２３２２及びＲＦモジュール２３２３を含む。
【０５１４】
プロセッサ２３２１は、前記図１ないし図２２で提案された機能、過程及び／又は方法を実現する。無線インタフェースプロトコルの層は、プロセッサにより実現できる。メモリ２３２２は、プロセッサと接続されて、プロセッサを駆動するための様々な情報を格納する。ＲＦモジュール１９２３は、プロセッサと接続されて、無線信号を送信及び／又は受信する。
【０５１５】
メモリ２３１２、２３２２は、プロセッサ２３１１、２３２１の内部又は外部に位置し、よく知られた多様な手段によりプロセッサ２３１１、２３２１と接続されることができる。
【０５１６】
また、基地局２３１０及び／又は端末２３２０は、１つのアンテナ（ｓｉｎｇｌｅ  ａｎｔｅｎｎａ）又は多重アンテナ（ｍｕｌｔｉｐｌｅ  ａｎｔｅｎｎａ）を有することができる。
【０５１７】
図２４は、本発明の一実施形態による通信装置のブロック構成図を例示する。
【０５１８】
特に、図２４においては、前記図２３の端末をより詳細に例示する図である。
【０５１９】
図２４に示すように、端末は、プロセッサ（又は、デジタル信号プロセッサ（ＤＳＰ：ｄｉｇｉｔａｌ  ｓｉｇｎａｌ  ｐｒｏｃｅｓｓｏｒ）２４１０、ＲＦモジュール（ＲＦ  ｍｏｄｕｌｅ）（又は、ＲＦユニット）２４３５、パワー管理モジュール（ｐｏｗｅｒ  ｍａｎａｇｅｍｅｎｔ  ｍｏｄｕｌｅ）２４０５、アンテナ（ａｎｔｅｎｎａ）２４４０、バッテリ（ｂａｔｔｅｒｙ）２４５５、ディスプレイ（ｄｉｓｐｌａｙ）２４１５、キーパッド（ｋｅｙｐａｄ）２４２０、メモリ（ｍｅｍｏｒｙ）２４３０、ＳＩＭカード（ＳＩＭ（Ｓｕｂｓｃｒｉｂｅｒ  Ｉｄｅｎｔｉｆｉｃａｔｉｏｎ  Ｍｏｄｕｌｅ）  ｃａｒｄ）２４２５（この構成は選択的である）、スピーカ（ｓｐｅａｋｅｒ）２４４５及びマイクロホン（ｍｉｃｒｏｐｈｏｎｅ）２４５０を含んで構成される。端末はまた、単一のアンテナ又は多重のアンテナを含むことができる。
【０５２０】
プロセッサ２４１０は、前記図１１ないし図２２で提案された機能、過程及び／又は方法を実現する。無線インタフェースプロトコルの層はプロセッサにより実現できる。
【０５２１】
メモリ２４３０は、プロセッサと接続されて、プロセッサの動作に関する情報を格納する。メモリ２４３０は、プロセッサの内部又は外部に位置し、よく知られた多様な手段によりプロセッサと接続されることができる。
【０５２２】
ユーザは、例えば、キーパッド２４２０のボタンを押すか（又は、タッチするか）またはマイクロホン２４５０を利用した音声駆動（ｖｏｉｃｅ  ａｃｔｉｖａｔｉｏｎ）により電話番号などの命令情報を入力する。プロセッサは、このような命令情報を受信し、電話番号で電話をかけるなどの適切な機能を行うように処理する。駆動上のデータ（ｏｐｅｒａｔｉｏｎａｌ  ｄａｔａ）は、ＳＩＭカード２４２５又はメモリ２４３０から抽出することができる。また、プロセッサは、ユーザの認知及び便宜のために命令情報又は駆動情報をディスプレイ２４１５上に表示することができる。
【０５２３】
ＲＦモジュール２４３５は、プロセッサに接続されて、ＲＦ信号を送信および／または受信する。プロセッサは、通信を開始するために、例えば、音声通信データを構成する無線信号を送信するように命令情報をＲＦモジュールに伝達する。ＲＦモジュールは、無線信号を受信及び送信するために受信機（ｒｅｃｅｉｖｅｒ）及び送信機（ｔｒａｎｓｍｉｔｔｅｒ）で構成される。アンテナ２４４０は、無線信号を送信及び受信する機能を果たす。無線信号を受信するとき、ＲＦモジュールは、プロセッサにより処理するために信号を伝達し、基底帯域に信号を変換することができる。処理された信号はスピーカ２４４５を介して出力される可聴又は可読情報に変換されることができる。
【０５２４】
図２５は、本明細書で提案する方法が適用できる無線通信装置のＲＦモジュールの一例を示す図である。
【０５２５】
具体的に、図２５は、ＦＤＤ（Ｆｒｅｑｕｅｎｃｙ  Ｄｉｖｉｓｉｏｎ  Ｄｕｐｌｅｘ）システムにおいて実現できるＲＦモジュールの一例を示す。
【０５２６】
まず、送信経路において、図２４及び図２５で記述されたプロセッサは、送信されるデータをプロセシングしてアナログ出力信号を送信機２５１０に提供する。
【０５２７】
送信機２５１０内において、アナログ出力信号はデジタル−対−アナログ変換（ＡＤＣ）により発生するイメージを除去するために、低域通過フィルター（Ｌｏｗ  Ｐａｓｓ  Ｆｉｌｔｅｒ：ＬＰＦ）２５１１によりフィルタリングされ、アップコンバータ（Ｍｉｘｅｒ）２５１２により基底帯域からＲＦにアップコンバートされ、可変利得増幅器（Ｖａｒｉａｂｌｅ  Ｇａｉｎ  Ａｍｐｌｉｆｉｅｒ：ＶＧＡ）２５１３により増幅され、増幅された信号はフィルタ２５１４によりフィルタリングされ、電力増幅器（Ｐｏｗｅｒ  Ａｍｐｌｉｆｉｅｒ：ＰＡ）２５１５により追加で増幅され、デュプレクサ（ら）２５５０／アンテナスイッチ（ら）２５６０を介してルーティングされ、アンテナ２５７０を介して送信される。
【０５２８】
また、受信経路において、アンテナ２５７０は、外部から信号を受信して受信された信号を提供し、この信号はアンテナスイッチ（ら）２５６０／デュプレクサ２５５０を介してルーティングされ、受信機２５２０に提供される。
【０５２９】
受信機２５２０内で、受信された信号は低雑音増幅器（Ｌｏｗ  Ｎｏｉｓｅ  Ａｍｐｌｉｆｉｅｒ：ＬＮＡ）２５２３により増幅され、帯域通過フィルタ２５２４によりフィルタリングされ、ダウンコンバータ（Ｍｉｘｅｒ）２５２５によりＲＦから基底帯域にダウンコンバートされる。
【０５３０】
前記ダウンコンバートされた信号は、低域通過フィルタ（ＬＰＦ）２５２６によりフィルタリングされ、ＶＧＡ２５２７により増幅されてアナログ入力信号を取得し、これは、図１２及び図１３で記述されたプロセッサに提供される。
【０５３１】
また、ローカルオシレータ（ｌｏｃａｌ  ｏｓｃｉｌｌａｔｏｒ：ＬＯ）発生器２５４０は、送信及び受信ＬＯ信号を発生及びアップコンバータ２５１２とダウンコンバータ２５２５にそれぞれ提供する。
【０５３２】
また、位相固定ループ（Ｐｈａｓｅ  Ｌｏｃｋｅｄ  Ｌｏｏｐ：ＰＬＬ）２５３０は、適切な周波数において送信及び受信ＬＯ信号を生成するためにプロセッサから制御情報を受信し、制御信号をＬＯ発生器２５４０に提供する。
【０５３３】
また、図２５に示す回路は、図２５に示す構成と異なるように配列されることもできる。
【０５３４】
図２６は、本明細書で提案する方法が適用できる無線通信装置のＲＦモジュールのまた他の一例を示す図である。
【０５３５】
具体的に、図２６は、ＴＤＤ（Ｔｉｍｅ  Ｄｉｖｉｓｉｏｎ  Ｄｕｐｌｅｘ）システムにおいて実現できるＲＦモジュールの一例を示す。
【０５３６】
ＴＤＤシステムにおけるＲＦモジュールの送信機２６１０及び受信機２６２０は、ＦＤＤシステムにおけるＲＦモジュールの送信機及び受信機の構造と同一である。
【０５３７】
以下、ＴＤＤシステムのＲＦモジュールは、ＦＤＤシステムのＲＦモジュールと異なる構造に対してのみ説明し、同一の構造については、図２５の説明を参照する。
【０５３８】
送信機の電力増幅器（Ｐｏｗｅｒ  Ａｍｐｌｉｆｉｅｒ：ＰＡ）２６１５により増幅された信号は、バンド選択スイッチ（Ｂａｎｄ  Ｓｅｌｅｃｔ  Ｓｗｉｔｃｈ）２６５０、バンド通過フィルタ（ＢＰＦ）２６６０及びアンテナスイッチ（ら）２６７０を介してルーティングされ、アンテナ２６８０を介して送信される。
【０５３９】
また、受信経路において、アンテナ２６８０は、外部から信号を受信して受信された信号を提供し、この信号は、アンテナスイッチ（ら）２６７０、バンド通過フィルタ２６６０及びバンド選択スイッチ２６５０を介してルーティングされ、受信機２６２０に提供される。
【０５４０】
以上で説明された実施形態は本発明の構成要素と特徴が所定の形態に結合されたものである。各構成要素または特徴は別途の明示的な言及がない限り、選択的なものとして考慮されなければならない。各構成要素または特徴は他の構成要素や特徴と結合されない形態に実施できる。また、一部の構成要素及び／又は特徴を結合して本発明の実施形態を構成することも可能である。本発明の実施形態で説明される動作の順序は変更できる。ある実施形態の一部の構成や特徴は他の実施形態に含まれることができ、または他の実施形態の対応する構成または特徴と取替できる。特許請求範囲で明示的な引用関係がない請求項を結合して実施形態を構成するか、または出願後の補正により新たな請求項に含めることができることは自明である。
【０５４１】
本発明による実施形態は、多様な手段、例えば、ハードウェア、ファームウエア（ｆｉｒｍｗａｒｅ）、ソフトウェア、またはそれらの結合などにより実現できる。ハードウェアによる実現の場合、本発明の一実施形態は１つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどにより実現できる。
【０５４２】
ファームウエアやソフトウェアによる実現の場合、本発明の一実施形態は以上で説明された機能または動作を遂行するモジュール、手順、関数などの形態で実現できる。ソフトウェアコードはメモリに格納されてプロセッサにより駆動できる。前記メモリは前記プロセッサの内部または外部に位置し、既に公知された多様な手段により前記プロセッサとデータをやり取りすることができる。
【０５４３】
本発明は本発明の必須的な特徴を逸脱しない範囲で他の特定の形態に具体化できることは通常の技術者に自明である。従って、前述した詳細な説明は全ての面で制限的に解釈されてはならず、例示的なものとして考慮されなければならない。本発明の範囲は添付した請求項の合理的な解釈により決定されなければならず、本発明の等価的な範囲内での全ての変更は本発明の範囲に含まれる。
【０５４４】
また、説明の便宜のために、各図面を分けて説明したが、各図面に述べられている実施の形態を併合して、新しい実施の形態を具現化するように設計することも可能である。そして、当業者の必要によって、以前に説明された実施の形態を実行するためのプログラムが記録されているコンピュータで読み取り可能な記録媒体を設計することも本発明の権利範囲に属する。
【０５４５】
本明細書による参照信号を送受信するための方法は、上述したように説明された実施の携帯の構成と方法が限定的に適用されるものではなく、前記実施の形態は、多様な変形がなされることができるように、各実施の形態の全てまたは一部が選択的に組み合わせられて構成されることもできる。
【０５４６】
一方、本明細書の参照信号を送受信するための方法は、ネットワークデバイスに備えられたプロセッサが読むことができる記録媒体にプロセッサが読むことができるコードとして具現化することが可能である。プロセッサが読むことができる記録媒体は、プロセッサにより読まれることができるデータが格納されるすべての種類の記録装置を含む。プロセッサが読むことができる記録媒体の例には、ＲＯＭ、ＲＡＭ、ＣＤ−ＲＯＭ、磁気テープ、フロッピーディスク、光データ格納装置などがあり、また、インターネットを介した送信などのようなキャリアウェーブの形態により具現化されることも含む。また、プロセッサが読むことができる記録媒体は、ネットワークに接続したコンピュータシステムに分散されて、分散方式でプロセッサが読むことができるコードが格納され実行されることができる。
【０５４７】
また、以上では、本明細書の好ましい実施の形態について図示し説明したが、本明細書は、上述した特定の実施の形態に限定されず、請求の範囲で請求する本発明の要旨から逸脱しない範囲内で当該発明が属する技術分野における通常の知識を有した者によって多様な変形実施が可能であることはもちろんで、このような変形実施は、本発明の技術的思想や展望から個別的に理解されてはならないはずである。
【０５４８】
そして、当該明細書では、物の発明と方法の発明が全部説明されており、必要によって両発明の説明は、補充的に適用されることができる。
【産業上の利用可能性】
【０５４９】
本発明の無線通信システムにおいてＲＲＣ接続方法は、３ＧＰＰ  ＬＴＥ／ＬＴＥ−Ａシステムに適用される例を中心に説明したが、３ＧＰＰ  ＬＴＥ/ＬＴＥ−Ａシステム以外にも多様な無線通信システムに適用することが可能である。
【図１】
2021502783.tif 000067
【図２】
2021502783.tif 000068
【図３】
2021502783.tif 000069
【図４】
2021502783.tif 000070
【図５】
2021502783.tif 000071
【図６】
2021502783.tif 000072
【図７】
2021502783.tif 000073
【図８】
2021502783.tif 000074
【図９（ａ）】
2021502783.tif 000075
【図９（ｂ）】
2021502783.tif 000076
【図９（ｃ）】
2021502783.tif 000077
【図９（ｄ）】
2021502783.tif 000078
【図１０（ａ）】
2021502783.tif 000079
【図１０（ｂ）】
2021502783.tif 000080
【図１１（ａ）】
2021502783.tif 000081
【図１１（ｂ）】
2021502783.tif 000082
【図１２（ａ）】
2021502783.tif 000083
【図１２（ｂ）】
2021502783.tif 000084
【図１２（ｃ）】
2021502783.tif 000085
【図１３（ａ）】
2021502783.tif 000086
【図１３（ｂ）】
2021502783.tif 000087
【図１４（ａ）】
2021502783.tif 000088
【図１４（ｂ）】
2021502783.tif 000089
【図１５（ａ）】
2021502783.tif 000090
【図１５（ｂ）】
2021502783.tif 000091
【図１５（ｃ）】
2021502783.tif 000092
【図１６】
2021502783.tif 000093
【図１７】
2021502783.tif 000094
【図１８】
2021502783.tif 000095
【図１９】
2021502783.tif 000096
【図２０（ａ）】
2021502783.tif 000097
【図２０（ｂ）】
2021502783.tif 000098
【図２１】
2021502783.tif 000099
【図２２】
2021502783.tif 000100
【図２３】
2021502783.tif 000101
【図２４】
2021502783.tif 000102
【図２５】
2021502783.tif 000103
【図２６】
2021502783.tif 000104
【手続補正書】
【提出日】令和2年5月12日(2020.5.12)
【手続補正１】
【補正対象書類名】特許請求の範囲
【補正対象項目名】全文
【補正方法】変更
【補正の内容】
【特許請求の範囲】
【請求項１】
無線通信システムにおける動作を端末が実行する方法であって、
物理ダウンリンク共有チャネル（ＰＤＳＣＨ）について追加復調参照信号（ＤＭＲＳ）の受信のためのシンボル位置の数に関連する第１制御情報を基地局から受信し、
前記ＰＤＳＣＨの第１シンボルから最後のシンボルまでのＰＤＳＣＨ区間に関連する第２制御情報を含むダウンリンク制御情報（ｄｏｗｎｌｉｎｋ  ｃｏｎｔｒｏｌ  ｉｎｆｏｒｍａｔｉｏｎ）を前記基地局から受信し、
前記端末が、前記第１制御情報と前記第２制御情報に基づいて、前記ＰＤＳＣＨについての前記追加ＤＭＲＳを受信するための少なくとも一つのシンボル位置を決定し、
前記基地局から、前記ＰＤＳＣＨについての少なくとも一つのシンボル位置についての前記追加ＤＭＲＳを受信することを含み、
前記第１制御情報と前記第２制御情報に基づいて、前記ＰＤＳＣＨについての前記追加ＤＭＲＳを受信するための前記少なくとも一つのシンボル位置を決定することは、
前記第１制御情報が前記追加ＤＭＲＳに対する３シンボル位置を示すことと、前記第２制御情報が前記ＰＤＳＣＨ区間を１２、１３、又は１４シンボルの一つとして示すことに基づいて、前記追加ＤＭＲＳに対する前記少なくとも一つのシンボル位置を、前記ＰＤＳＣＨの５番目のシンボル、８番目のシンボル及び１１番目のシンボルに等しいと決定し、
前記第１制御情報が前記追加ＤＭＲＳに対する３シンボル位置を示すこと、及び前記第２制御情報が前記ＰＤＳＣＨ区間を１１又は１０シンボルの一つとして示すことに基づいて、前記追加ＤＭＲＳに対する前記少なくとも一つの位置が前記ＰＤＳＣＨの６番目のシンボル及び９番目のシンボルと等しいと決定し、
前記第１制御情報が前記追加ＤＭＲＳに対する３シンボル位置を示すことと、前記第２制御情報が前記ＰＤＳＣＨ区間が９シンボルであることに基づいて、前記追加ＤＭＲＳに対する前記少なくとも一つのシンボル位置が前記ＰＤＳＣＨの７番目のシンボルに等しいと決定することを含む、方法。
【請求項２】
前記ＰＤＳＣＨの前記第１シンボルから最後のシンボルの前記ＰＤＳＣＨ区間は、前記第１シンボルと前記最後のシンボルを含む、前記第１シンボルから前記最後のシンボルまでのシンボルの総数に等しい、請求項１に記載の方法。
【請求項３】
前記ＰＤＳＣＨの１番目のシンボルは、０に等しいシンボルインデックスを有し、
前記ＰＤＳＣＨの５番目のシンボルは、４に等しいシンボルインデックスを有し、
前記ＰＤＳＣＨの６番目のシンボルは、５に等しいシンボルインデックスを有し、
前記ＰＤＳＣＨの７番目のシンボルは、６に等しいシンボルインデックスを有し、
前記ＰＤＳＣＨの８番目のシンボルは、７に等しいシンボルインデックスを有し、
前記ＰＤＳＣＨの９番目のシンボルは、８に等しいシンボルインデックスを有する、請求項１に記載の方法。
【請求項４】
前記第１制御情報は、Ｒａｄｉｏ  Ｒｅｓｏｕｒｃｅ  Ｃｏｎｔｒｏｌ（ＲＲＣ）シグナリングを介して前記基地局から受信される、請求項１に記載の方法。
【請求項５】
前記基地局から上位層シグナリングを介して、前記ＰＤＳＣＨに関するフロントローデッド（front-loaded）ＤＭＲＳに対するシンボル位置の数に関連する第３制御情報を受信するステップをさらに含む、請求項１に記載の方法。
【請求項６】
前記第３制御情報に基づいて、前記ＰＤＳＣＨについての前記フロントローデッド（front-loaded）ＤＭＲＳに対する少なくとも一つのシンボル位置についての前記フロントローデッド（front-loaded）ＤＭＲＳを前記基地局から受信するステップをさらに含む、請求項５に記載の方法。
【請求項７】
無線通信システムにおいて動作するように構成された端末であって、
送受信器と、
少なくとも一つのプロセッサと、
前記少なくとも一つのプロセッサと動作的に接続可能な少なくとも一つのコンピュータメモリとを備え、
前記少なくとも一つのプロセッサにより動作された時、前記コンピュータメモリは、以下の動作をするインストラクションを格納し、
前記動作は、
物理ダウンリンク共有チャネル（ＰＤＳＣＨ）について追加復調参照信号（ＤＭＲＳ）の受信のためのシンボル位置の数に関連する第１制御情報を、前記送受信器を介して基地局から受信し、
前記ＰＤＳＣＨの第１シンボルから最後のシンボルまでのＰＤＳＣＨ区間に関連する第２制御情報を含むダウンリンク制御情報（ｄｏｗｎｌｉｎｋ  ｃｏｎｔｒｏｌ  ｉｎｆｏｒｍａｔｉｏｎ）を、前記送受信器を介して前記基地局から受信し、
前記端末が、前記第１制御情報と前記第２制御情報に基づいて、前記ＰＤＳＣＨについての前記追加ＤＭＲＳを受信するための少なくとも一つのシンボル位置を決定し、
前記送受信器を介して前記基地局から、前記ＰＤＳＣＨについての少なくとも一つのシンボル位置についての前記追加ＤＭＲＳを受信することを含み、
前記第１制御情報と前記第２制御情報に基づいて、前記ＰＤＳＣＨについての前記追加ＤＭＲＳを受信するための前記少なくとも一つのシンボル位置を決定することは、
前記第１制御情報が前記追加ＤＭＲＳに対する３シンボル位置を示すことと、前記ＰＤＳＣＨ区間が１２、１３、又は１４シンボルの一つとであることに基づいて、前記追加ＤＭＲＳに対する前記少なくとも一つのシンボル位置を、前記ＰＤＳＣＨの５番目のシンボル、８番目のシンボル及び１１番目のシンボルに等しいと決定し、
前記第１制御情報が前記追加ＤＭＲＳに対する３シンボル位置を示すこと、及び前記ＰＤＳＣＨ区間が１１又は１０シンボルであることに基づいて、前記追加ＤＭＲＳに対する前記少なくとも一つの位置が前記ＰＤＳＣＨの６番目のシンボル及び９番目のシンボルに等しいと決定し、
前記第１制御情報が前記追加ＤＭＲＳに対する３シンボル位置を示すことと、前記ＰＤＳＣＨ区間が９シンボルであることに基づいて、前記追加ＤＭＲＳに対する前記少なくとも一つのシンボル位置が前記ＰＤＳＣＨの７番目のシンボルに等しいと決定することを含む、端末。
【請求項８】
前記ＰＤＳＣＨの前記第１シンボルから最後のシンボルの前記ＰＤＳＣＨ区間は、前記第１シンボルと前記最後のシンボルを含む、前記第１シンボルから前記最後のシンボルまでのシンボルの総数に等しい、請求項７に記載の端末。
【請求項９】
前記ＰＤＳＣＨの１番目のシンボルは、０に等しいシンボルインデックスを有し、
前記ＰＤＳＣＨの５番目のシンボルは、４に等しいシンボルインデックスを有し、
前記ＰＤＳＣＨの６番目のシンボルは、５に等しいシンボルインデックスを有し、
前記ＰＤＳＣＨの７番目のシンボルは、６に等しいシンボルインデックスを有し、
前記ＰＤＳＣＨの８番目のシンボルは、７に等しいシンボルインデックスを有し、
前記ＰＤＳＣＨの９番目のシンボルは、８に等しいシンボルインデックスを有する、請求項７に記載の端末。
【請求項１０】
前記第１制御情報は、Ｒａｄｉｏ  Ｒｅｓｏｕｒｃｅ  Ｃｏｎｔｒｏｌ（ＲＲＣ）シグナリングを介して前記基地局から受信する、請求項７に記載の端末。
【請求項１１】
前記基地局から上位層シグナリングを介して前記送受信器を通して、前記ＰＤＳＣＨに関するフロントローデッド（front-loaded）ＤＭＲＳに対するシンボル位置の数に関連する第３制御情報を受信するステップをさらに含む、請求項７に記載の端末。
【請求項１２】
前記第３制御情報に基づいて、前記ＰＤＳＣＨについての前記フロントローデッド（front-loaded）ＤＭＲＳに対する少なくとも一つのシンボル位置についての前記フロントローデッド（front-loaded）ＤＭＲＳを前記基地局から前記送受信器を介して受信するステップをさらに含む、請求項１１に記載の端末。
【請求項１３】
無線通信システムにける動作を基地局が実行する方法であって、
物理ダウンリンク共有チャネル（ＰＤＳＣＨ）について追加復調参照信号（ＤＭＲＳ）の受信のためのシンボル位置の数に関連する第１制御情報を端末へ送信し、
前記ＰＤＳＣＨの第１シンボルから最後のシンボルまでのＰＤＳＣＨ区間に関連する第２制御情報を含むダウンリンク制御情報（ｄｏｗｎｌｉｎｋ  ｃｏｎｔｒｏｌ  ｉｎｆｏｒｍａｔｉｏｎ）を前記端末へ送信し、
前記基地局が、前記ＰＤＳＣＨについての追加ＤＭＲＳを受信するための少なくともとも一つのシンボル位置に前記追加ＤＭＲＳをマッピングし、
前記追加ＤＭＲＳがマッピングされる前記少なくとも一つのシンボル位置は、前記第１制御情報及び前記第２制御情報に基づいて決定され、
前記端末へ、前記ＰＤＳＣＨについての前記少なくとも一つのシンボル位置についての前記追加ＤＭＲＳを送信し、
前記追加ＤＭＲＳがマッピングされる前記少なくとも一つのシンボル位置は、
前記第１制御情報が前記追加ＤＭＲＳに対する３シンボル位置を示すことと、前記ＰＤＳＣＨ区間が１２、１３、又は１４シンボルの一つであること基づいて、前記追加ＤＭＲＳに対する前記少なくとも一つのシンボル位置が、前記ＰＤＳＣＨの５番目のシンボル、８番目のシンボル及び１１番目のシンボルに等しいこと、
前記第１制御情報が前記追加ＤＭＲＳに対する３シンボル位置を示すこと、及び前記ＰＤＳＣＨ区間が１１又は１０シンボルの一つであることに基づいて、前記追加ＤＭＲＳに対する前記少なくとも一つの位置が前記ＰＤＳＣＨの６番目のシンボルと９番目のシンボルとに等しいこと、
前記第１制御情報が前記追加ＤＭＲＳに対する３シンボル位置を示すことと、前記ＰＤＳＣＨ区間が９シンボルであることに基づいて、前記追加ＤＭＲＳに対する前記少なくとも一つのシンボル位置が前記ＰＤＳＣＨの７番目のシンボルに等しいこと、
にしたがって決定される、
方法。
【請求項１４】
前記ＰＤＳＣＨの前記第１シンボルから最後のシンボルの前記ＰＤＳＣＨ区間は、前記第１シンボルと前記最後のシンボルを含む、前記第１シンボルから前記最後のシンボルまでのシンボルの総数に等しい、請求項１３に記載の方法。
【請求項１５】
前記ＰＤＳＣＨの１番目のシンボルは、０に等しいシンボルインデックスを有し、
前記ＰＤＳＣＨの５番目のシンボルは、４に等しいシンボルインデックスを有し、
前記ＰＤＳＣＨの６番目のシンボルは、５に等しいシンボルインデックスを有し、
前記ＰＤＳＣＨの７番目のシンボルは、６に等しいシンボルインデックスを有し、
前記ＰＤＳＣＨの８番目のシンボルは、７に等しいシンボルインデックスを有し、
前記ＰＤＳＣＨの９番目のシンボルは、８に等しいシンボルインデックスを有する、請求項１３に記載の方法。
【請求項１６】
前記第１制御情報は、Ｒａｄｉｏ  Ｒｅｓｏｕｒｃｅ  Ｃｏｎｔｒｏｌ（ＲＲＣ）シグナリングを介して前記端末へ送信される、請求項１３に記載の方法。
【請求項１７】
前記端末へ上位層シグナリングを介して、前記ＰＤＳＣＨに関するフロントローデッド（front-loaded）ＤＭＲＳに対するシンボル位置の数に関連する第３制御情報を送信するステップをさらに含む、請求項１３に記載の方法。
【請求項１８】
前記第３制御情報に基づいて、前記ＰＤＳＣＨについての前記フロントローデッド（front-loaded）ＤＭＲＳに対する少なくとも一つのシンボル位置についての前記フロントローデッド（front-loaded）ＤＭＲＳを前記端末へ送信するステップをさらに含む、請求項１７に記載の方法。
【手続補正書】
【提出日】令和2年7月16日(2020.7.16)
【手続補正１】
【補正対象書類名】特許請求の範囲
【補正対象項目名】全文
【補正方法】変更
【補正の内容】
【特許請求の範囲】
【請求項１】
無線通信システムにおける動作を端末が実行する方法であって、
物理ダウンリンク共有チャネル（ＰＤＳＣＨ）について追加復調参照信号（ＤＭＲＳ）の受信のためのシンボル位置の数に関連する第１制御情報を基地局から受信し、
（ｉ）前記ＰＤＳＣＨの第１シンボルから最後のシンボルまでのＰＤＳＣＨ区間と、（ｉｉ）前記ＰＤＳＣＨに関連するスロット内の前記ＰＤＳＣＨの前記第１シンボルの位置に関連する第２制御情報を含むダウンリンク制御情報（ｄｏｗｎｌｉｎｋ  ｃｏｎｔｒｏｌ  ｉｎｆｏｒｍａｔｉｏｎ）を前記基地局から受信し、
前記端末が、前記第１制御情報と前記第２制御情報に基づいて、前記ＰＤＳＣＨについての前記追加ＤＭＲＳを受信するための少なくとも一つのシンボル位置を決定し、
前記基地局から、前記ＰＤＳＣＨについての少なくとも一つのシンボル位置についての前記追加ＤＭＲＳを受信することを含み、
前記第１制御情報と前記第２制御情報に基づいて、前記ＰＤＳＣＨについての前記追加ＤＭＲＳを受信するための前記少なくとも一つのシンボル位置を決定することは、
前記第１制御情報が前記追加ＤＭＲＳに対する３シンボル位置を示すことと、前記第２制御情報が、（ｉ）前記ＰＤＳＣＨ区間と（ｉｉ）前記第１シンボルの位置に基づいて、前記スロットでの前記ＰＤＳＣＨの最後のシンボルの位置を１２番目、１３番目、又は１４番目のシンボルの一つとして示すことに基づいて、前記追加ＤＭＲＳに対する前記少なくとも一つのシンボル位置を、前記スロットの６番目のシンボル、９番目のシンボル及び１２番目のシンボルに等しいと決定し、
前記第１制御情報が前記追加ＤＭＲＳに対する３シンボル位置を示すことと、前記第２制御情報が、（ｉ）前記ＰＤＳＣＨ区間と（ｉｉ）前記第１シンボルの位置に基づいて、前記ＰＤＳＣＨの前記最後のシンボルの位置を１１番目又は１０番目のシンボルの一つとして示すことに基づいて、前記追加ＤＭＲＳに対する前記少なくとも一つの位置が前記スロット内の７番目のシンボル及び１０番目のシンボルと等しいと決定し、
前記第１制御情報が前記追加ＤＭＲＳに対する３シンボル位置を示すことと、前記第２制御情報が、（ｉ）前記ＰＤＳＣＨ区間と（ｉｉ）前記第１シンボルの位置に基づいて、前記ＰＤＳＣＨの前記最後のシンボルを９番目のシンボルとして示すことに基づいて、前記追加ＤＭＲＳに対する前記少なくとも一つのシンボル位置が前記スロットの８番目のシンボルに等しいと決定することを含む、方法。
【請求項２】
前記ＰＤＳＣＨの前記第１シンボルから最後のシンボルまでの前記ＰＤＳＣＨ区間は、前記第１シンボルと前記最後のシンボルを含む、前記第１シンボルから前記最後のシンボルまでのシンボルの総数に等しい、請求項１に記載の方法。
【請求項３】
前記ＰＤＳＣＨに関連する前記スロットの６番目のシンボルは、５に等しいシンボルインデックスを有し、
前記ＰＤＳＣＨに関連する前記スロットの７番目のシンボルは、６に等しいシンボルインデックスを有し、
前記ＰＤＳＣＨに関連する前記スロットの８番目のシンボルは、７に等しいシンボルインデックスを有し、
前記ＰＤＳＣＨに関連する前記スロットの９番目のシンボルは、８に等しいシンボルインデックスを有し、
前記ＰＤＳＣＨに関連する前記スロットの１０番目のシンボルは、９に等しいシンボルインデックスを有し、
前記ＰＤＳＣＨに関連する前記スロットの１２番目のシンボルは、１１に等しいシンボルインデックスを有する、請求項１に記載の方法。
【請求項４】
前記第１制御情報は、Ｒａｄｉｏ  Ｒｅｓｏｕｒｃｅ  Ｃｏｎｔｒｏｌ（ＲＲＣ）シグナリングを介して前記基地局から受信される、請求項１に記載の方法。
【請求項５】
前記基地局から上位層シグナリングを介して、前記ＰＤＳＣＨに関するフロントローデッド（front-loaded）ＤＭＲＳに対するシンボル位置の数に関連する第３制御情報を受信するステップをさらに含む、請求項１に記載の方法。
【請求項６】
前記第３制御情報に基づいて、前記ＰＤＳＣＨについての前記フロントローデッド（front-loaded）ＤＭＲＳに対する少なくとも一つのシンボル位置についての前記フロントローデッド（front-loaded）ＤＭＲＳを前記基地局から受信するステップをさらに含む、請求項５に記載の方法。
【請求項７】
無線通信システムにおいて動作するように構成された端末であって、
送受信器と、
少なくとも一つのプロセッサと、
前記少なくとも一つのプロセッサと動作的に接続可能な少なくとも一つのコンピュータメモリとを備え、
前記少なくとも一つのプロセッサにより動作された時、前記コンピュータメモリは、以下の動作をするインストラクションを格納し、
前記動作は、
物理ダウンリンク共有チャネル（ＰＤＳＣＨ）について追加復調参照信号（ＤＭＲＳ）の受信のためのシンボル位置の数に関連する第１制御情報を、基地局から前記送受信器を通して受信し、
（ｉ）前記ＰＤＳＣＨの第１シンボルから最後のシンボルまでのＰＤＳＣＨ区間と、（ｉｉ）前記ＰＤＳＣＨに関連するスロット内の前記ＰＤＳＣＨの前記第１シンボルの位置に関連する第２制御情報を含むダウンリンク制御情報（ｄｏｗｎｌｉｎｋ  ｃｏｎｔｒｏｌ  ｉｎｆｏｒｍａｔｉｏｎ）を、前記基地局から前記送受信器を通して受信し、
前記端末が、前記第１制御情報と前記第２制御情報に基づいて、前記ＰＤＳＣＨについての前記追加ＤＭＲＳを受信するための少なくとも一つのシンボル位置を決定し、
前記基地局から前記送受信器を通して、前記ＰＤＳＣＨについての少なくとも一つのシンボル位置についての前記追加ＤＭＲＳを受信することを含み、
前記第１制御情報と前記第２制御情報に基づいて、前記ＰＤＳＣＨについての前記追加ＤＭＲＳを受信するための前記少なくとも一つのシンボル位置を決定することは、
前記第１制御情報が前記追加ＤＭＲＳに対する３シンボル位置を示すことと、前記第２制御情報が、（ｉ）前記ＰＤＳＣＨ区間と（ｉｉ）前記第１シンボルの位置に基づいて、前記スロット内の前記ＰＤＳＣＨの前記最後のシンボルの位置が１２番目、１３番目、又は１４番目のシンボルの一つとして示すことに基づいて、前記追加ＤＭＲＳに対する前記少なくとも一つのシンボル位置を、前記スロットの６番目のシンボル、９番目のシンボル及び１２番目のシンボルに等しいと決定し、
前記第１制御情報が前記追加ＤＭＲＳに対する３シンボル位置を示すことと、前記第２制御情報が、（ｉ）前記ＰＤＳＣＨ区間と（ｉｉ）前記第１シンボルの位置に基づいて、前記スロット内の前記ＰＤＳＣＨの最後のシンボルの位置を１１番目又は１０番目のシンボルとして示すことに基づいて、前記追加ＤＭＲＳに対する前記少なくとも一つの位置が前記スロットの７番目のシンボル及び１０番目のシンボルに等しいと決定し、
前記第１制御情報が前記追加ＤＭＲＳに対する３シンボル位置を示すことと、前記第２制御情報が、（ｉ）前記ＰＤＳＣＨ区間と（ｉｉ）前記第１シンボルの位置に基づいて、前記スロット内の前記ＰＤＳＣＨ区間を９番目のシンボルとして示すことに基づいて、前記追加ＤＭＲＳに対する前記少なくとも一つのシンボル位置が前記スロットの８番目のシンボルに等しいと決定することを含む、端末。
【請求項８】
前記ＰＤＳＣＨの前記第１シンボルから最後のシンボルまでの前記ＰＤＳＣＨ区間は、前記第１シンボルと前記最後のシンボルを含む、前記第１シンボルから前記最後のシンボルまでのシンボルの総数に等しい、請求項７に記載の端末。
【請求項９】
前記ＰＤＳＣＨに関連する前記スロットの６番目のシンボルは、５に等しいシンボルインデックスを有し、
前記ＰＤＳＣＨに関連する前記スロットの７番目のシンボルは、６に等しいシンボルインデックスを有し、
前記ＰＤＳＣＨに関連する前記スロットの８番目のシンボルは、７に等しいシンボルインデックスを有し、
前記ＰＤＳＣＨに関連する前記スロットの９番目のシンボルは、８に等しいシンボルインデックスを有し、
前記ＰＤＳＣＨに関連する前記スロットの１０番目のシンボルは、９に等しいシンボルインデックスを有し、
前記ＰＤＳＣＨに関連する前記スロットの１２番目のシンボルは、１１に等しいシンボルインデックスを有する、請求項７に記載の端末。
【請求項１０】
前記第１制御情報は、Ｒａｄｉｏ  Ｒｅｓｏｕｒｃｅ  Ｃｏｎｔｒｏｌ（ＲＲＣ）シグナリングを介して前記基地局から受信する、請求項７に記載の端末。
【請求項１１】
前記基地局から上位層シグナリングを介して前記送受信器を通して、前記ＰＤＳＣＨに関するフロントローデッド（front-loaded）ＤＭＲＳに対するシンボル位置の数に関連する第３制御情報を受信するステップをさらに含む、請求項７に記載の端末。
【請求項１２】
前記第３制御情報に基づいて、前記ＰＤＳＣＨについての前記フロントローデッド（front-loaded）ＤＭＲＳに対する少なくとも一つのシンボル位置についての前記フロントローデッド（front-loaded）ＤＭＲＳを前記基地局から前記送受信器を介して受信するステップをさらに含む、請求項１１に記載の端末。
【請求項１３】
無線通信システムにおける動作を基地局が実行する方法であって、
物理ダウンリンク共有チャネル（ＰＤＳＣＨ）について追加復調参照信号（ＤＭＲＳ）の受信のためのシンボル位置の数に関連する第１制御情報を端末へ送信し、
（ｉ）前記ＰＤＳＣＨの第１シンボルから最後のシンボルまでのＰＤＳＣＨ区間と、（ｉｉ）前記ＰＤＳＣＨに関連するスロットでの前記ＰＤＳＣＨの第１シンボルの位置に関連する第２制御情報を含むダウンリンク制御情報（ｄｏｗｎｌｉｎｋ  ｃｏｎｔｒｏｌ  ｉｎｆｏｒｍａｔｉｏｎ）を前記端末へ送信し、
前記基地局が、前記ＰＤＳＣＨについての前記追加ＤＭＲＳを受信するための少なくともとも一つのシンボル位置に前記追加ＤＭＲＳをマッピングし、
前記追加ＤＭＲＳがマッピングされる前記少なくとも一つのシンボル位置は、前記第１制御情報及び前記第２制御情報に基づいて決定され、
前記端末へ、前記ＰＤＳＣＨについての前記少なくとも一つのシンボル位置についての前記追加ＤＭＲＳを送信し、
前記追加ＤＭＲＳがマッピングされる前記少なくとも一つのシンボル位置は、
前記第１制御情報が前記追加ＤＭＲＳに対する３シンボル位置を示すことと、（ｉ）前記ＰＤＳＣＨ区間及び（ｉｉ）前記第１シンボルの位置に基づいて前記スロット内の前記ＰＤＳＣＨの最後のシンボルの位置が１２番目、１３番目、又は１４番目のシンボルの一つであること基づいて、前記追加ＤＭＲＳに対する前記少なくとも一つのシンボル位置が、前記スロットの６番目のシンボル、９番目のシンボル及び１２番目のシンボルに等しいこと、
前記第１制御情報が前記追加ＤＭＲＳに対する３シンボル位置を示すこと、（ｉ）前記ＰＤＳＣＨ区間及び（ｉｉ）前記第１シンボルの位置に基づいて前記スロット内の前記ＰＤＳＣＨの最後のシンボルの位置が１１番目又は１０番目のシンボルの一つであることに基づいて、前記追加ＤＭＲＳに対する前記少なくとも一つの位置が前記スロットの７番目のシンボルと１０番目のシンボルとに等しいこと、
前記第１制御情報が前記追加ＤＭＲＳに対する３シンボル位置を示すことと、（ｉ）前記ＰＤＳＣＨ区間及び（ｉｉ）前記第１シンボルの位置に基づいて前記スロット内の前記ＰＤＳＣＨの前記最後のシンボルの位置が９番目のシンボルであることに基づいて、前記追加ＤＭＲＳに対する前記少なくとも一つのシンボル位置が前記スロットの８番目のシンボルに等しいこと、
にしたがって決定される、方法。
【請求項１４】
前記ＰＤＳＣＨの前記第１シンボルから最後のシンボルまでの前記ＰＤＳＣＨ区間は、前記第１シンボルと前記最後のシンボルを含む、前記第１シンボルから前記最後のシンボルまでのシンボルの総数に等しい、請求項１３に記載の方法。
【請求項１５】
前記ＰＤＳＣＨに関連する前記スロット内の６番目のシンボルは、５に等しいシンボルインデックスを有し、
前記ＰＤＳＣＨに関連する前記スロット内の７番目のシンボルは、６に等しいシンボルインデックスを有し、
前記ＰＤＳＣＨに関連する前記スロット内の８番目のシンボルは、７に等しいシンボルインデックスを有し、
前記ＰＤＳＣＨに関連する前記スロット内の９番目のシンボルは、８に等しいシンボルインデックスを有し、
前記ＰＤＳＣＨに関連する前記スロット内の１０番目のシンボルは、９に等しいシンボルインデックスを有する、
前記ＰＤＳＣＨに関連する前記スロット内の１２番目のシンボルは、１１に等しいシンボルインデックスを有する、請求項１３に記載の方法。
【請求項１６】
前記第１制御情報は、Ｒａｄｉｏ  Ｒｅｓｏｕｒｃｅ  Ｃｏｎｔｒｏｌ（ＲＲＣ）シグナリングを介して前記端末へ送信される、請求項１３に記載の方法。
【請求項１７】
前記端末へ上位層シグナリングを介して、前記ＰＤＳＣＨに関するフロントローデッド（front-loaded）ＤＭＲＳに対するシンボル位置の数に関連する第３制御情報を送信するステップをさらに含む、請求項１３に記載の方法。
【請求項１８】
前記第３制御情報に基づいて、前記ＰＤＳＣＨについての前記フロントローデッド（front-loaded）ＤＭＲＳに対する少なくとも一つのシンボル位置についての前記フロントローデッド（front-loaded）ＤＭＲＳを前記端末へ送信するステップをさらに含む、請求項１７に記載の方法。
【国際調査報告】
2021502783.tif 000105
2021502783.tif 000106
2021502783.tif 000107
2021502783.tif 000108